(57)【要約】【課題】複数のセグメント導体からなる巻線を容易に形成することができるステータの製造方法を提供する。【解決手段】挿入導体準備工程では、直線状をなす複数の挿入導体２１を準備する。連結導体準備工程では、一対の接続部を有する複数の連結導体３１〜３５を準備する。挿入工程では、ステータコア１２のスロット１５に挿入導体２１を挿入する。第１の配置工程では、互いに接続する挿入導体２１と接続部とを隣接させてステータコア１２の軸方向の一端側に複数の連結導体３１〜３３を配置する。第１の接合工程では、ステータコア１２の軸方向の一端側で、隣接した挿入導体２１と接続部とを溶接する。第２の配置工程では、互いに接続する挿入導体２１と接続部とを隣接させてステータコア１２の軸方向の他端側に複数の連結導体３４，３５を配置する。第２の接合工程では、ステータコア１２の軸方向の他端側で、隣接した挿入導体２１と接続部とを溶接する。【選択図】図６
2014087187.tif 000002
【特許請求の範囲】
【請求項１】
周方向に並ぶ複数のスロットを有するステータコアと、前記スロットに巻装された複数のセグメント導体からなる巻線とを備えたステータの製造方法であって、
導電性を有し直線状をなす前記セグメント導体としての複数の挿入導体を準備する挿入導体準備工程と、
導電性を有し前記挿入導体に接続される一対の接続部を有する前記セグメント導体としての複数の連結導体を準備する連結導体準備工程と、
前記スロットを軸方向に貫通するように前記スロットに前記挿入導体を挿入する挿入工程と、
互いに接続する前記挿入導体と前記接続部とを隣接させて前記ステータコアの軸方向の一端側に複数の前記連結導体を配置する第１の配置工程と、
前記ステータコアの軸方向の一端側で、隣接した前記接続部と前記挿入導体とを溶接により接合する第１の接合工程と、
互いに接続する前記挿入導体と前記接続部とを隣接させて前記ステータコアの軸方向の他端側に複数の前記連結導体を配置する第２の配置工程と、
前記ステータコアの軸方向の他端側で、隣接した前記接続部と前記挿入導体とを溶接により接合する第２の接合工程と、
を備えたことを特徴とするステータの製造方法。
【請求項２】
請求項１に記載のステータの製造方法において、
前記挿入導体準備工程では、長手方向の両端部に前記接続部が接続される端部接続部を有する前記挿入導体を準備し、
前記挿入工程では、前記ステータコアの軸方向の両側で周方向に隣り合う前記挿入導体の前記端部接続部が前記ステータコアの軸方向にずれた位置に配置されるように前記挿入導体を前記スロットに挿入し、
前記第１の配置工程では、互いに接続する前記端部接続部と前記接続部とを隣接させて前記ステータコアの軸方向の一端側に複数の前記連結導体を前記ステータコアの軸方向に積層される層状に配置し、
前記第１の接合工程では、前記ステータコアの一端側で、隣接して配置された前記端部接続部と前記接続部とを溶接により接合し、
前記第２の配置工程では、互いに接続する前記端部接続部と前記接続部とを隣接させて前記ステータコアの軸方向の他端側に複数の前記連結導体を前記ステータコアの軸方向に積層される層状に配置し、
前記第２の接合工程では、前記ステータコアの他端側で、隣接して配置された前記端部接続部と前記接続部とを溶接により接合することを特徴とするステータの製造方法。
【請求項３】
請求項２に記載のステータの製造方法において、
前記第１の配置工程では、前記ステータコアの軸方向の一端側に、異なる層の前記連結導体の前記接続部が前記ステータコアの周方向にずれるとともに前記ステータコアの軸方向から見て複数の前記スロットと同じ間隔で複数の前記接続部が周方向に並ぶように、且つ周方向に隣り合うどの２つの前記接続部も前記ステータコアの軸方向に３層以上離間しないように、複数の前記連結導体を前記ステータコアの軸方向に積層される層状に配置し、
前記第１の接合工程では、前記ステータコアの一端側で、隣接して配置された前記端部接続部と前記接続部とを周方向に順に溶接し、
前記第２の配置工程では、前記ステータコアの軸方向の他端側に、異なる層の前記連結導体の前記接続部が前記ステータコアの周方向にずれるとともに前記ステータコアの軸方向から見て複数の前記スロットと同じ間隔で複数の前記接続部が周方向に並ぶように、且つ周方向に隣り合うどの２つの前記接続部も前記ステータコアの軸方向に３層以上離間しないように、複数の前記連結導体を前記ステータコアの軸方向に積層される層状に配置し、
前記第２の接合工程では、前記ステータコアの他端側で、隣接して配置された前記端部接続部と前記接続部とを周方向に順に溶接することを特徴とするステータの製造方法。
【請求項４】
請求項３に記載のステータの製造方法において、
前記第１の配置工程では、前記ステータコアの軸方向から見て前記ステータコアの周方向に隣り合う２つの前記接続部には、前記ステータコアの軸方向に１層差となるものと２層差となるものとがあるように、前記ステータコアの軸方向の一端側に複数の前記連結導体を前記ステータコアの軸方向に積層される層状に配置し、
前記第２の配置工程では、前記ステータコアの軸方向から見て前記ステータコアの周方向に隣り合う２つの前記接続部には、前記ステータコアの軸方向に１層差となるものと２層差となるものとがあるように、前記ステータコアの軸方向の他端側に複数の前記連結導体を前記ステータコアの軸方向に積層される層状に配置することを特徴とするステータの製造方法。
【請求項５】
請求項２に記載のステータの製造方法において、
前記第１の配置工程では、前記ステータコアの軸方向の一端側に、異なる層の前記連結導体の前記接続部が前記ステータコアの周方向にずれるとともに前記ステータコアの軸方向から見て複数の前記スロットと同じ間隔で複数の前記接続部が周方向に並ぶように、且つ複数の前記接続部が周方向に前記スロット１個分進むごとに前記ステータコアの軸方向の一端面に最も近い前記連結導体の層から前記ステータコアの軸方向の一端面から最も遠い前記連結導体の層まで１層ずつ上がる階段状に繰り返し並ぶように、複数の前記連結導体を前記ステータコアの軸方向に積層される層状に配置し、
前記第１の接合工程では、前記ステータコアの一端側で、隣接して配置された前記端部接続部と前記接続部とを周方向に順に溶接し、
前記第２の配置工程では、前記ステータコアの軸方向の他端側に、異なる層の前記連結導体の前記接続部が前記ステータコアの周方向にずれるとともに前記ステータコアの軸方向から見て複数の前記スロットと同じ間隔で複数の前記接続部が周方向に並ぶように、且つ複数の前記接続部が周方向に前記スロット１個分進むごとに前記ステータコアの軸方向の他端面に最も近い前記連結導体の層から前記ステータコアの軸方向の他端面から最も遠い前記連結導体の層まで１層ずつ上がる階段状に繰り返し並ぶように、複数の前記連結導体を前記ステータコアの軸方向に積層される層状に配置し、
前記第２の接合工程では、前記ステータコアの他端側で、隣接して配置された前記端部接続部と前記接続部とを周方向に順に溶接することを特徴とするステータの製造方法。
【請求項６】
請求項１乃至請求項５の何れか１項に記載のステータの製造方法において、
前記ステータコアは、円環状をなす環状部と、該環状部の内周面から径方向内側に延びる複数のティースとを有し、
前記連結導体準備工程では、前記ステータコアの周方向に沿うように配置される周方向渡り部を一対の前記接続部の間に有する複数の前記連結導体を準備し、
前記第１の配置工程では、前記ステータコアの軸方向の一端側に配置される全ての前記連結導体の前記周方向渡り部を、前記環状部の径方向の厚さの範囲内に配置し、
前記第１の接合工程では、前記ステータコアの軸方向の一端側で、径方向外側からアース電極を前記周方向渡り部に接触させて、隣接した前記接続部と前記挿入導体とをアーク溶接により接合し、
前記第２の配置工程では、前記ステータコアの軸方向の他端側に配置される全ての前記連結導体の前記周方向渡り部を、前記環状部の径方向の厚さの範囲内に配置し、
前記第２の接合工程では、前記ステータコアの軸方向の他端側で、径方向外側からアース電極を前記周方向渡り部に接触させて、隣接した前記接続部と前記挿入導体とをアーク溶接により接合することを特徴とするステータの製造方法。
【請求項７】
請求項１乃至請求項６の何れか１項に記載のステータの製造方法において、
前記挿入導体準備工程では、前記挿入導体と前記ステータコアとを電気的に絶縁するシート状の挿入用インシュレータを同じ前記スロットに挿入する複数の前記挿入導体に巻き付けて、同じ前記スロットに挿入する複数の前記挿入導体を前記挿入用インシュレータにて一体化し、
前記挿入工程では、前記挿入用インシュレータにて一体化された複数の前記挿入導体を各前記スロットに挿入することを特徴とするステータの製造方法。
【請求項８】
請求項７に記載のステータの製造方法において、
前記挿入導体準備工程では、絶縁被膜を備えない銅板に前記挿入導体の長さ以上の長さを有し平行に延びる複数本のスリットを形成することにより前記銅板を複数に分割して同じ前記スロットに挿入する複数の前記挿入導体と同数の分割部を形成した後に、前記スリットの長手方向と直交する方向に隣り合う前記分割部が前記挿入用インシュレータの一面側と他面側とに配置されるように前記スリットに前記挿入用インシュレータを挿入し、その後、前記分割部を前記銅板から切断して複数の前記挿入導体を形成すると同時に当該複数の前記挿入導体に前記挿入用インシュレータの両端部を巻き付けて複数の前記挿入導体を一体化することを特徴とするステータの製造方法。
【発明の詳細な説明】
【技術分野】
【０００１】
本発明は、モータに備えられるステータに関するものである。
【背景技術】
【０００２】
一般的に、ステータコアのスロットに巻線を分布巻にて巻装して形成されたステータは、該ステータにおける磁界分布の偏重が緩和されるため、当該ステータを備えたモータを駆動した時の振動を小さく抑えることができる。しかしながら、分布巻の巻線を電線で形成すると、スロットの内部で巻線同士が干渉して占積率が低くなってしまう。
【０００３】
そこで、例えば特許文献１に記載されているように、ステータの巻線を、複数のセグメント導体から構成することがある。各セグメント導体は、導電性板材から形成されており、略Ｕ字状をなしている。そして、各セグメント導体は、ステータコアの軸方向からスロットに挿入されている。更に、各セグメント導体においてスロットを軸方向に貫通して該スロットから軸方向に突出した先端部は、周方向に折り曲げられるとともに、所定のセグメント導体の先端部と溶接により接合されている。このように、略Ｕ字状をなす複数のセグメント導体から巻線を構成すると、スロットに軸方向から挿入されるセグメント導体の断面形状をスロットの断面形状に応じた形状とすることができるため、占積率を高くすることができる。
【先行技術文献】
【特許文献】
【０００４】
【特許文献１】特開２０１１−２５０５０８号公報（第７図及び第８図）
【発明の概要】
【発明が解決しようとする課題】
【０００５】
しかしながら、セグメント導体をスロットに挿入した後にスロットから突出した同セグメント導体を周方向に折り曲げるため、セグメント導体の加工が困難であった。また、巻線は多数のセグメント導体から構成されるため、多数のセグメント導体をスロットに挿入してそれぞれ折り曲げることになる。従って、セグメント導体を折り曲げる工程の工数が多く、巻線の形成が煩雑となっていた。更に、スロットに挿入された後に折り曲げられて隣り合わされたセグメント導体の先端部同士に溶接を施すため、セグメント導体が精度良く折り曲げられていないと溶接が困難となる虞がある。しかし、ステータコアの複数のスロットには多数のセグメント導体が挿入されるとともに、各セグメント導体においてスロットから突出した先端部は小さい。そのため、セグメント導体をスロットに挿入した後に他のセグメント導体を避けながらセグメント導体を精度良く折り曲げることは困難であった。これらのことから、複数のセグメント導体からなる巻線を備えたステータを形成することが困難となっていた。
【０００６】
本発明は、こうした実情に鑑みてなされたものであって、その目的は、複数のセグメント導体からなる巻線を容易に形成することができるステータの製造方法を提供することにある。
【課題を解決するための手段】
【０００７】
上記課題を解決するため、請求項１に記載の発明は、周方向に並ぶ複数のスロットを有するステータコアと、前記スロットに巻装された複数のセグメント導体からなる巻線とを備えたステータの製造方法であって、導電性を有し直線状をなす前記セグメント導体としての複数の挿入導体を準備する挿入導体準備工程と、導電性を有し前記挿入導体に接続される一対の接続部を有する前記セグメント導体としての複数の連結導体を準備する連結導体準備工程と、前記スロットを軸方向に貫通するように前記スロットに前記挿入導体を挿入する挿入工程と、互いに接続する前記挿入導体と前記接続部とを隣接させて前記ステータコアの軸方向の一端側に複数の前記連結導体を配置する第１の配置工程と、前記ステータコアの軸方向の一端側で、隣接した前記接続部と前記挿入導体とを溶接により接合する第１の接合工程と、互いに接続する前記挿入導体と前記接続部とを隣接させて前記ステータコアの軸方向の他端側に複数の前記連結導体を配置する第２の配置工程と、前記ステータコアの軸方向の他端側で、隣接した前記接続部と前記挿入導体とを溶接により接合する第２の接合工程と、を備えたことをその要旨としている。
【０００８】
同構成によれば、挿入導体準備工程において準備される挿入導体は直線状をなしているため、挿入工程において挿入導体を容易にスロットに挿入することができる。また、第１の配置工程においてステータコアの軸方向の一端側に複数の連結導体を配置し、第１の接合工程においてステータコアの軸方向の一端側で連結導体の接続部と挿入導体とを溶接により接合することにより、周方向に離間した位置にある挿入導体を連結導体にて連結する。そして、第２の配置工程においてステータコアの軸方向の他端側に複数の連結導体を配置し、第２の接合工程においてステータコアの軸方向の他端側で連結導体の接続部と挿入導体とを溶接により接合することにより、周方向に離間した位置にある挿入導体を連結導体にて連結する。このように、スロットに挿入される挿入導体とは別体で形成された連結導体をステータコアの軸方向の両側に配置し、当該連結導体によってステータコアの周方向に離間した位置にある挿入導体を連結するため、挿入導体をスロットに挿入した後に折り曲げなくてもよい。更に、溶接により接合される接続部と挿入導体とは、挿入導体若しくは連結導体を折り曲げて隣接させなくとも、第１の配置工程及び第２の配置工程において、スロットに挿入導体が挿入されたステータコアに対して連結導体を配置することで隣接させることができる。従って、従来のようにセグメント導体をスロットに挿入した後に同セグメント導体を折り曲げて互いに溶接するセグメント導体の先端部同士を隣接させる場合に比べて、互いに接続される接続部と挿入導体とを容易に隣接させることができる。従って、接続部と挿入導体との溶接が困難となることが抑制される。これらのことから、複数のセグメント導体、即ち複数の挿入導体及び複数の連結導体からなる巻線を容易に形成することができる。
【０００９】
請求項２に記載の発明は、請求項１に記載のステータの製造方法において、前記挿入導体準備工程では、長手方向の両端部に前記接続部が接続される端部接続部を有する前記挿入導体を準備し、前記挿入工程では、前記ステータコアの軸方向の両側で周方向に隣り合う前記挿入導体の前記端部接続部が前記ステータコアの軸方向にずれた位置に配置されるように前記挿入導体を前記スロットに挿入し、前記第１の配置工程では、互いに接続する前記端部接続部と前記接続部とを隣接させて前記ステータコアの軸方向の一端側に複数の前記連結導体を前記ステータコアの軸方向に積層される層状に配置し、前記第１の接合工程では、前記ステータコアの一端側で、隣接して配置された前記端部接続部と前記接続部とを溶接により接合し、前記第２の配置工程では、互いに接続する前記端部接続部と前記接続部とを隣接させて前記ステータコアの軸方向の他端側に複数の前記連結導体を前記ステータコアの軸方向に積層される層状に配置し、前記第２の接合工程では、前記ステータコアの他端側で、隣接して配置された前記端部接続部と前記接続部とを溶接により接合することをその要旨としている。
【００１０】
同構成によれば、第１の配置工程及び第２の配置工程において、連結導体はステータコアの軸方向に積層される層状に配置される。そのため、連結導体の配置が複雑となることが抑制され、連結導体を容易に配置することができる。従って、複数のセグメント導体、即ち複数の挿入導体及び複数の連結導体からなる巻線をより容易に形成することができる。また、ステータコアの軸方向に隣り合う連結導体同士を電気的に絶縁し易くなる。
【００１１】
請求項３に記載の発明は、請求項２に記載のステータの製造方法において、前記第１の配置工程では、前記ステータコアの軸方向の一端側に、異なる層の前記連結導体の前記接続部が前記ステータコアの周方向にずれるとともに前記ステータコアの軸方向から見て複数の前記スロットと同じ間隔で複数の前記接続部が周方向に並ぶように、且つ周方向に隣り合うどの２つの前記接続部も前記ステータコアの軸方向に３層以上離間しないように、複数の前記連結導体を前記ステータコアの軸方向に積層される層状に配置し、前記第１の接合工程では、前記ステータコアの一端側で、隣接して配置された前記端部接続部と前記接続部とを周方向に順に溶接し、前記第２の配置工程では、前記ステータコアの軸方向の他端側に、異なる層の前記連結導体の前記接続部が前記ステータコアの周方向にずれるとともに前記ステータコアの軸方向から見て複数の前記スロットと同じ間隔で複数の前記接続部が周方向に並ぶように、且つ周方向に隣り合うどの２つの前記接続部も前記ステータコアの軸方向に３層以上離間しないように、複数の前記連結導体を前記ステータコアの軸方向に積層される層状に配置し、前記第２の接合工程では、前記ステータコアの他端側で、隣接して配置された前記端部接続部と前記接続部とを周方向に順に溶接することをその要旨としている。
【００１２】
同構成によれば、第１の接合工程においてステータコアの軸方向の一端側で端部接続部と接続部とをステータコアの周方向に順に溶接するとき、ステータコアに対して溶接装置の溶接ガンを軸方向に移動させる量は、最大で連結導体の層をステータコアの軸方向に２層跨ぐ量となる。同様に、第２の接合工程においてステータコアの軸方向の他端側で端部接続部と接続部とをステータコアの周方向に順に溶接するとき、ステータコアに対して溶接装置の溶接ガンを軸方向に移動させる量は、最大で連結導体の層をステータコアの軸方向に２層跨ぐ量となる。従って、ステータコアに対して溶接ガンを軸方向に移動させる量を少なく抑えることができるため、複数のセグメント導体、即ち複数の挿入導体及び複数の連結導体からなる巻線を更に容易に形成することができる。また、ステータコアに対して溶接ガンを軸方向に移動させる量を少なく抑えることにより、溶接ガンの移動にかかる時間を短縮することができる。その結果、第１の接合工程及び第２に接合工程に要する時間を短くすることができるため、端部接続部と接続部との接続にかかるコストを減少させることができる。そして、ステータの生産性が向上するため、ひいてはステータの製造コストを減少させることができる。
【００１３】
請求項４に記載の発明は、請求項３に記載のステータの製造方法において、前記第１の配置工程では、前記ステータコアの軸方向から見て前記ステータコアの周方向に隣り合う２つの前記接続部には、前記ステータコアの軸方向に１層差となるものと２層差となるものとがあるように、前記ステータコアの軸方向の一端側に複数の前記連結導体を前記ステータコアの軸方向に積層される層状に配置し、前記第２の配置工程では、前記ステータコアの軸方向から見て前記ステータコアの周方向に隣り合う２つの前記接続部には、前記ステータコアの軸方向に１層差となるものと２層差となるものとがあるように、前記ステータコアの軸方向の他端側に複数の前記連結導体を前記ステータコアの軸方向に積層される層状に配置することをその要旨としている。
【００１４】
同構成によれば、第１の接合工程においてステータコアの軸方向の一端側で端部接続部と接続部とをステータコアの周方向に順に溶接するとき、ステータコアに対して溶接装置の溶接ガンを軸方向に移動させる量は、連結導体の層をステータコアの軸方向に１層跨ぐ量、若しくは連結導体の層をステータコアの軸方向に２層跨ぐ量の何れかの量となる。同様に、第２の接合工程においてステータコアの軸方向の他端側で端部接続部と接続部とをステータコアの周方向に順に溶接するとき、ステータコアに対して溶接装置の溶接ガンを軸方向に移動させる量は、連結導体の層をステータコアの軸方向に１層跨ぐ量、若しくは連結導体の層をステータコアの軸方向に２層跨ぐ量の何れかの量となる。従って、ステータコアに対して溶接ガンを軸方向に移動させる量が、全て連結導体の層をステータコアの軸方向に２層跨ぐ量である場合に比べて、ステータコアに対して溶接ガンを軸方向に移動させる量をより少なく抑えることができる。そのため、複数のセグメント導体、即ち複数の挿入導体及び複数の連結導体からなる巻線を一層容易に形成することができる。また、ステータコアに対して溶接ガンを軸方向に移動させる量をより少なく抑えることにより、溶接ガンの移動にかかる時間をより短縮することができる。その結果、挿入導体と接続部との接続に要する時間をより短くすることができるため、挿入導体と接続部との接続にかかるコストをより減少させることができる。そして、ステータの生産性がより向上するため、ひいてはステータの製造コストをより減少させることができる。
【００１５】
請求項５に記載の発明は、請求項２に記載のステータの製造方法において、前記第１の配置工程では、前記ステータコアの軸方向の一端側に、異なる層の前記連結導体の前記接続部が前記ステータコアの周方向にずれるとともに前記ステータコアの軸方向から見て複数の前記スロットと同じ間隔で複数の前記接続部が周方向に並ぶように、且つ複数の前記接続部が周方向に前記スロット１個分進むごとに前記ステータコアの軸方向の一端面に最も近い前記連結導体の層から前記ステータコアの軸方向の一端面から最も遠い前記連結導体の層まで１層ずつ上がる階段状に繰り返し並ぶように、複数の前記連結導体を前記ステータコアの軸方向に積層される層状に配置し、前記第１の接合工程では、前記ステータコアの一端側で、隣接して配置された前記端部接続部と前記接続部とを周方向に順に溶接し、前記第２の配置工程では、前記ステータコアの軸方向の他端側に、異なる層の前記連結導体の前記接続部が前記ステータコアの周方向にずれるとともに前記ステータコアの軸方向から見て複数の前記スロットと同じ間隔で複数の前記接続部が周方向に並ぶように、且つ複数の前記接続部が周方向に前記スロット１個分進むごとに前記ステータコアの軸方向の他端面に最も近い前記連結導体の層から前記ステータコアの軸方向の他端面から最も遠い前記連結導体の層まで１層ずつ上がる階段状に繰り返し並ぶように、複数の前記連結導体を前記ステータコアの軸方向に積層される層状に配置し、前記第２の接合工程では、前記ステータコアの他端側で、隣接して配置された前記端部接続部と前記接続部とを周方向に順に溶接することをその要旨としている。
【００１６】
同構成によれば、第１の接合工程においてステータコアの軸方向の一端側で端部接続部と接続部とをステータコアの周方向に順に溶接するとき、溶接装置の溶接ガンを周方向にスロット１個分移動させるごとに、同溶接ガンをステータコアの軸方向に連結導体の層１層分ずつ移動させることで、次に端部接続部と接続部とを接続する位置に溶接ガンを配置することができる。同様に、第２の接合工程においてステータコアの軸方向の他端側で端部接続部と接続部とをステータコアの周方向に順に溶接するとき、溶接装置の溶接ガンを周方向にスロット１個分移動させるごとに、同溶接ガンをステータコアの軸方向に連結導体の層１層分ずつ移動させることで、次に端部接続部と接続部とを接続する位置に溶接ガンを配置することができる。従って、ステータコアに対して溶接ガンを軸方向に移動させる量を少なく抑えることができるため、複数のセグメント導体、即ち複数の挿入導体及び複数の連結導体からなる巻線を更に容易に形成することができる。また、ステータコアに対して溶接ガンを軸方向に移動させる量を少なく抑えることにより、溶接ガンの移動にかかる時間を短縮することができる。その結果、第１の接合工程及び第２に接合工程に要する時間を短くすることができるため、端部接続部と接続部との接続にかかるコストを減少させることができる。そして、ステータの生産性が向上するため、ひいてはステータの製造コストを減少させることができる。
【００１７】
請求項６に記載の発明は、請求項１乃至請求項５の何れか１項に記載のステータの製造方法において、前記ステータコアは、円環状をなす環状部と、該環状部の内周面から径方向内側に延びる複数のティースとを有し、前記連結導体準備工程では、前記ステータコアの周方向に沿うように配置される周方向渡り部を一対の前記接続部の間に有する複数の前記連結導体を準備し、前記第１の配置工程では、前記ステータコアの軸方向の一端側に配置される全ての前記連結導体の前記周方向渡り部を、前記環状部の径方向の厚さの範囲内に配置し、前記第１の接合工程では、前記ステータコアの軸方向の一端側で、径方向外側からアース電極を前記周方向渡り部に接触させて、隣接した前記接続部と前記挿入導体とをアーク溶接により接合し、前記第２の配置工程では、前記ステータコアの軸方向の他端側に配置される全ての前記連結導体の前記周方向渡り部を、前記環状部の径方向の厚さの範囲内に配置し、前記第２の接合工程では、前記ステータコアの軸方向の他端側で、径方向外側からアース電極を前記周方向渡り部に接触させて、隣接した前記接続部と前記挿入導体とをアーク溶接により接合することをその要旨としている。
【００１８】
同構成によれば、第１の配置工程及び第２の配置工程において、全ての連結導体の周方向渡り部を環状部の径方向の厚さの範囲内に配置するため、第１の接合工程及び第２の接合工程において、アーク溶接に用いるアース電極を径方向外側から周方向渡り部に容易に接触させることができる。従って、挿入導体と接続部とのアーク溶接による接合を容易に行うことができる。その結果、複数のセグメント導体、即ち複数の挿入導体及び複数の連結導体からなる巻線を一層容易に形成することができる。
【００１９】
請求項７に記載の発明は、請求項１乃至請求項６の何れか１項に記載のステータの製造方法において、前記挿入導体準備工程では、前記挿入導体と前記ステータコアとを電気的に絶縁するシート状の挿入用インシュレータを同じ前記スロットに挿入する複数の前記挿入導体に巻き付けて、同じ前記スロットに挿入する複数の前記挿入導体を前記挿入用インシュレータにて一体化し、前記挿入工程では、前記挿入用インシュレータにて一体化された複数の前記挿入導体を各前記スロットに挿入することをその要旨としている。
【００２０】
同構成によれば、挿入導体準備工程で準備される挿入導体は、連結導体とは別体に形成され、直線状をなしている。そのため、同挿入導体準備工程において、同じスロットに挿入する複数の挿入導体を挿入用インシュレータによって一体化することが可能であるとともに、同じスロットに挿入する複数の挿入導体を容易に一体化することができる。そして、同じスロットに挿入する複数の挿入導体は、挿入用インシュレータにて一体化されるため、当該挿入導体を一体化するために別途部品を追加しなくてもよい。また、複数の挿入導体が一体化されることで、挿入導体の取り扱いが容易となる。更に、挿入工程において、各スロットに複数の挿入導体を同時に挿入することができるため、各スロットへの挿入導体の挿入を容易に行うことができる。これらのことから、複数のセグメント導体、即ち複数の挿入導体及び複数の連結導体からなる巻線を一層容易に形成することができる。
【００２１】
請求項８に記載の発明は、請求項７に記載のステータの製造方法において、前記挿入導体準備工程では、絶縁被膜を備えない銅板に前記挿入導体の長さ以上の長さを有し平行に延びる複数本のスリットを形成することにより前記銅板を複数に分割して同じ前記スロットに挿入する複数の前記挿入導体と同数の分割部を形成した後に、前記スリットの長手方向と直交する方向に隣り合う前記分割部が前記挿入用インシュレータの一面側と他面側とに配置されるように前記スリットに前記挿入用インシュレータを挿入し、その後、前記分割部を前記銅板から切断して複数の前記挿入導体を形成すると同時に当該複数の前記挿入導体に前記挿入用インシュレータの両端部を巻き付けて複数の前記挿入導体を一体化することをその要旨としている。
【００２２】
同構成によれば、同じスロットに挿入される複数の挿入導体を形成するときに同時に、これらの挿入導体を挿入用インシュレータにて容易に一体化することができる。更に、隣り合う挿入導体同士を挿入用インシュレータにて電気的に絶縁することができる。また、絶縁被膜を備えない銅板から挿入導体を形成することにより、製造コストを低減することができる。
【発明の効果】
【００２３】
本発明のステータの製造方法によれば、複数のセグメント導体からなる巻線を容易に形成することができる。
【図面の簡単な説明】
【００２４】
【図１】ブラシレスモータの模式図。
【図２】（ａ）はステータの断面図、（ｂ）はステータの部分拡大断面図。
【図３】巻線を平面状に展開した模式図。
【図４】巻線を平面状に展開した模式図。
【図５】巻線を平面状に展開した模式図。
【図６】ステータの斜視図。
【図７】第１系統のＵ相の巻線の分解斜視図。
【図８】挿入導体と連結導体との接続部分の拡大斜視図。
【図９】（ａ）は第１連結導体の平面図、（ｂ）及び（ｃ）は第１連結導体の側面図。
【図１０】（ａ）はステータコアの一端側に積層された１層目の連結導体、ステータコア及び挿入導体の平面図、（ｂ）はステータコアの一端側に積層された１層目の連結導体、ステータコア及び挿入導体の部分拡大図。
【図１１】ステータを平面状に展開した模式図。
【図１２】（ａ）第１系統の３相巻線の結線状態を示す電気回路図、（ｂ）第２系統の３相巻線の結線状態を示す電気回路図。
【図１３】（ａ）はステータコアの他端側に積層された１層目の連結導体、ステータコア及び挿入導体の平面図、（ｂ）はステータコアの他端側に積層された１層目の連結導体、ステータコア及び挿入導体の部分拡大図。
【図１４】ステータの部分拡大斜視図。
【図１５】ステータの製造方法を説明するための模式図。
【図１６】ステータの製造方法を説明するための模式図。
【図１７】挿入導体が挿入されたステータコアの斜視図。
【図１８】ステータの製造方法を説明するための模式図。
【図１９】ステータの製造方法を説明するための模式図。
【図２０】ステータの製造方法を説明するための模式図。
【図２１】接続部が軸方向に１層ずつ上がる階段状に配置されたステータを平面状に展開した模式図。
【発明を実施するための形態】
【００２５】
以下、ステータの製造方法の一実施形態を図面に従って説明する。
まず、製造するステータを備えたブラシレスモータ１について説明する。
図１に示すように、ブラシレスモータ１のモータケース２は、有底筒状に形成されたヨーク３と、該ヨーク３の開口部を閉塞するエンドプレート４とを有する。また、ヨーク３の底部側の端部の外側には、収容ボックス５が取着されている。
【００２６】
ヨーク３の内周面には、ステータ１１が固定されている。このステータ１１は、ヨーク３の内周面に固定されたステータコア１２と、該ステータコア１２に巻装された巻線Ｍとを有する。
【００２７】
図２（ａ）に示すように、ステータコア１２は、円環状をなす環状部１３と、該環状部１３から径方向内側に延び周方向に並ぶ複数のティース１４とから構成されている。本実施形態では、ステータコア１２は、６０個のティース１４を有する。そして、これらのティース１４は、周方向に等角度間隔（本実施形態では６°間隔）に設けられている。尚、周方向に隣り合うティース１４間の空間は、スロット１５となっている。本実施形態では、ステータコア１２は、６０個のティース１４を有するため、６０個のスロット１５を有する。これらのスロット１５は、ステータコア１２の周方向に並んでいる。尚、説明の便宜上、ステータコア１２において、１つのティース１４の周方向の位置に対応した基準位置Ｐを設定する。更に、図２（ａ）において、基準位置Ｐにあるティース１４の時計方向側に位置するスロット１５から順にスロット番号「１」〜「６０」を付す。図２（ａ）においては、スロット番号は、対応するスロット１５の径方向内側に、白丸で囲んで図示している。また、図面が煩雑となることを避けるために、スロット番号「１」〜「６０」のうち、スロット番号「１」から順に５とびの番号のみを図示している。
【００２８】
図３乃至図５に示すように、前記巻線Ｍは、ステータコア１２のスロット１５に巻装されている。本実施形態の巻線Ｍは、Ｕ相、Ｖ相、Ｗ相からなる第１系統の３相巻線Ｍ１と、Ｕ相、Ｖ相、Ｗ相からなる第２系統の３相巻線Ｍ２とから構成されている。即ち、本実施形態の巻線Ｍは、合計で６相の巻線から構成されている。
【００２９】
図６に示すように、巻線Ｍは、複数のセグメント導体から構成されたセグメントコンダクタ式の巻線である。巻線Ｍは、スロット１５に挿入される複数の挿入導体２１と、複数の連結導体３１〜３５とを備えている。即ち、複数の挿入導体２１及び複数の連結導体３１〜３５がセグメント導体である。
【００３０】
図２（ａ）及び図２（ｂ）に示すように、各スロット１５には、挿入導体２１が４本ずつ挿入されている。尚、図３乃至図５においては、各スロット１５に挿入された４本の挿入導体２１のうち、径方向内側から１番目の挿入導体２１を破線で図示し、径方向内側から２番目の挿入導体２１を実線にて図示し、径方向内側から３番目の挿入導体２１を一点鎖線で図示し、径方向内側から４番目の挿入導体２１を二点鎖線で図示している。
【００３１】
図６及び図７に示すように、本実施形態では、全ての挿入導体２１は同じ形状をなしている。挿入導体２１は、絶縁被膜を備えない銅板を加工して棒状に形成されている。そして、挿入導体２１は、ステータコア１２の軸方向に沿った直線状をなしており、本実施形態では、略四角柱状をなしている。この挿入導体２１の長手方向の長さは、ステータコア１２の軸方向の長さよりも長く形成されている。そして、スロット１５にステータコア１２の軸方向から挿入された挿入導体２１は、スロット１５を軸方向に貫通し、その長手方向の両端部がスロット１５からステータコア１２の軸方向の両側に突出している。また、図２（ｂ）に示すように、挿入導体２１においてスロット１５の内部に収容された部分の周方向の幅は、スロット１５の周方向の幅よりも若干狭い幅となっている。更に挿入導体２１においてスロット１５の内部に収容された部分の径方向の幅は、スロット１５の径方向の幅の４分の１よりも若干狭い幅となっている。
【００３２】
また、図６乃至図８に示すように、挿入導体２１の長手方向の一端部（図６及び図７において左側の端部）には、第１端部接続部２２が形成されている。第１端部接続部２２は、挿入導体２１の長手方向の一端部の径方向（ステータコア１２の径方向）の幅を狭く形成した部分である。そして、第１端部接続部２２は、挿入導体２１の長手方向の一端部において、径方向内側の端部に設けられている。この第１端部接続部２２が設けられることにより、挿入導体２１の長手方向の一端部における径方向外側の端部には、段差状の凹部が形成されている。更に、挿入導体２１には、第１端部接続部２２の基端（即ち第１端部接続部２２における挿入導体２１の長手方向の中央部に近い方の端）の径方向外側に第１当接面２３が形成されている。第１当接面２３は、挿入導体２１の長手方向と略直交する平面状をなしている。
【００３３】
また、挿入導体２１の長手方向の他端部（図６及び図７において右側の端部）には、前記第１端部接続部２２と同様の形状をなす第２端部接続部２４が形成されている。第２端部接続部２４は、挿入導体２１の長手方向の他端部の径方向（ステータコア１２の径方向）の幅を狭く形成した部分である。そして、第２端部接続部２４は、挿入導体２１の長手方向の他端部において、径方向内側の端部に設けられている。この第２端部接続部２４が設けられることにより、挿入導体２１の長手方向の他端部における径方向外側の端部には、段差状の凹部が形成されている。更に、挿入導体２１には、第２端部接続部２４の基端（即ち第２端部接続部２４における挿入導体２１の長手方向の中央部に近い方の端）の径方向外側に第２当接面２５が形成されている。第２当接面２５は、挿入導体２１の長手方向と略直交する平面状をなしている。
【００３４】
図２（ａ）及び図７に示すように、各スロット１５に挿入された４本ずつの挿入導体２１の外周面は、シート状の挿入用インシュレータ４１にて外周面が覆われている。本実施形態の挿入用インシュレータ４１は、四角形状をなす絶縁紙である。そして、各スロット１５内では、径方向内側から１番目と３番目の２本の挿入導体２１（即ちスロット１５内で１本置きとなる２本の挿入導体２１）が挿入用インシュレータ４１の一面側に配置される一方、径方向内側から２番目と４番目の２本の挿入導体（即ちスロット１５内で１本置きとなる２本の挿入導体２１）が挿入用インシュレータ４１の他面側に配置されている。このため、挿入用インシュレータ４１は、径方向に隣り合う挿入導体２１の間に介在されて、径方向に並ぶ４本の挿入導体２１の間に互い違いに波状に挟み込まれている。そして、挿入用インシュレータ４１の一端部（挿入用インシュレータ４１において挿入導体２１の長手方向と直交する方向の一端部）は、スロット１５内の径方向内側から１番目の挿入導体２１を巻き込むように折り返されて、４本の挿入導体２１と該挿入導体２１の時計方向側に位置するティース１４（スロット１５の内周面）との間に介在されている。また、挿入用インシュレータ４１の他端部（挿入用インシュレータ４１において挿入導体２１の長手方向と直交する方向の他端部）は、スロット１５内の径方向内側から４番目の挿入導体２１を巻き込むように折り返されて、４本の挿入導体２１と該挿入導体２１の反時計方向側に位置するティース１４（スロット１５の内周面）との間に介在されている。この挿入用インシュレータ４１は、軸方向の長さがステータコア１２の軸方向の長さよりも長く、同じスロット１５に挿入された４本の挿入導体２１における第１端部接続部２２と第２端部接続部２４との間の部分の外周面を被覆している。そして、挿入用インシュレータ４１は、挿入導体２１とステータコア１２とを電気的に絶縁している。更に、この挿入用インシュレータ４１は、同じスロット１５に挿入された４本の挿入導体２１において隣り合う挿入導体２１同士の間に介在されて同挿入導体２１同士の電気的な絶縁性も確保している。
【００３５】
図６に示すように、ステータコア１２の軸方向の一端側（図６において左側であって前記第１端部接続部２２が突出した側）には、連結導体３１，３２，３３（即ち第１連結導体３１、第２連結導体３２及び第３連結導体３３）が軸方向に層状に積層されている。本実施形態では、連結導体３１，３２，３３は、ステータコア１２の軸方向の一端側で巻線Ｍの相の数と同数の６層積層されている。
【００３６】
図６、図７及び図１０（ａ）に示すように、ステータコア１２の軸方向の一端側に積層された連結導体３１，３２，３３のうち、ステータコア１２の軸方向の一端面に最も近い１層目の連結導体３１，３２，３３は、第１系統の３相巻線Ｍ１のＵ相の巻線Ｍ１ｕを構成するものである。ステータコア１２の軸方向の一端側に積層された連結導体３１，３２，３３の層のうち、１層目は、９個の第１連結導体３１、９個の第２連結導体３２及び１個の第３連結導体３３から構成されている。
【００３７】
図９（ａ）及び図１０（ｂ）に示すように、第１連結導体３１は、絶縁被膜を備えない導電性板材から形成されており、その長手方向の複数箇所が屈曲された帯状をなしている。第１連結導体３１は、ステータコア１２の周方向に沿うように延びる第１周方向渡り部５１と、該第１周方向渡り部５１の周方向（本実施形態では第１周方向渡り部５１の長手方向に同じ）の両端部から径方向に延びる２つの第１径方向渡り部５２，５３とから構成されている。
【００３８】
図９（ｂ）及び図１０（ｂ）に示すように、第１周方向渡り部５１は軸方向の幅Ｈ１が一定の帯状をなしている。また、本実施形態の第１周方向渡り部５１の厚さ（ステータコア１２の径方向における厚さ）は、ステータコア１２の環状部１３の径方向の幅の半分以下の厚さとなっている。更に、第１周方向渡り部５１は、環状部１３の周方向に沿うように長手方向の複数箇所が屈曲されており、ステータコア１２の軸方向から見て環状部１３の径方向の幅の範囲内に収まるように形成されている。また、第１周方向渡り部５１は、周方向に連続して並ぶ５個のスロット１５を周方向に跨ぐ長さに形成されている。
【００３９】
第１連結導体３１において、２つの前記第１径方向渡り部５２，５３は、第１周方向渡り部５１の周方向の両端部からステータコア１２の径方向に沿って径方向内側に延びている。第１径方向渡り部５２は軸方向の幅Ｈ２が一定の帯状をなすとともに、第１径方向渡り部５３は軸方向の幅Ｈ３が一定の帯状をなしている。本実施形態では、第１径方向渡り部５２の軸方向の幅Ｈ２及び第１径方向渡り部５３の軸方向の幅Ｈ３は、第１周方向渡り部５１の軸方向の幅Ｈ１と等しい。また、各第１径方向渡り部５２，５３の厚さは、ティース１４の周方向の幅の半分以下の幅となっており、本実施形態では、第１周方向渡り部５１の厚さと等しい。即ち、本実施形態の第１連結導体３１は、その長手方向の全体に亘って軸方向の幅及び厚さが一定であり、長手方向に沿って断面積が一定となっている。
【００４０】
図１０（ａ）及び図１０（ｂ）に示すように、第１連結導体３１における２つの第１径方向渡り部５２，５３のうち、ステータコア１２の軸方向の一方側（第１端部接続部２２側）から見て反時計方向側に位置する一方の第１径方向渡り部５２の先端部には、第１接続部５４が形成されている。第１接続部５４は、第１径方向渡り部５２の先端部を他方の第１径方向渡り部５３と反対側に略直角に屈曲して形成されている。そして、第１径方向渡り部５２の径方向の長さは、第１周方向渡り部５１が環状部１３上に位置するように第１連結導体３１がステータコア１２の軸方向の一端側に配置された状態において、スロット１５に挿入された４本の挿入導体２１のうち径方向内側から２番目の挿入導体２１の第１当接面２３に第１接続部５４が達する長さとなっている。また、第１接続部５４の長さ（第１接続部５４の基端と先端との間の長さ）は、第１当接面２３の周方向の長さより若干長く形成されている。更に、第１接続部５４の厚さは、第１当接面２３の径方向の幅と略等しくなっている。
【００４１】
図９（ｂ）、図９（ｃ）及び図１０（ａ）に示すように、第１接続部５４を有する第１径方向渡り部５２は、第１周方向渡り部５１に対してその基端から先端までステータコア１２の軸方向の位置が変化していない。そして、第１径方向渡り部５２は、第１周方向渡り部５１におけるステータコア１２の軸方向の幅Ｈ１の範囲内に位置する。本実施形態では、第１径方向渡り部５２は、第１周方向渡り部５１におけるステータコア１２の軸方向の幅Ｈ１の範囲と同じ範囲に亘って形成されている。
【００４２】
図１０（ａ）及び図１０（ｂ）に示すように、第１連結導体３１における２つの第１径方向渡り部５２，５３のうち、ステータコア１２の軸方向の一方側（第１端部接続部２２側）から見て時計方向側に位置する他方の第１径方向渡り部５３の先端部には、第２接続部５５が形成されている。第２接続部５５は、第１径方向渡り部５３の先端部を一方の第１径方向渡り部５２と反対側に略直角に屈曲して形成されている。そして、第１径方向渡り部５３の径方向の長さは、第１周方向渡り部５１が環状部１３上に位置するように第１連結導体３１がステータコア１２の軸方向の一端側に配置された状態において、スロット１５に挿入された４本の挿入導体２１のうち径方向内側から４番目の挿入導体２１の第１当接面２３に第１接続部５４が達する長さとなっている。また、第２接続部５５の長さ（第２接続部５５の基端と先端との間の長さ）は、第１当接面２３の周方向の長さより若干長く形成されている。更に、第２接続部５５の厚さは、第１当接面２３の径方向の幅と略等しくなっている。
【００４３】
図９（ｂ）及び図１０（ａ）に示すように、第２接続部５５を有する第１径方向渡り部５３は、第１周方向渡り部５１に対してその基端から先端までステータコア１２の軸方向の位置が変化していない。そして、第１径方向渡り部５３は、第１周方向渡り部５１におけるステータコア１２の軸方向の幅Ｈ１の範囲内に位置する。本実施形態では、第１径方向渡り部５３は、第１周方向渡り部５１におけるステータコア１２の軸方向の幅Ｈ１の範囲と同じ範囲に亘って形成されている。即ち、本実施形態の第１連結導体３１においては、第１周方向渡り部５１は、ステータコア１２の軸方向には、第１径方向渡り部５２におけるステータコア１２の軸方向の幅Ｈ２及び第１径方向渡り部５３におけるステータコア１２の軸方向の幅Ｈ３の範囲と同じ範囲に形成されている。
【００４４】
図１０（ａ）及び図１０（ｂ）に示すように、このような第１連結導体３１は、ステータコア１２の軸方向の一端側で、６個離れた位置にある（即ち５個置きの）２つのスロット１５のうち反時計方向側の一方のスロット１５に挿入された径方向内側から２番目の挿入導体２１と、時計方向側の他方のスロット１５に挿入された径方向内側から４番目の挿入導体２１とを連結する。第１連結導体３１の第１接続部５４は、接続される挿入導体２１の第１端部接続部２２の径方向外側に配置されて同第１端部接続部２２と径方向に隣り合うとともに、第１当接面２３上に配置されている。そして、同第１接続部５４と第１端部接続部２２とが接合されている。また、第１連結導体３１の第２接続部５５は、接続される挿入導体２１の第１端部接続部２２の径方向外側に配置されて同第１端部接続部２２と径方向に隣り合うとともに、第１当接面２３上に配置されている。そして、同第２接続部５５と第１端部接続部２２とが接合されている。尚、第１径方向渡り部５２における第１接続部５４よりも基端側の部分、及び第１径方向渡り部５３における第２接続部５５よりも基端側の部分は、それぞれティース１４の軸方向の一端側に配置されている。
【００４５】
そして、ステータコア１２の軸方向の一端側で１層目に積層された、第１系統の３相巻線Ｍ１のＵ相の巻線Ｍ１ｕを構成する９個の第１連結導体３１は、周方向に等角度間隔（本実施形態では３６°間隔）に並設されている。また、当該９個の第１連結導体３１は、第１周方向渡り部５１が環状部１３上に（環状部１３と軸方向に並ぶ位置に）配置されるとともに、第１径方向渡り部５２，５３がそれぞれティース１４上に（ティース１４と軸方向に並ぶ位置に）配置されている。そして、当該９個の第１連結導体３１は、径方向の位置が等しく配置されるとともに、軸方向の位置が等しく配置されている。また、当該９個の第１連結導体３１の第１径方向渡り部５２の第１接続部５４は、スロット番号「５５」，「１」，「７」，「１３」，「１９」，「２５」，「３１」，「３７」，「４３」のスロット１５に挿入された４本の挿入導体２１のうち径方向内側から２番目の挿入導体２１の第１端部接続部２２に接続されている。また当該９個の第１連結導体３１の第１径方向渡り部５３の第２接続部５５は、各第１連結導体３１の第１接続部５４が接続された挿入導体２１が挿入されたスロット１５から時計方向に６個進んだ位置にあるスロット１５に挿入された４本の挿入導体２１のうち径方向内側から４番目の挿入導体２１の第１端部接続部２２に接続されている。即ち、当該９個の第１連結導体３１の第１径方向渡り部５３の第２接続部５５は、スロット番号「１」，「７」，「１３」，「１９」，「２５」，「３１」，「３７」，「４３」，「４９」のスロット１５に挿入された４本の挿入導体２１のうち径方向内側から４番目の挿入導体２１の第１端部接続部２２に接続されている。
【００４６】
前記第２連結導体３２は、前記第１連結導体３１と同様に、絶縁被膜を備えない導電性板材から形成されており、その長手方向の複数箇所が屈曲された帯状をなしている。第２連結導体３２は、ステータコア１２の周方向に沿うように延びる第２周方向渡り部５６と、該第２周方向渡り部５６の周方向（本実施形態では第２周方向渡り部５６の長手方向に同じ）の両端部から径方向に延びる２つの第２径方向渡り部５７，５８とから構成されている。
【００４７】
図７、図１０（ａ）及び図１０（ｂ）に示すように、第２周方向渡り部５６は軸方向の幅が一定の帯状をなしている。そして、本実施形態の第２周方向渡り部５６の軸方向の幅は、前記第１周方向渡り部５１の軸方向の幅Ｈ１と等しい。また、本実施形態の第２周方向渡り部５６の厚さ（ステータコア１２の径方向における厚さ）は、第１周方向渡り部５１の厚さと等しく、ステータコア１２の環状部１３の径方向の幅の半分以下の厚さとなっている。更に、第２周方向渡り部５６は、環状部１３の周方向に沿うように長手方向の複数箇所が屈曲されており、ステータコア１２の軸方向から見て環状部１３の径方向の幅の範囲内に収まるように形成されている。また、第２周方向渡り部５６は、周方向に連続して並ぶ５個のスロット１５を周方向に跨ぐ長さに形成されるとともに、その周方向の長さは、第１周方向渡り部５１の周方向の長さよりも若干短く形成されている。
【００４８】
第２連結導体３２において、２つの前記第２径方向渡り部５７，５８は、第２周方向渡り部５６の周方向の両端部からステータコア１２の径方向に沿って径方向内側に延びている。第２径方向渡り部５７，５８は軸方向の幅が一定の帯状をなしている。本実施形態では、第２径方向渡り部５７，５８の軸方向の幅は、第２周方向渡り部５６の軸方向の幅と等しい。また、各第２径方向渡り部５７，５８の厚さは、ティース１４の周方向の幅の半分以下の幅となっており、本実施形態では、第２周方向渡り部５６の厚さと等しい。即ち、本実施形態の第２連結導体３２は、その長手方向の全体に亘って軸方向の幅及び厚さが一定であり、長手方向に沿って断面積が一定となっている。
【００４９】
第２連結導体３２における２つの第２径方向渡り部５７，５８のうち、ステータコア１２の軸方向の一方側（第１端部接続部２２側）から見て反時計方向側に位置する一方の第２径方向渡り部５７の先端部には、前記第１径方向渡り部５２の先端部に形成された第１接続部５４と同様の第１接続部５４が形成されている。第１接続部５４は、第２径方向渡り部５７の先端部を他方の第２径方向渡り部５８と反対側に略直角に屈曲して形成されている。そして、第２径方向渡り部５７の径方向の長さは、第２周方向渡り部５６が環状部１３上に位置するように第２連結導体３２がステータコア１２の軸方向の一端側に配置された状態において、スロット１５に挿入された４本の挿入導体２１のうち径方向内側から１番目の挿入導体２１の第１当接面２３に第１接続部５４が達する長さとなっている。
【００５０】
第１接続部５４を有する第２径方向渡り部５７は、第２周方向渡り部５６に対してその基端から先端までステータコア１２の軸方向の位置が変化していない。そして、第２径方向渡り部５７は、第２周方向渡り部５６におけるステータコア１２の軸方向の幅の範囲内に位置する。本実施形態では、第２径方向渡り部５７は、第２周方向渡り部５６におけるステータコア１２の軸方向の幅の範囲と同じ範囲に亘って形成されている。
【００５１】
第２連結導体３２における２つの第２径方向渡り部５７，５８のうち、ステータコア１２の軸方向の一方側（第１端部接続部２２側）から見て時計方向側に位置する他方の第２径方向渡り部５８の先端部には、前記第１径方向渡り部５３の先端部に形成された第２接続部５５と同様の第２接続部５５が形成されている。第２接続部５５は、第２径方向渡り部５８の先端部を一方の第２径方向渡り部５７と反対側に略直角に屈曲して形成されている。そして、第２径方向渡り部５８の径方向の長さは、第２周方向渡り部５６が環状部１３上に位置するように第２連結導体３２がステータコア１２の軸方向の一端側に配置された状態において、スロット１５に挿入された４本の挿入導体２１のうち径方向内側から３番目の挿入導体２１の第１当接面２３に第１接続部５４が達する長さとなっている。
【００５２】
第２接続部５５を有する第２径方向渡り部５８は、第２周方向渡り部５６に対してその基端から先端までステータコア１２の軸方向の位置が変化していない。そして、第２径方向渡り部５８は、第２周方向渡り部５６におけるステータコア１２の軸方向の幅の範囲内に位置する。本実施形態では、第２径方向渡り部５８は、第２周方向渡り部５６におけるステータコア１２の軸方向の幅の範囲と同じ範囲に亘って形成されている。即ち、本実施形態の第２連結導体３２においては、第２周方向渡り部５６は、ステータコア１２の軸方向には、第２径方向渡り部５７，５８におけるステータコア１２の軸方向の厚さの範囲と同じ範囲に形成されている。
【００５３】
このような第２連結導体３２は、ステータコア１２の軸方向の一端側で、６個離れた位置にある（即ち５個置きの）２つのスロット１５のうち反時計方向側の一方のスロット１５に挿入された径方向内側から１番目の挿入導体２１と、時計方向側の他方のスロット１５に挿入された径方向内側から３番目の挿入導体２１とを連結する。第２連結導体３２の第１接続部５４は、接続される挿入導体２１の第１端部接続部２２の径方向外側に配置されて同第１端部接続部２２と径方向に隣り合うとともに、第１当接面２３上に配置されている。そして、同第１接続部５４と第１端部接続部２２とが接合されている。また、第２連結導体３２の第２接続部５５は、接続される挿入導体２１の第１端部接続部２２の径方向外側に配置されて同第１端部接続部２２と径方向に隣り合うとともに、第１当接面２３上に配置されている。そして、同第２接続部５５と第１端部接続部２２とが接合されている。尚、第２径方向渡り部５７における第１接続部５４よりも基端側の部分、及び第２径方向渡り部５８における第２接続部５５よりも基端側の部分は、それぞれティース１４の軸方向の一端側に配置されている。
【００５４】
そして、ステータコア１２の軸方向の一端側で１層目に積層された、第１系統の３相巻線Ｍ１のＵ相の巻線Ｍ１ｕを構成する９個の第２連結導体３２は、周方向に並んだ９個の第１連結導体３１の径方向内側に配置されて周方向に等角度間隔（本実施形態では３６°間隔）に並設されている。即ち、各第１連結導体３１の内側に第２連結導体３２がそれぞれ配置されている。各第１連結導体３１の内側に配置された第２連結導体３２は、第１連結導体３１と径方向に離間している。また、当該９個の第２連結導体３２の第２周方向渡り部５６は、第１径方向渡り部５２の径方向内側で環状部１３上に（環状部１３と軸方向に並ぶ位置に）配置されている。更に、当該９個の第２連結導体３２は、第２径方向渡り部５７が第１径方向渡り部５２と共にティース１４上に（ティース１４と軸方向に並ぶ位置に）配置される一方、第２径方向渡り部５８が第１径方向渡り部５３と共にティース１４上に（ティース１４と軸方向に並ぶ位置に）配置されている。そして、当該９個の第２連結導体３２は、径方向の位置が等しく配置されるとともに、軸方向の位置が等しく配置されており、更に、ステータコア１２の軸方向の一端側で１層目に積層された前記９個の第１連結導体３１と軸方向の位置が等しい。また、当該９個の第２連結導体３２の第２径方向渡り部５７の第１接続部５４は、スロット番号「５５」，「１」，「７」，「１３」，「１９」，「２５」，「３１」，「３７」，「４３」のスロット１５に挿入された４本の挿入導体２１のうち径方向内側から１番目の挿入導体２１の第１端部接続部２２に接続されている。また当該９個の第２連結導体３２の第２径方向渡り部５８の第２接続部５５は、各第２連結導体３２の第１接続部５４が接続された挿入導体２１が挿入されたスロット１５から時計方向に６個進んだ位置にあるスロット１５に挿入された４本の挿入導体２１のうち径方向内側から３番目の挿入導体２１の第１端部接続部２２に接続されている。即ち、当該９個の第２連結導体３２の第２径方向渡り部５８の第２接続部５５は、スロット番号「１」，「７」，「１３」，「１９」，「２５」，「３１」，「３７」，「４３」，「４９」のスロット１５に挿入された４本の挿入導体２１のうち径方向内側から２番目の挿入導体２１の第１端部接続部２２に接続されている。
【００５５】
図７及び図１０（ａ）に示すように、前記第３連結導体３３は、前記第１連結導体３１と同様に、絶縁被膜を備えない導電性板材から形成されており、その長手方向の複数箇所が屈曲された帯状をなしている。第３連結導体３３は、ステータコア１２の周方向に沿うように延びる第３周方向渡り部６１と、該第３周方向渡り部６１の周方向（本実施形態では第３周方向渡り部６１の長手方向に同じ）の両端部から径方向に延びる２つの第３径方向渡り部６２，６３とから構成されている。
【００５６】
第３周方向渡り部６１は、前記第１周方向渡り部５１と同じ形状をなしている。そして、２つの第３径方向渡り部６２，６３は、第３周方向渡り部６１の周方向の両端部からステータコア１２の径方向に沿って径方向内側に延びている。第３径方向渡り部６２，６３は、軸方向の幅が一定の帯状をなしている。本実施形態では、第３径方向渡り部６２，６３の軸方向の幅は、第３周方向渡り部６１の軸方向の幅と等しい。また、各第３径方向渡り部６２，６３の厚さは、ティース１４の周方向の幅の半分以下の厚さとなっており、本実施形態では、第３周方向渡り部６１の厚さと等しい。即ち、本実施形態の第３連結導体３３は、その長手方向の全体に亘って軸方向の幅及び厚さが一定であり、長手方向に沿って断面積が一定となっている。
【００５７】
第３連結導体３３における２つの第３径方向渡り部６２，６３のうち、ステータコア１２の軸方向の一方側（第１端部接続部２２側）から見て反時計方向側に位置する一方の第２径方向渡り部５７は、第１連結導体３１の第１径方向渡り部５２と同じ形状をなしており、その先端部に第１接続部５４を有する。そして、第３径方向渡り部６２は、第３周方向渡り部６１に対してその基端から先端までステータコア１２の軸方向の位置が変化していない。更に、第３径方向渡り部６２は、第３周方向渡り部６１におけるステータコア１２の軸方向の幅の範囲内に位置する。本実施形態では、第３径方向渡り部６２は、第３周方向渡り部６１におけるステータコア１２の軸方向の幅の範囲と同じ範囲に亘って形成されている。
【００５８】
第３連結導体３３における２つの第３径方向渡り部６２，６３のうち、ステータコア１２の軸方向の一方側（第１端部接続部２２側）から見て時計方向側に位置する他方の第３径方向渡り部６３の先端部には、前記第１径方向渡り部５３の先端部に形成された第２接続部５５と同様の第２接続部５５が形成されている。第２接続部５５は、第３径方向渡り部６３の先端部を一方の第３径方向渡り部６２と反対側に略直角に屈曲して形成されている。そして、第３径方向渡り部６３の径方向の長さは、第３周方向渡り部６１が環状部１３上に位置するように第３連結導体３３がステータコア１２の軸方向の一端側に配置された状態において、スロット１５に挿入された４本の挿入導体２１のうち径方向内側から３番目の挿入導体２１の第１当接面２３に第１接続部５４が達する長さとなっている。
【００５９】
第２接続部５５を有する第３径方向渡り部６３は、第３周方向渡り部６１に対してその基端から先端までステータコア１２の軸方向の位置が変化していない。そして、第３径方向渡り部６３は、第３周方向渡り部６１におけるステータコア１２の軸方向の幅の範囲内に位置する。本実施形態では、第３径方向渡り部６３は、第３周方向渡り部６１におけるステータコア１２の軸方向の幅の範囲と同じ範囲に亘って形成されている。即ち、本実施形態の第３連結導体３３においては、第３周方向渡り部６１は、ステータコア１２の軸方向には、第３径方向渡り部６２，６３におけるステータコア１２の軸方向の厚さの範囲と同じ範囲に形成されている。
【００６０】
そして、ステータコア１２の軸方向の一端側で１層目に積層された、第１系統の３相巻線Ｍ１のＵ相の巻線Ｍ１ｕを構成する１個の第３連結導体３３は、９個の第１連結導体３１と共に周方向に並んでいる。第３連結導体３３は、周方向に隣り合う第１連結導体３１とは３６°間隔となっている。また、第３連結導体３３の第３周方向渡り部６１は、環状部１３上に（環状部１３と軸方向に並ぶ位置に）配置されるとともに、その径方向の位置が、周方向に隣り合う第１連結導体３１の第１周方向渡り部５１の径方向の位置と等しい。更に、第３連結導体３３は、ステータコア１２の軸方向の一端側で１層目に積層された前記９個の第１連結導体３１と軸方向の位置が等しい。
【００６１】
また、当該第３連結導体３３は、ステータコア１２の軸方向の一端側で、６個離れた位置にある（即ち５個置きの）２つのスロット１５のうち反時計方向側の一方のスロット１５に挿入された径方向内側から２番目の挿入導体２１と、時計方向側の他方のスロット１５に挿入された径方向内側から３番目の挿入導体２１とを連結する。そして、第３連結導体３３の第３径方向渡り部６２の第１接続部５４は、スロット番号「４９」のスロット１５に挿入された４本の挿入導体２１のうち径方向内側から２番目の挿入導体２１の第１端部接続部２２の径方向外側に配置されて同第１端部接続部２２と径方向に隣り合うとともに、第１当接面２３上に配置されている。そして、同第１接続部５４と第１端部接続部２２とが接合されている。更に、同第３連結導体３３の第３径方向渡り部６３は、スロット番号「５５」のスロット１５に挿入された４本の挿入導体２１のうち径方向内側から３番目の挿入導体２１の第１端部接続部２２の径方向外側に配置されて同第１端部接続部２２と径方向に隣り合うとともに、第１当接面２３上に配置されている。そして、同第２接続部５５と第１端部接続部２２とが接合されている。尚、第３径方向渡り部６２における第１接続部５４よりも基端側の部分、及び第３径方向渡り部６３における第２接続部５５よりも基端側の部分は、それぞれティース１４の軸方向の一端側に配置されている。
【００６２】
図６に示すように、ステータコア１２の軸方向の一端側に積層された連結導体３１，３２，３３のうち２層目の連結導体３１，３２，３３は、第２系統の３相巻線Ｍ２のＵ相の巻線Ｍ２ｕを構成するものである。図６及び図１０（ａ）に示すように、ステータコア１２の軸方向の一端側に積層された連結導体３１，３２，３３の層のうち、２層目は、上記した１層目と同様に、９個の第１連結導体３１、９個の第２連結導体３２及び１個の第３連結導体３３から構成されている。ステータコア１２の軸方向の一端側で２層目に積層された連結導体３１〜３３は、ステータコア１２の軸方向の一端側（即ち第１端部接続部２２側）から見て、ステータコア１２の軸方向の一端側で第１系統のＵ相の巻線Ｍ１ｕを構成する１層目の連結導体３１〜３３を時計方向に６°（即ち１スロット分）回転させた状態に配置されている。
【００６３】
図３乃至図５に示すように、ステータコア１２の軸方向の一端側で２層目に積層された９個の第１連結導体３１の第１接続部５４は、スロット番号「５６」，「２」，「８」，「１４」，「２０」，「２６」，「３２」，「３８」，「４４」のスロット１５内の径方向内側から２番目の挿入導体２１の第１端部接続部２２に接続されている。更に、当該９個の第１連結導体３１の第２接続部５５は、各第１連結導体３１の第１接続部５４が接続された挿入導体２１が挿入されたスロット１５からスロット番号が加算される方向に６個進んだ位置にあるスロット１５内の径方向内側から４番目の挿入導体２１の第１端部接続部２２に接続されている。即ち、当該９個の第１連結導体３１の第２接続部５５は、スロット番号「２」，「８」，「１４」，「２０」，「２６」，「３２」，「３８」，「４４」，「５０」のスロット１５に挿入された４本の挿入導体２１のうち径方向内側から４番目の挿入導体２１の第１端部接続部２２に接続されている。
【００６４】
また、ステータコア１２の軸方向の一端側で２層目に積層された９個の第２連結導体３２の第１接続部５４は、スロット番号「５６」，「２」，「８」，「１４」，「２０」，「２６」，「３２」，「３８」，「４４」のスロット１５内の径方向内側から１番目の挿入導体２１の第１端部接続部２２に接続されている。更に、当該９個の第２連結導体３２の第２接続部５５は、各第２連結導体３２の第１接続部５４が接続された挿入導体２１が挿入されたスロット１５からスロット番号が加算される方向に６個進んだ位置にあるスロット１５内の径方向内側から３番目の挿入導体２１の第１端部接続部２２に接続されている。即ち、当該９個の第２連結導体３２の第２接続部５５は、スロット番号「２」，「８」，「１４」，「２０」，「２６」，「３２」，「３８」，「４４」，「５０」のスロット１５に挿入された４本の挿入導体２１のうち径方向内側から３番目の挿入導体２１の第１端部接続部２２に接続されている。
【００６５】
更に、ステータコア１２の軸方向の一端側で２層目に積層された１個の第３連結導体３３の第１接続部５４は、スロット番号「５０」のスロット１５に挿入された４本の挿入導体２１のうち径方向内側から２番目の挿入導体２１の第１端部接続部２２に接続されている。その一方、同第３連結導体３３の第２接続部５５は、スロット番号「５６」のスロット１５に挿入された４本の挿入導体２１のうち径方向内側から３番目の挿入導体２１の第１端部接続部２２に接続されている。
【００６６】
図６に示すように、ステータコア１２の軸方向の一端側に積層された連結導体３１，３２，３３のうち３層目の連結導体３１，３２，３３は、第２系統の３相巻線Ｍ２のＷ相の巻線Ｍ２ｗを構成するものである。図６及び図１０（ａ）に示すように、ステータコア１２の軸方向の一端側に積層された連結導体３１，３２，３３の層のうち、３層目は、上記した１層目と同様に、９個の第１連結導体３１、９個の第２連結導体３２及び１個の第３連結導体３３から構成されている。ステータコア１２の軸方向の一端側で２層目に積層された連結導体３１〜３３は、ステータコア１２の軸方向の一端側（即ち第１端部接続部２２側）から見て、ステータコア１２の軸方向の一端側で第１系統のＵ相の巻線Ｍ１ｕを構成する１層目の連結導体３１〜３３を反時計方向に６°（即ち１スロット分）回転させた状態に配置されている。
【００６７】
図３乃至図５に示すように、ステータコア１２の軸方向の一端側で３層目に積層された９個の第１連結導体３１の第１接続部５４は、スロット番号「５４」，「６０」，「６」，「１２」，「１８」，「２４」，「３０」，「３６」，「４２」のスロット１５内の径方向内側から２番目の挿入導体２１の第１端部接続部２２に接続されている。更に、当該９個の第１連結導体３１の第２接続部５５は、各第１連結導体３１の第１接続部５４が接続された挿入導体２１が挿入されたスロット１５からスロット番号が加算される方向に６個進んだ位置にあるスロット１５内の径方向内側から４番目の挿入導体２１の第１端部接続部２２に接続されている。即ち、当該９個の第１連結導体３１の第２接続部５５は、スロット番号「６０」，「６」，「１２」，「１８」，「２４」，「３０」，「３６」，「４２」，「４８」のスロット１５に挿入された４本の挿入導体２１のうち径方向内側から４番目の挿入導体２１の第１端部接続部２２に接続されている。
【００６８】
また、ステータコア１２の軸方向の一端側で３層目に積層された９個の第２連結導体３２の第１接続部５４は、スロット番号「５４」，「６０」，「６」，「１２」，「１８」，「２４」，「３０」，「３６」，「４２」のスロット１５内の径方向内側から１番目の挿入導体２１の第１端部接続部２２に接続されている。更に、当該９個の第２連結導体３２の第２接続部５５は、各第２連結導体３２の第１接続部５４が接続された挿入導体２１が挿入されたスロット１５からスロット番号が加算される方向に６個進んだ位置にあるスロット１５内の径方向内側から３番目の挿入導体２１の第１端部接続部２２に接続されている。即ち、当該９個の第２連結導体３２の第２接続部５５は、スロット番号「６０」，「６」，「１２」，「１８」，「２４」，「３０」，「３６」，「４２」，「４８」のスロット１５に挿入された４本の挿入導体２１のうち径方向内側から３番目の挿入導体２１の第１端部接続部２２に接続されている。
【００６９】
更に、ステータコア１２の軸方向の一端側で３層目に積層された１個の第３連結導体３３の第１接続部５４は、スロット番号「４８」のスロット１５に挿入された４本の挿入導体２１のうち径方向内側から２番目の挿入導体２１の第１端部接続部２２に接続されている。その一方、同第３連結導体３３の第２接続部５５は、スロット番号「５４」のスロット１５に挿入された４本の挿入導体２１のうち径方向内側から３番目の挿入導体２１の第１端部接続部２２に接続されている。
【００７０】
図６に示すように、ステータコア１２の軸方向の一端側に積層された連結導体３１，３２，３３のうち４層目の連結導体３１，３２，３３は、第１系統の３相巻線Ｍ１のＶ相の巻線Ｍ１ｖを構成するものである。図６及び図１０（ａ）に示すように、ステータコア１２の軸方向の一端側に積層された連結導体３１，３２，３３の層のうち、４層目は、上記した１層目と同様に、９個の第１連結導体３１、９個の第２連結導体３２及び１個の第３連結導体３３から構成されている。ステータコア１２の軸方向の一端側で４層目に積層された連結導体３１〜３３は、ステータコア１２の軸方向の一端側（即ち第１端部接続部２２側）から見て、ステータコア１２の軸方向の一端側で第１系統のＵ相の巻線Ｍ１ｕを構成する１層目の連結導体３１〜３３を時計方向に１２°（即ち２スロット分）回転させた状態に配置されている。
【００７１】
図３乃至図５に示すように、ステータコア１２の軸方向の一端側で４層目に積層された９個の第１連結導体３１の第１接続部５４は、スロット番号「５７」，「３」，「９」，「１５」，「２１」，「２７」，「３３」，「３９」，「４５」のスロット１５内の径方向内側から２番目の挿入導体２１の第１端部接続部２２に接続されている。更に、当該９個の第１連結導体３１の第２接続部５５は、各第１連結導体３１の第１接続部５４が接続された挿入導体２１が挿入されたスロット１５からスロット番号が加算される方向に６個進んだ位置にあるスロット１５内の径方向内側から４番目の挿入導体２１の第１端部接続部２２に接続されている。即ち、当該９個の第１連結導体３１の第２接続部５５は、スロット番号「３」，「９」，「１５」，「２１」，「２７」，「３３」，「３９」，「４５」，「５１」のスロット１５に挿入された４本の挿入導体２１のうち径方向内側から４番目の挿入導体２１の第１端部接続部２２に接続されている。
【００７２】
また、ステータコア１２の軸方向の一端側で４層目に積層された９個の第２連結導体３２の第１接続部５４は、スロット番号「５７」，「３」，「９」，「１５」，「２１」，「２７」，「３３」，「３９」，「４５」のスロット１５内の径方向内側から１番目の挿入導体２１の第１端部接続部２２に接続されている。更に、当該９個の第２連結導体３２の第２接続部５５は、各第２連結導体３２の第１接続部５４が接続された挿入導体２１が挿入されたスロット１５からスロット番号が加算される方向に６個進んだ位置にあるスロット１５内の径方向内側から３番目の挿入導体２１の第１端部接続部２２に接続されている。即ち、当該９個の第２連結導体３２の第２接続部５５は、スロット番号「３」，「９」，「１５」，「２１」，「２７」，「３３」，「３９」，「４５」，「５１」のスロット１５に挿入された４本の挿入導体２１のうち径方向内側から３番目の挿入導体２１の第１端部接続部２２に接続されている。
【００７３】
更に、ステータコア１２の軸方向の一端側で４層目に積層された１個の第３連結導体３３の第１接続部５４は、スロット番号「５１」のスロット１５に挿入された４本の挿入導体２１のうち径方向内側から２番目の挿入導体２１の第１端部接続部２２に接続されている。その一方、同第３連結導体３３の第２接続部５５は、スロット番号「５７」のスロット１５に挿入された４本の挿入導体２１のうち径方向内側から３番目の挿入導体２１の第１端部接続部２２に接続されている。
【００７４】
図６に示すように、ステータコア１２の軸方向の一端側に積層された連結導体３１，３２，３３のうち５層目の連結導体３１，３２，３３は、第１系統の３相巻線Ｍ１のＷ相の巻線Ｍ１ｗを構成するものである。図６及び図１０（ａ）に示すように、ステータコア１２の軸方向の一端側に積層された連結導体３１，３２，３３の層のうち、５層目は、上記した１層目と同様に、９個の第１連結導体３１、９個の第２連結導体３２及び１個の第３連結導体３３から構成されている。ステータコア１２の軸方向の一端側で５層目に積層された連結導体３１〜３３は、ステータコア１２の軸方向の一端側（即ち第１端部接続部２２側）から見てステータコア１２の軸方向の一端側で第１系統のＵ相の巻線Ｍ１ｕを構成する１層目の連結導体３１〜３３を反時計方向に１２°（即ち２スロット分）回転させた状態に配置されている。
【００７５】
図３乃至図５に示すように、ステータコア１２の軸方向の一端側で５層目に積層された９個の第１連結導体３１の第１接続部５４は、スロット番号「５３」，「５９」，「５」，「１１」，「１７」，「２３」，「２９」，「３５」，「４１」のスロット１５内の径方向内側から２番目の挿入導体２１の第１端部接続部２２に接続されている。更に、当該９個の第１連結導体３１の第２接続部５５は、各第１連結導体３１の第１接続部５４が接続された挿入導体２１が挿入されたスロット１５からスロット番号が加算される方向に６個進んだ位置にあるスロット１５内の径方向内側から４番目の挿入導体２１の第１端部接続部２２に接続されている。即ち、当該９個の第１連結導体３１の第２接続部５５は、スロット番号「５９」，「５」，「１１」，「１７」，「２３」，「２９」，「３５」，「４１」，「４７」のスロット１５に挿入された４本の挿入導体２１のうち径方向内側から４番目の挿入導体２１の第１端部接続部２２に接続されている。
【００７６】
また、ステータコア１２の軸方向の一端側で５層目に積層された９個の第２連結導体３２の第１接続部５４は、スロット番号「５３」，「５９」，「５」，「１１」，「１７」，「２３」，「２９」，「３５」，「４１」のスロット１５内の径方向内側から１番目の挿入導体２１の第１端部接続部２２に接続されている。更に、当該９個の第２連結導体３２の第２接続部５５は、各第２連結導体３２の第１接続部５４が接続された挿入導体２１が挿入されたスロット１５からスロット番号が加算される方向に６個進んだ位置にあるスロット１５内の径方向内側から３番目の挿入導体２１の第１端部接続部２２に接続されている。即ち、当該９個の第２連結導体３２の第２接続部５５は、スロット番号「５９」，「５」，「１１」，「１７」，「２３」，「２９」，「３５」，「４１」，「４７」のスロット１５に挿入された４本の挿入導体２１のうち径方向内側から３番目の挿入導体２１の第１端部接続部２２に接続されている。
【００７７】
更に、ステータコア１２の軸方向の一端側で５層目に積層された１個の第３連結導体３３の第１接続部５４は、スロット番号「４７」のスロット１５に挿入された４本の挿入導体２１のうち径方向内側から２番目の挿入導体２１の第１端部接続部２２に接続されている。その一方、同第３連結導体３３の第２接続部５５は、スロット番号「５３」のスロット１５に挿入された４本の挿入導体２１のうち径方向内側から３番目の挿入導体２１の第１端部接続部２２に接続されている。
【００７８】
図６に示すように、ステータコア１２の軸方向の一端側に積層された連結導体３１，３２，３３のうち６層目の連結導体３１，３２，３３は、第２系統の３相巻線Ｍ２のＶ相の巻線Ｍ２ｖを構成するものである。図６及び図１０（ａ）に示すように、ステータコア１２の軸方向の一端側に積層された連結導体３１，３２，３３の層のうち、６層目は、上記した１層目と同様に、９個の第１連結導体３１、９個の第２連結導体３２及び１個の第３連結導体３３から構成されている。ステータコア１２の軸方向の一端側で６層目に積層された連結導体３１〜３３は、ステータコア１２の軸方向の一端側（即ち第１端部接続部２２側）から見て、ステータコア１２の軸方向の一端側で第１系統のＵ相の巻線Ｍ１ｕを構成する１層目の連結導体３１〜３３を時計方向に１８°（即ち３スロット分）回転させた状態に配置されている。
【００７９】
図３乃至図５に示すように、ステータコア１２の軸方向の一端側で６層目に積層された９個の第１連結導体３１の第１接続部５４は、スロット番号「５８」，「４」，「１０」，「１６」，「２２」，「２８」，「３４」，「４０」，「４６」のスロット１５内の径方向内側から２番目の挿入導体２１の第１端部接続部２２に接続されている。更に、当該９個の第１連結導体３１の第２接続部５５は、各第１連結導体３１の第１接続部５４が接続された挿入導体２１が挿入されたスロット１５からスロット番号が加算される方向に６個進んだ位置にあるスロット１５内の径方向内側から４番目の挿入導体２１の第１端部接続部２２に接続されている。即ち、当該９個の第１連結導体３１の第２接続部５５は、スロット番号「４」，「１０」，「１６」，「２２」，「２８」，「３４」，「４０」，「４６」，「５２」のスロット１５に挿入された４本の挿入導体２１のうち径方向内側から４番目の挿入導体２１の第１端部接続部２２に接続されている。
【００８０】
また、ステータコア１２の軸方向の一端側で６層目に積層された９個の第２連結導体３２の第１接続部５４は、スロット番号「５８」，「４」，「１０」，「１６」，「２２」，「２８」，「３４」，「４０」，「４６」のスロット１５内の径方向内側から１番目の挿入導体２１の第１端部接続部２２に接続されている。更に、当該９個の第２連結導体３２の第２接続部５５は、各第２連結導体３２の第１接続部５４が接続された挿入導体２１が挿入されたスロット１５からスロット番号が加算される方向に６個進んだ位置にあるスロット１５内の径方向内側から３番目の挿入導体２１の第１端部接続部２２に接続されている。即ち、当該９個の第２連結導体３２の第２接続部５５は、スロット番号「４」，「１０」，「１６」，「２２」，「２８」，「３４」，「４０」，「４６」，「５２」のスロット１５に挿入された４本の挿入導体２１のうち径方向内側から３番目の挿入導体２１の第１端部接続部２２に接続されている。
【００８１】
更に、ステータコア１２の軸方向の一端側で６層目に積層された１個の第３連結導体３３の第１接続部５４は、スロット番号「５２」のスロット１５に挿入された４本の挿入導体２１のうち径方向内側から２番目の挿入導体２１の第１端部接続部２２に接続されている。その一方、同第３連結導体３３の第２接続部５５は、スロット番号「５８」のスロット１５に挿入された４本の挿入導体２１のうち径方向内側から３番目の挿入導体２１の第１端部接続部２２に接続されている。
【００８２】
そして、図６に示すように、ステータコア１２の軸方向の一端側に層状に積層された連結導体３１〜３３においては、環状部１３上で、各層の第１周方向渡り部５１及び第３周方向渡り部６１が軸方向に積層されるとともに、第１周方向渡り部５１及び第３周方向渡り部６１の径方向内側で各層の第２周方向渡り部５６が軸方向に積層されている。また、ステータコア１２の軸方向の一端側で層状に積層された連結導体３１〜３３において、同相の巻線を構成する複数の連結導体３１〜３３は、互いに軸方向に重ならない。例えば、ステータコア１２の軸方向の一端側で１層目に積層されて第１系統の３相巻線Ｍ１のＵ相の巻線Ｍ１ｕを構成する複数の連結導体３１〜３３は、互いに軸方向に重なることなく配置されている。
【００８３】
図１１に示すように、ステータコア１２の軸方向の一端面と、ステータコア１２の軸方向の一端側で１層目に積層された第１連結導体３１、第２連結導体３２及び第３連結導体３３との間には、ステータコア１２と当該１層目の第１連結導体３１、第２連結導体３２及び第３連結導体３３とを電気的に絶縁するインシュレータ７１が介在されている。また、ステータコア１２の軸方向に隣り合う連結導体３１〜３３の層の間には、ステータコア１２の軸方向に隣り合う連結導体３１〜３３同士を電気的に絶縁するインシュレータ７１が介在されている。各インシュレータ７１は、環状をなす絶縁紙である。また、各インシュレータ７１には、貫通孔７１ａが形成されている。そして、挿入導体２１は、この貫通孔７１ａを通ることによりインシュレータ７１を軸方向に貫通している。
【００８４】
図５及び図６に示すように、スロット番号「４９」のスロット１５に挿入された４本の挿入導体２１のうち径方向内側から１番目の挿入導体２１の第１端部接続部２２には、第１系統のＵ相の巻線Ｍ１ｕに給電するための第１Ｕ相電源端子Ｔ１ｕが接続されている。また、スロット番号「５０」のスロット１５に挿入された４本の挿入導体２１のうち径方向内側から１番目の挿入導体２１の第１端部接続部２２には、第２系統のＵ相の巻線Ｍ２ｕに給電するための第２Ｕ相電源端子Ｔ２ｕが接続されている。また、スロット番号「５１」のスロット１５に挿入された４本の挿入導体２１のうち径方向内側から１番目の挿入導体２１の第１端部接続部２２には、第１系統のＶ相の巻線Ｍ１ｖに給電するための第１Ｖ相電源端子Ｔ１ｖが接続されている。また、スロット番号「５２」のスロット１５に挿入された４本の挿入導体２１のうち径方向内側から１番目の挿入導体２１の第１端部接続部２２には、第２系統のＶ相の巻線Ｍ２ｖに給電するための第２Ｖ相電源端子Ｔ２ｖが接続されている。また、スロット番号「４７」のスロット１５に挿入された４本の挿入導体２１のうち径方向内側から１番目の挿入導体２１の第１端部接続部２２には、第１系統のＷ相の巻線Ｍ１ｗに給電するための第１Ｗ相電源端子Ｔ１ｗが接続されている。また、スロット番号「４８」のスロット１５に挿入された４本の挿入導体２１のうち径方向内側から１番目の挿入導体２１の第１端部接続部２２には、第２系統のＷ相の巻線Ｍ２ｗに給電するための第２Ｗ相電源端子Ｔ２ｗが接続されている。
【００８５】
図５、図６、図１２（ａ）及び図１２（ｂ）に示すように、スロット番号「５５」のスロット１５に挿入された４本の挿入導体２１のうち径方向内側から４番目の挿入導体２１の第１端部接続部２２には、第１系統の３相巻線Ｍ１の第１中性点Ｎ１を形成するための第１Ｕ相中性点端子Ｎ１ｕが接続されている。また、スロット番号「５６」のスロット１５に挿入された４本の挿入導体２１のうち径方向内側から４番目の挿入導体２１の第１端部接続部２２には、第２系統の３相巻線Ｍ２の第２中性点Ｎ２を形成するための第２Ｕ相中性点端子Ｎ２ｕが接続されている。また、スロット番号「５７」のスロット１５に挿入された４本の挿入導体２１のうち径方向内側から４番目の挿入導体２１の第１端部接続部２２には、第１中性点Ｎ１を形成するための第１Ｖ相中性点端子Ｎ１ｖが接続されている。また、スロット番号「５８」のスロット１５に挿入された４本の挿入導体２１のうち径方向内側から４番目の挿入導体２１の第１端部接続部２２には、第２中性点Ｎ２を形成するための第２Ｖ相中性点端子Ｎ２ｖが接続されている。また、スロット番号「５３」のスロット１５に挿入された４本の挿入導体２１のうち径方向内側から４番目の挿入導体２１の第１端部接続部２２には、第１中性点Ｎ１を形成するための第１Ｗ相中性点端子Ｎ１ｗが接続されている。また、スロット番号「５４」のスロット１５に挿入された４本の挿入導体２１のうち径方向内側から４番目の挿入導体２１の第１端部接続部２２には、第２中性点Ｎ２を形成するための第２Ｗ相中性点端子Ｎ２ｗが接続されている。
【００８６】
図６に示すように、ステータコア１２の軸方向の他端側（図６において右側であって前記第２端部接続部２４が突出した側）には、連結導体３４，３５（即ち第４連結導体３４及び第５連結導体３５）が軸方向に層状に積層されている。本実施形態では、連結導体３４、３５は、ステータコア１２の軸方向の他端側で巻線Ｍの相の数と同数の６層積層されている。
【００８７】
図６、図７及び図１３（ａ）に示すように、ステータコア１２の軸方向の他端側に積層された連結導体３４、３５のうち、ステータコア１２の軸方向の他端面に最も近い１層目の連結導体３４、３５は、第２系統の３相巻線Ｍ２のＶ相の巻線Ｍ２ｖを構成するものである。ステータコア１２の軸方向の他端側に積層された連結導体３４，３５の層のうち、１層目は、１０個の第４連結導体３４及び１０個の第５連結導体３５から構成されている。
【００８８】
図１３（ｂ）に示すように、第４連結導体３４は、前記第１連結導体３１と同様に、絶縁被膜を備えない導電性板材から形成されており、その長手方向の複数箇所が屈曲された帯状をなしている。第４連結導体３４は、ステータコア１２の周方向に沿うように延びる第４周方向渡り部８１と、該第４周方向渡り部８１の周方向（本実施形態では第４周方向渡り部８１の長手方向に同じ）の両端部から径方向に延びる２つの第４径方向渡り部８２，８３とから構成されている。
【００８９】
第４周方向渡り部８１は、前記第１周方向渡り部５１と同じ形状をなしている。そして、２つの第４径方向渡り部８２，８３は、第４周方向渡り部８１の周方向の両端部からステータコア１２の径方向に沿って径方向内側に延びている。更に、第４径方向渡り部８２，８３は、軸方向の幅が一定の帯状をなしている。本実施形態では、第４径方向渡り部８２，８３の軸方向の幅は、第４周方向渡り部８１の軸方向の幅と等しい。また、各第４径方向渡り部８２，８３の厚さは、ティース１４の周方向の幅の半分以下の幅となっており、本実施形態では、第４周方向渡り部８１の厚さと等しい。即ち、本実施形態の第４連結導体３４は、その長手方向の全体に亘って軸方向の幅及び厚さが一定であり、長手方向に沿って断面積が一定となっている。
【００９０】
第４連結導体３４における２つの第４径方向渡り部８２，８３のうち、ステータコア１２の軸方向の他方側（第２端部接続部２４側）から見て時計方向側に位置する一方の第４径方向渡り部８２の先端部には、前記第１径方向渡り部５２の先端部に形成された第１接続部５４と同様の第１接続部５４が形成されている。第１接続部５４は、第４径方向渡り部８２の先端部を他方の第４径方向渡り部８３と反対側に略直角に屈曲して形成されている。そして、第４径方向渡り部８２の径方向の長さは、第４周方向渡り部８１が環状部１３上に位置するように第４連結導体３４がステータコア１２の軸方向の他端側に配置された状態において、スロット１５に挿入された４本の挿入導体２１のうち径方向内側から３番目の挿入導体２１の第２当接面２５に第１接続部５４が達する長さとなっている。
【００９１】
第１接続部５４を有する第４径方向渡り部８２は、第４周方向渡り部８１に対してその基端から先端までステータコア１２の軸方向の位置が変化していない。そして、第４径方向渡り部８２は、第４周方向渡り部８１におけるステータコア１２の軸方向の幅の範囲内に位置する。本実施形態では、第４径方向渡り部８２は、第４周方向渡り部８１におけるステータコア１２の軸方向の幅の範囲と同じ範囲に亘って形成されている。
【００９２】
第４連結導体３４における２つの第４径方向渡り部８２，８３のうち、ステータコア１２の軸方向の他端側（第２端部接続部２４側）から見て反時計方向側に位置する他方の第４径方向渡り部８３は、前記第１連結導体３１の第１径方向渡り部５３と同じ形状をなしており、その先端部に第２接続部５５を有する。そして、第４径方向渡り部８３は、第４周方向渡り部８１に対してその基端から先端までステータコア１２の軸方向の位置が変化していない。更に、第４径方向渡り部８３は、第４周方向渡り部８１におけるステータコア１２の軸方向の幅の範囲内に位置する。本実施形態では、第４径方向渡り部８３は、第４周方向渡り部８１におけるステータコア１２の軸方向の幅の範囲と同じ範囲に亘って形成されている。即ち、本実施形態の第４連結導体３４においては、第４周方向渡り部８１は、ステータコア１２の軸方向には、第４径方向渡り部８２，８３におけるステータコア１２の軸方向の厚さの範囲と同じ範囲に形成されている。
【００９３】
このような第４連結導体３４は、ステータコア１２の軸方向の他端側で、６個離れた位置にある（即ち５個置きの）２つのスロット１５のうち時計方向側の一方のスロット１５に挿入された径方向内側から３番目の挿入導体２１と、反時計方向側の他方のスロット１５に挿入された径方向内側から４番目の挿入導体２１とを連結する。第４連結導体３４の第１接続部５４は、接続される挿入導体２１の第２端部接続部２４の径方向外側に配置されて同第２端部接続部２４と径方向に隣り合うとともに、第２当接面２５上に配置されている。そして、同第１接続部５４と第２端部接続部２４とが接合されている。また、第４連結導体３４の第２接続部５５は、接続される挿入導体２１の第２端部接続部２４の径方向外側に配置されて同第２端部接続部２４と径方向に隣り合うとともに、第２当接面２５上に配置されている。そして、同第２接続部５５と第２端部接続部２４とが接合されている。尚、第４径方向渡り部８２における第１接続部５４よりも基端側の部分、及び第４径方向渡り部８３における第２接続部５５よりも基端側の部分は、それぞれティース１４の軸方向の他端側に配置されている。
【００９４】
図１３（ａ）に示すように、ステータコア１２の軸方向の他端側で１層目に積層された、第２系統の３相巻線Ｍ２のＶ相の巻線Ｍ２ｖを構成する１０個の第４連結導体３４は、周方向に等角度間隔（本実施形態では３６°間隔）に並設されている。また、当該１０個の第４連結導体３４は、第４周方向渡り部８１が環状部１３上に（環状部１３と軸方向に並ぶ位置に）配置されるとともに、第４径方向渡り部８２，８３がそれぞれティース１４上に（ティース１４と軸方向に並ぶ位置に）配置されている。そして、当該１０個の第４連結導体３４は、径方向の位置が等しく配置されるとともに、軸方向の位置が等しく配置されている。また、当該１０個の第４連結導体３４の第４径方向渡り部８２の第１接続部５４は、スロット番号「５８」，「４」，「１０」，「１６」，「２２」，「２８」，「３４」，「４０」，「４６」，「５２」のスロット１５に挿入された４本の挿入導体２１のうち径方向内側から３番目の挿入導体２１の第２端部接続部２４に接続されている。また、当該１０個の第４連結導体３４の第４径方向渡り部８３の第２接続部５５は、各第４連結導体３４の第１接続部５４が接続された挿入導体２１が挿入されたスロット１５から反時計方向に６個進んだ位置にあるスロット１５に挿入された４本の挿入導体２１のうち径方向内側から４番目の挿入導体２１の第２端部接続部２４に接続されている。即ち、当該１０個の第４連結導体３４の第４径方向渡り部８３の第２接続部５５は、スロット番号「４」，「１０」，「１６」，「２２」，「２８」，「３４」，「４０」，「４６」，「５２」，「５８」のスロット１５に挿入された４本の挿入導体２１のうち径方向内側から４番目の挿入導体２１の第２端部接続部２４に接続されている。
【００９５】
図１３（ａ）及び図１３（ｂ）に示すように、前記第５連結導体３５は、前記第１連結導体３１と同様に、絶縁被膜を備えない導電性板材から形成されており、その長手方向の複数箇所が屈曲された帯状をなしている。第５連結導体３５は、ステータコア１２の周方向に沿うように延びる第５周方向渡り部８６と、該第５周方向渡り部８６の周方向（本実施形態では第５周方向渡り部８６の長手方向に同じ）の両端部から径方向に延びる２つの第５径方向渡り部８７，８８とから構成されている。
【００９６】
第５周方向渡り部８６は、前記第２周方向渡り部５６と同じ形状をなしている。そして、２つの第５径方向渡り部８７，８８は、第５周方向渡り部８６の周方向の両端部からステータコア１２の径方向に沿って径方向内側に延びている。更に、第５径方向渡り部８７，８８は、軸方向の幅が一定の帯状をなしている。本実施形態では、第５径方向渡り部８７，８８の軸方向の幅は、第５周方向渡り部８６の軸方向の幅と等しい。また、各第５径方向渡り部８７，８８の厚さは、ティース１４の周方向の幅の半分以下の幅となっており、本実施形態では、第５周方向渡り部８６の厚さと等しい。即ち、本実施形態の第５連結導体３５は、その長手方向の全体に亘って軸方向の幅及び厚さが一定であり、長手方向に沿って断面積が一定となっている。
【００９７】
第５連結導体３５における２つの第５径方向渡り部８７，８８のうち、ステータコア１２の軸方向の他方側（第２端部接続部２４側）から見て時計方向側に位置する一方の第５径方向渡り部８７の先端部には、前記第１径方向渡り部５２の先端部に形成された第１接続部５４と同様の第１接続部５４が形成されている。第１接続部５４は、第５径方向渡り部８７の先端部を他方の第５径方向渡り部８８と反対側に略直角に屈曲して形成されている。そして、第５径方向渡り部８７の径方向の長さは、第５周方向渡り部８６が環状部１３上に位置するように第５連結導体３５がステータコア１２の軸方向の他端側に配置された状態において、スロット１５に挿入された４本の挿入導体２１のうち径方向内側から２番目の挿入導体２１の第２当接面２５に第１接続部５４が達する長さとなっている。
【００９８】
第１接続部５４を有する第５径方向渡り部８７は、第５周方向渡り部８６に対してその基端から先端までステータコア１２の軸方向の位置が変化していない。そして、第５径方向渡り部８７は、第５周方向渡り部８６におけるステータコア１２の軸方向の幅の範囲内に位置する。本実施形態では、第５径方向渡り部８７は、第５周方向渡り部８６におけるステータコア１２の軸方向の幅の範囲と同じ範囲に亘って形成されている。
【００９９】
第５連結導体３５における２つの第５径方向渡り部８７，８８のうち、ステータコア１２の軸方向の他方側（第２端部接続部２４側）から見て反時計方向側に位置する一方の第５径方向渡り部８８の先端部には、前記第１径方向渡り部５３の先端部に形成された第２接続部５５と同様の第２接続部５５が形成されている。第２接続部５５は、第５径方向渡り部８８の先端部を一方の第５径方向渡り部８７と反対側に略直角に屈曲して形成されている。そして、第５径方向渡り部８８の径方向の長さは、第５周方向渡り部８６が環状部１３上に位置するように第５連結導体３５がステータコア１２の軸方向の他端側に配置された状態において、スロット１５に挿入された４本の挿入導体２１のうち径方向内側から１番目の挿入導体２１の第２当接面２５に第２接続部５５が達する長さとなっている。
【０１００】
第２接続部５５を有する第５径方向渡り部８８は、第５周方向渡り部８６に対してその基端から先端までステータコア１２の軸方向の位置が変化していない。そして、第５径方向渡り部８８は、第５周方向渡り部８６におけるステータコア１２の軸方向の幅の範囲内に位置する。本実施形態では、第５径方向渡り部８８は、第５周方向渡り部８６におけるステータコア１２の軸方向の幅の範囲と同じ範囲に亘って形成されている。即ち、本実施形態の第５連結導体３５においては、第５周方向渡り部８６は、ステータコア１２の軸方向には、第５径方向渡り部８７，８８におけるステータコア１２の軸方向の厚さの範囲と同じ範囲に形成されている。
【０１０１】
このような第５連結導体３５は、ステータコア１２の軸方向の他端側で、６個離れた位置にある（即ち５個置きの）２つのスロット１５のうち時計方向側の一方のスロット１５に挿入された径方向内側から２番目の挿入導体２１と、反時計方向側の他方のスロット１５に挿入された径方向内側から１番目の挿入導体２１とを連結する。第５連結導体３５の第１接続部５４は、接続される挿入導体２１の第２端部接続部２４の径方向外側に配置されて同第２端部接続部２４と径方向に隣り合うとともに、第２当接面２５上に配置されている。そして、同第１接続部５４と第２端部接続部２４とが接合されている。また、第５連結導体３５の第２接続部５５は、接続される挿入導体２１の第２端部接続部２４の径方向外側に配置されて同第２端部接続部２４と径方向に隣り合うとともに、第２当接面２５上に配置されている。そして、同第２接続部５５と第２端部接続部２４とが接合されている。尚、第５径方向渡り部８７における第１接続部５４よりも基端側の部分、及び第５径方向渡り部８８における第２接続部５５よりも基端側の部分は、それぞれティース１４の軸方向の他端側に配置されている。
【０１０２】
そして、ステータコア１２の軸方向の他端側で１層目に積層された、第２系統の３相巻線Ｍ２のＶ相の巻線Ｍ２ｖを構成する１０個の第５連結導体３５は、周方向に並んだ１０個の第４連結導体３４の径方向内側に配置されて周方向に等角度間隔（本実施形態では３６°間隔）に並設されている。即ち、各第４連結導体３４の内側に第５連結導体３５がそれぞれ配置されている。各第４連結導体３４の内側に配置された第５連結導体３５は、第４連結導体３４と径方向に離間している。また、当該１０個の第５連結導体３５の第５周方向渡り部８６は、第４径方向渡り部８２の径方向内側で環状部１３上に（環状部１３と軸方向に並ぶ位置に）配置されている。更に、当該１０個の第５連結導体３５は、第５径方向渡り部８７が第４径方向渡り部８２と共にティース１４上に（ティース１４と軸方向に並ぶ位置に）配置される一方、第５径方向渡り部８８が第４径方向渡り部８３と共にティース１４上に（ティース１４と軸方向に並ぶ位置に）配置されている。そして、当該１０個の第５連結導体３５は、径方向の位置が等しく配置されるとともに、軸方向の位置が等しく配置されており、更に、ステータコア１２の軸方向の他端側で１層目に積層された前記１０個の第４連結導体３４と軸方向の位置が等しい。また、当該１０個の第５連結導体３５の第５径方向渡り部８７の第１接続部５４は、スロット番号「５８」，「４」，「１０」，「１６」，「２２」，「２８」，「３４」，「４０」，「４６」，「５２」のスロット１５に挿入された４本の挿入導体２１のうち径方向内側から２番目の挿入導体２１の第２端部接続部２４に接続されている。また当該１０個の第５連結導体３５の第５径方向渡り部８８の第２接続部５５は、各第５連結導体３５の第１接続部５４が接続された挿入導体２１が挿入されたスロット１５から反時計方向に６個進んだ位置にあるスロット１５に挿入された４本の挿入導体２１のうち径方向内側から１番目の挿入導体２１の第２端部接続部２４に接続されている。即ち、当該１０個の第５連結導体３５の第４径方向渡り部８３の第２接続部５５は、スロット番号「４」，「１０」，「１６」，「２２」，「２８」，「３４」，「４０」，「４６」，「５２」，「５８」のスロット１５に挿入された４本の挿入導体２１のうち径方向内側から１番目の挿入導体２１の第２端部接続部２４に接続されている。
【０１０３】
図６に示すように、ステータコア１２の軸方向の他端側に積層された連結導体３４，３５のうち２層目の連結導体３４，３５は、第１系統の３相巻線Ｍ１のＷ相の巻線Ｍ１ｗを構成するものである。図６及び図１３（ａ）に示すように、ステータコア１２の軸方向の他端側に積層された連結導体３４，３５の層のうち、２層目は、上記した１層目と同様に、１０個の第４連結導体３４及び１０個の第５連結導体３５から構成されている。ステータコア１２の軸方向の他端側で２層目に積層された連結導体３４，３５は、ステータコア１２の軸方向の他端側（即ち第２端部接続部２４側）から見て、ステータコア１２の軸方向の他端側で第２系統のＶ相の巻線Ｍ２ｖを構成する１層目の連結導体３４，３５を反時計方向に６°（即ち１スロット分）回転させた状態に配置されている。
【０１０４】
図３乃至図５に示すように、ステータコア１２の軸方向の他端側で２層目に積層された１０個の第４連結導体３４の第１接続部５４は、スロット番号「５９」，「５」，「１１」，「１７」，「２３」，「２９」，「３５」，「４１」，「４７」，「５３」のスロット１５内の径方向内側から３番目の挿入導体２１の第２端部接続部２４に接続されている。更に、当該１０個の第４連結導体３４の第２接続部５５は、各第４連結導体３４の第１接続部５４が接続された挿入導体２１が挿入されたスロット１５からスロット番号が加算される方向に６個進んだ位置にあるスロット１５内の径方向内側から４番目の挿入導体２１の第２端部接続部２４に接続されている。即ち、当該１０個の第４連結導体３４の第２接続部５５は、スロット番号「５」，「１１」，「１７」，「２３」，「２９」，「３５」，「４１」，「４７」，「５３」，「５９」のスロット１５に挿入された４本の挿入導体２１のうち径方向内側から４番目の挿入導体２１の第２端部接続部２４に接続されている。
【０１０５】
また、ステータコア１２の軸方向の他端側で２層目に積層された１０個の第５連結導体３５の第１接続部５４は、スロット番号「５９」，「５」，「１１」，「１７」，「２３」，「２９」，「３５」，「４１」，「４７」，「５３」のスロット１５内の径方向内側から２番目の挿入導体２１の第２端部接続部２４に接続されている。更に、当該１０個の第５連結導体３５の第２接続部５５は、各第５連結導体３５の第１接続部５４が接続された挿入導体２１が挿入されたスロット１５からスロット番号が加算される方向に６個進んだ位置にあるスロット１５内の径方向内側から１番目の挿入導体２１の第２端部接続部２４に接続されている。即ち、当該１０個の第５連結導体３５の第２接続部５５は、スロット番号「５」，「１１」，「１７」，「２３」，「２９」，「３５」，「４１」，「４７」，「５３」，「５９」のスロット１５に挿入された４本の挿入導体２１のうち径方向内側から１番目の挿入導体２１の第２端部接続部２４に接続されている。
【０１０６】
図６に示すように、ステータコア１２の軸方向の他端側に積層された連結導体３４，３５のうち３層目の連結導体３４，３５は、第１系統の３相巻線Ｍ１のＶ相の巻線Ｍ１ｖを構成するものである。図６及び図１３（ａ）に示すように、ステータコア１２の軸方向の他端側に積層された連結導体３４，３５の層のうち、３層目は、上記した１層目と同様に、１０個の第４連結導体３４及び１０個の第５連結導体３５から構成されている。ステータコア１２の軸方向の他端側で３層目に積層された連結導体３４，３５は、ステータコア１２の軸方向の他端側（即ち第２端部接続部２４側）から見て、ステータコア１２の軸方向の他端側で第２系統のＶ相の巻線Ｍ２ｖを構成する１層目の連結導体３４，３５を反時計方向に３０°（即ち５スロット分）回転させた状態に配置されている。
【０１０７】
図３乃至図５に示すように、ステータコア１２の軸方向の他端側で３層目に積層された１０個の第４連結導体３４の第１接続部５４は、スロット番号「３」，「９」，「１５」，「２１」，「２７」，「３３」，「３９」，「４５」，「５１」，「５７」のスロット１５内の径方向内側から３番目の挿入導体２１の第２端部接続部２４に接続されている。更に、当該１０個の第４連結導体３４の第２接続部５５は、各第４連結導体３４の第１接続部５４が接続された挿入導体２１が挿入されたスロット１５からスロット番号が加算される方向に６個進んだ位置にあるスロット１５内の径方向内側から４番目の挿入導体２１の第２端部接続部２４に接続されている。即ち、当該１０個の第４連結導体３４の第２接続部５５は、スロット番号「９」，「１５」，「２１」，「２７」，「３３」，「３９」，「４５」，「５１」，「５７」，「３」のスロット１５に挿入された４本の挿入導体２１のうち径方向内側から４番目の挿入導体２１の第２端部接続部２４に接続されている。
【０１０８】
また、ステータコア１２の軸方向の他端側で３層目に積層された１０個の第５連結導体３５の第１接続部５４は、スロット番号「３」，「９」，「１５」，「２１」，「２７」，「３３」，「３９」，「４５」，「５１」，「５７」のスロット１５内の径方向内側から２番目の挿入導体２１の第２端部接続部２４に接続されている。更に、当該１０個の第５連結導体３５の第２接続部５５は、各第５連結導体３５の第１接続部５４が接続された挿入導体２１が挿入されたスロット１５からスロット番号が加算される方向に６個進んだ位置にあるスロット１５内の径方向内側から１番目の挿入導体２１の第２端部接続部２４に接続されている。即ち、当該１０個の第５連結導体３５の第２接続部５５は、スロット番号「９」，「１５」，「２１」，「２７」，「３３」，「３９」，「４５」，「５１」，「５７」，「３」のスロット１５に挿入された４本の挿入導体２１のうち径方向内側から１番目の挿入導体２１の第２端部接続部２４に接続されている。
【０１０９】
図６に示すように、ステータコア１２の軸方向の他端側に積層された連結導体３４，３５のうち４層目の連結導体３４，３５は、第２系統の３相巻線Ｍ２のＷ相の巻線Ｍ２ｗを構成するものである。図６及び図１３（ａ）に示すように、ステータコア１２の軸方向の他端側に積層された連結導体３４，３５の層のうち、４層目は、上記した１層目と同様に、１０個の第４連結導体３４及び１０個の第５連結導体３５から構成されている。ステータコア１２の軸方向の他端側で４層目に積層された連結導体３４，３５は、ステータコア１２の軸方向の他端側（即ち第２端部接続部２４側）から見て、ステータコア１２の軸方向の他端側で第２系統のＶ相の巻線Ｍ２ｖを構成する１層目の連結導体３４，３５を反時計方向に１２°（即ち２スロット分）回転させた状態に配置されている。
【０１１０】
図３乃至図５に示すように、ステータコア１２の軸方向の他端側で４層目に積層された１０個の第４連結導体３４の第１接続部５４は、スロット番号「６０」，「６」，「１２」，「１８」，「２４」，「３０」，「３６」，「４２」，「４８」，「５４」のスロット１５内の径方向内側から３番目の挿入導体２１の第２端部接続部２４に接続されている。更に、当該１０個の第４連結導体３４の第２接続部５５は、各第４連結導体３４の第１接続部５４が接続された挿入導体２１が挿入されたスロット１５からスロット番号が加算される方向に６個進んだ位置にあるスロット１５内の径方向内側から４番目の挿入導体２１の第２端部接続部２４に接続されている。即ち、当該１０個の第４連結導体３４の第２接続部５５は、スロット番号「６」，「１２」，「１８」，「２４」，「３０」，「３６」，「４２」，「４８」，「５４」，「６０」のスロット１５に挿入された４本の挿入導体２１のうち径方向内側から４番目の挿入導体２１の第２端部接続部２４に接続されている。
【０１１１】
また、ステータコア１２の軸方向の他端側で４層目に積層された１０個の第５連結導体３５の第１接続部５４は、スロット番号「６０」，「６」，「１２」，「１８」，「２４」，「３０」，「３６」，「４２」，「４８」，「５４」のスロット１５内の径方向内側から２番目の挿入導体２１の第２端部接続部２４に接続されている。更に、当該１０個の第５連結導体３５の第２接続部５５は、各第５連結導体３５の第１接続部５４が接続された挿入導体２１が挿入されたスロット１５からスロット番号が加算される方向に６個進んだ位置にあるスロット１５内の径方向内側から１番目の挿入導体２１の第２端部接続部２４に接続されている。即ち、当該１０個の第５連結導体３５の第２接続部５５は、スロット番号「６」，「１２」，「１８」，「２４」，「３０」，「３６」，「４２」，「４８」，「５４」，「６０」のスロット１５に挿入された４本の挿入導体２１のうち径方向内側から１番目の挿入導体２１の第２端部接続部２４に接続されている。
【０１１２】
図６に示すように、ステータコア１２の軸方向の他端側に積層された連結導体３４，３５のうち５層目の連結導体３４，３５は、第２系統の３相巻線Ｍ２のＵ相の巻線Ｍ２ｕを構成するものである。図６及び図１３（ａ）に示すように、ステータコア１２の軸方向の他端側に積層された連結導体３４，３５の層のうち、５層目は、上記した１層目と同様に、１０個の第４連結導体３４及び１０個の第５連結導体３５から構成されている。ステータコア１２の軸方向の他端側で５層目に積層された連結導体３４，３５は、ステータコア１２の軸方向の他端側（即ち第２端部接続部２４側）から見て、ステータコア１２の軸方向の他端側で第２系統のＶ相の巻線Ｍ２ｖを構成する１層目の連結導体３４，３５を反時計方向に２４°（即ち４スロット分）回転させた状態に配置されている。
【０１１３】
図３乃至図５に示すように、ステータコア１２の軸方向の他端側で５層目に積層された１０個の第４連結導体３４の第１接続部５４は、スロット番号「２」，「８」，「１４」，「２０」，「２６」，「３２」，「３８」，「４４」，「５０」，「５６」のスロット１５内の径方向内側から３番目の挿入導体２１の第２端部接続部２４に接続されている。更に、当該１０個の第４連結導体３４の第２接続部５５は、各第４連結導体３４の第１接続部５４が接続された挿入導体２１が挿入されたスロット１５からスロット番号が加算される方向に６個進んだ位置にあるスロット１５内の径方向内側から４番目の挿入導体２１の第２端部接続部２４に接続されている。即ち、当該１０個の第４連結導体３４の第２接続部５５は、スロット番号「８」，「１４」，「２０」，「２６」，「３２」，「３８」，「４４」，「５０」，「５６」，「２」のスロット１５に挿入された４本の挿入導体２１のうち径方向内側から４番目の挿入導体２１の第２端部接続部２４に接続されている。
【０１１４】
また、ステータコア１２の軸方向の他端側で５層目に積層された１０個の第５連結導体３５の第１接続部５４は、スロット番号「２」，「８」，「１４」，「２０」，「２６」，「３２」，「３８」，「４４」，「５０」，「５６」のスロット１５内の径方向内側から２番目の挿入導体２１の第２端部接続部２４に接続されている。更に、当該１０個の第５連結導体３５の第２接続部５５は、各第５連結導体３５の第１接続部５４が接続された挿入導体２１が挿入されたスロット１５からスロット番号が加算される方向に６個進んだ位置にあるスロット１５内の径方向内側から１番目の挿入導体２１の第２端部接続部２４に接続されている。即ち、当該１０個の第５連結導体３５の第２接続部５５は、スロット番号「８」，「１４」，「２０」，「２６」，「３２」，「３８」，「４４」，「５０」，「５６」，「２」のスロット１５に挿入された４本の挿入導体２１のうち径方向内側から１番目の挿入導体２１の第２端部接続部２４に接続されている。
【０１１５】
図６及び図７に示すように、ステータコア１２の軸方向の他端側に積層された連結導体３４，３５のうち６層目の連結導体３４，３５は、第１系統の３相巻線Ｍ１のＵ相の巻線Ｍ１ｕを構成するものである。図６及び図１３（ａ）に示すように、ステータコア１２の軸方向の他端側に積層された連結導体３４，３５の層のうち、６層目は、上記した１層目と同様に、１０個の第４連結導体３４及び１０個の第５連結導体３５から構成されている。ステータコア１２の軸方向の他端側で６層目に積層された連結導体３４，３５は、ステータコア１２の軸方向の他端側（即ち第２端部接続部２４側）から見て、ステータコア１２の軸方向の他端側で第２系統のＶ相の巻線Ｍ２ｖを構成する１層目の連結導体３４，３５を反時計方向に１２°（即ち２スロット分）回転させた状態に配置されている。
【０１１６】
図３乃至図５に示すように、ステータコア１２の軸方向の他端側で６層目に積層された１０個の第４連結導体３４の第１接続部５４は、スロット番号「１」，「７」，「１３」，「１９」，「２５」，「３１」，「３７」，「４３」，「４９」，「５５」のスロット１５内の径方向内側から３番目の挿入導体２１の第２端部接続部２４に接続されている。更に、当該１０個の第４連結導体３４の第２接続部５５は、各第４連結導体３４の第１接続部５４が接続された挿入導体２１が挿入されたスロット１５からスロット番号が加算される方向に６個進んだ位置にあるスロット１５内の径方向内側から４番目の挿入導体２１の第２端部接続部２４に接続されている。即ち、当該１０個の第４連結導体３４の第２接続部５５は、スロット番号「７」，「１３」，「１９」，「２５」，「３１」，「３７」，「４３」，「４９」，「５５」，「１」のスロット１５に挿入された４本の挿入導体２１のうち径方向内側から４番目の挿入導体２１の第２端部接続部２４に接続されている。
【０１１７】
また、ステータコア１２の軸方向の他端側で６層目に積層された１０個の第５連結導体３５の第１接続部５４は、スロット番号「１」，「７」，「１３」，「１９」，「２５」，「３１」，「３７」，「４３」，「４９」，「５５」のスロット１５内の径方向内側から２番目の挿入導体２１の第２端部接続部２４に接続されている。更に、当該１０個の第５連結導体３５の第２接続部５５は、各第５連結導体３５の第１接続部５４が接続された挿入導体２１が挿入されたスロット１５からスロット番号が加算される方向に６個進んだ位置にあるスロット１５内の径方向内側から１番目の挿入導体２１の第２端部接続部２４に接続されている。即ち、当該１０個の第５連結導体３５の第２接続部５５は、スロット番号「７」，「１３」，「１９」，「２５」，「３１」，「３７」，「４３」，「４９」，「５５」，「１」のスロット１５に挿入された４本の挿入導体２１のうち径方向内側から１番目の挿入導体２１の第２端部接続部２４に接続されている。
【０１１８】
そして、図６に示すように、ステータコア１２の軸方向の他端側に層状に積層された第４連結導体３４及び第５連結導体３５においては、環状部１３上で、各層の第４周方向渡り部８１が軸方向に積層されるとともに、第４周方向渡り部８１の径方向内側で各層の第５周方向渡り部８６が軸方向に積層されている。また、ステータコア１２の軸方向の他端側で層状に積層された連結導体３４，３５において、同相の巻線を構成する複数の連結導体３４，３５は、互いに軸方向に重ならない。例えば、ステータコア１２の軸方向の他端側で１層目に積層されて第２系統の３相巻線Ｍ２のＶ相の巻線Ｍ２ｖを構成する複数の連結導体３４，３５は、互いに軸方向に重なることなく配置されている。
【０１１９】
図１１に示すように、ステータコア１２の軸方向の他端面と、ステータコア１２の軸方向の他端側で１層目に積層された第４連結導体３４及び第５連結導体３５との間には、ステータコア１２と当該１層目の第４連結導体３４及び第５連結導体３５とを電気的に絶縁するインシュレータ７１が介在されている。また、ステータコア１２の軸方向に隣り合う連結導体３４，３５の層の間には、ステータコア１２の軸方向に隣り合う連結導体３４，３５同士を電気的に絶縁するインシュレータ７１が介在されている。そして、挿入導体２１は、インシュレータ７１に形成された貫通孔７１ａを通ることにより同インシュレータ７１を軸方向に貫通している。
【０１２０】
図２（ａ）及び図３乃至図５に示すように、上記のように構成された巻線Ｍにおいて、第１系統の３相巻線Ｍ１のＵ相の巻線Ｍ１ｕは、スロット番号「５５」のスロット１５から順に５個置きの１０個のスロット１５に挿入された挿入導体２１と、ステータコア１２の軸方向の一端側で１層目に積層された連結導体３１〜３３と、ステータコア１２の軸方向の他端側で６層目に積層された連結導体３４，３５とから構成されている。
【０１２１】
第１系統のＵ相の巻線Ｍ１ｕを、第１Ｕ相電源端子Ｔ１ｕから順に辿ると、まず、スロット番号「４９」のスロット１５内の径方向内側から１番目の挿入導体２１が、ステータコア１２の軸方向の他端側で６層目に積層された１個の第５連結導体３５によって、スロット番号「４３」のスロット１５内の径方向内側から２番目の挿入導体２１に連結されている。そして、スロット番号「４３」のスロット１５内の径方向内側から２番目の挿入導体２１は、ステータコア１２の軸方向の一端側で１層目に積層された１個の第１連結導体３１によって、スロット番号「４９」のスロット１５内の径方向内側から４番目の挿入導体２１に連結されている。更に、スロット番号「４９」のスロット１５内の径方向内側から４番目の挿入導体２１は、ステータコア１２の軸方向の他端側で６層目に積層された１個の第４連結導体３４によって、スロット番号「４３」のスロット１５内の径方向内側から３番目の挿入導体２１に連結されている。このように、スロット番号「４９」のスロット１５と、スロット番号「４９」のスロット１５からスロット番号が減算される方向に６スロット進んだ位置にあるスロット番号「４３」のスロット１５との間の６本のティース１４に分布巻にて第１系統のＵ相の巻線Ｍ１ｕが巻装されている。そして、スロット番号「４３」のスロット１５内の径方向内側から３番目の挿入導体２１は、ステータコア１２の軸方向の一端側で１層目に積層された１個の第２連結導体３２によって、スロット番号「３７」のスロット１５内の径方向内側から１番目の挿入導体２１に連結されている。
【０１２２】
第１系統の３相巻線Ｍ１のＵ相の巻線Ｍ１ｕは、以後同様に、スロット１５内の径方向内側から１番目の挿入導体２１、第５連結導体３５、スロット１５内の径方向内側から２番目の挿入導体２１、第１連結導体３１、スロット１５内の径方向内側から４番目の挿入導体２１、第４連結導体３４、スロット１５内の径方向内側から３番目の挿入導体２１、第２連結導体３２の順序で３回繰り返してステータコア１２に巻装されている。これにより、スロット番号「３７」，「３１」のスロット１５間の６本のティース１４、スロット番号「２５」，「１９」のスロット１５間の６本のティース１４、スロット番号「１３」，「７」のスロット１５間の６本のティース１４に第１系統の３相巻線Ｍ１のＵ相の巻線Ｍ１ｕが分布巻にてそれぞれ巻装されている。
【０１２３】
更に、第１系統の３相巻線Ｍ１のＵ相の巻線Ｍ１ｕにおいては、スロット番号「１」のスロット１５内の径方向内側から１番目の挿入導体２１が、ステータコア１２の軸方向の他端側で６層目に積層された１個の第５連結導体３５によって、スロット番号「５５」のスロット１５内の径方向内側から２番目の挿入導体２１に連結されている。そして、スロット番号「５５」のスロット１５内の径方向内側から２番目の挿入導体２１は、ステータコア１２の軸方向の一端側で１層目に積層された１個の第１連結導体３１によって、スロット番号「１」のスロット１５内の径方向内側から４番目の挿入導体２１に連結されている。更に、スロット番号「１」のスロット１５内の径方向内側から４番目の挿入導体２１は、ステータコア１２の軸方向の他端側で６層目に積層された１個の第４連結導体３４によって、スロット番号「５５」のスロット１５内の径方向内側から３番目の挿入導体２１に連結されている。このように、スロット番号「１」のスロット１５と、スロット番号「１」のスロット１５からスロット番号が減算される方向に６スロット進んだ位置にあるスロット番号「５５」のスロット１５との間の６本のティース１４に分布巻にて第１系統のＵ相の巻線Ｍ１ｕが巻装されている。
【０１２４】
そして、第１系統の３相巻線Ｍ１のＵ相の巻線Ｍ１ｕにおいては、スロット番号「５５」のスロット１５内の径方向内側から３番目の挿入導体２１が、ステータコア１２の軸方向の一端側で１層目に積層された１個の第３連結導体３３によって、スロット番号「４９」のスロット１５内の径方向内側から２番目の挿入導体２１に連結されている。更に、スロット番号「４９」のスロット１５内の径方向内側から２番目の挿入導体２１は、ステータコア１２の軸方向の他端側で６層目に積層された１個の第５連結導体３５によって、スロット番号「５５」のスロット１５内の径方向内側から１番目の挿入導体２１に連結されている。また、スロット番号「５５」のスロット１５内の径方向内側から１番目の挿入導体２１は、ステータコア１２の軸方向の一端側で１層目に積層された１個の第２連結導体３２によって、スロット番号「１」のスロット１５内の径方向内側から３番目の挿入導体２１に連結されている。
【０１２５】
更に、第１系統の３相巻線Ｍ１のＵ相の巻線Ｍ１ｕにおいては、スロット番号「１」のスロット１５内の径方向内側から３番目の挿入導体２１が、ステータコア１２の軸方向の他端側で６層目に積層された１個の第４連結導体３４によって、スロット番号「７」のスロット１５内の径方向内側から４番目の挿入導体２１に連結されている。そして、スロット番号「７」のスロット１５内の径方向内側から４番目の挿入導体２１は、ステータコア１２の軸方向の一端側で１層目に積層された１個の第１連結導体３１によって、スロット番号「１」のスロット１５内の径方向内側から２番目の挿入導体２１に連結されている。更に、スロット番号「１」のスロット１５内の径方向内側から２番目の挿入導体２１は、ステータコア１２の軸方向の他端側で６層目に積層された１個の第５連結導体３５によって、スロット番号「７」のスロット１５内の径方向内側から１番目の挿入導体２１に連結されている。このように、スロット番号「１」のスロット１５と、スロット番号「１」のスロット１５からスロット番号が加算される方向に６スロット進んだ位置にあるスロット番号「７」のスロット１５との間の６本のティース１４に分布巻にて第１系統のＵ相の巻線Ｍ１ｕが巻装されている。スロット番号「１」，「７」のスロット１５間のティース１４に巻装された当該巻線は、第１系統の３相巻線Ｍ１のＵ相の巻線Ｍ１ｕにおいて前記第１Ｕ相電源端子Ｔ１ｕと前記第３連結導体３３との間に形成された前記巻線とは巻回方向が反対方向となっている。そして、スロット番号「７」のスロット１５内の径方向内側から１番目の挿入導体２１は、ステータコア１２の軸方向の一端側で１層目に積層された１個の第２連結導体３２によって、スロット番号「１３」のスロット１５内の径方向内側から３番目の挿入導体２１に連結されている。
【０１２６】
第１系統の３相巻線Ｍ１のＵ相の巻線Ｍ１ｕは、以後同様に、スロット１５内の径方向内側から３番目の挿入導体２１、第４連結導体３４、スロット１５内の径方向内側から４番目の挿入導体２１、第１連結導体３１、スロット１５内の径方向内側から２番目の挿入導体２１、第５連結導体３５、スロット１５内の径方向内側から１番目の挿入導体２１、第２連結導体３２の順序で３回繰り返してステータコア１２に巻装されている。これにより、スロット番号「１３」，「１９」のスロット１５間の６本のティース１４、スロット番号「２５」，「３１」のスロット１５間の６本のティース１４、スロット番号「３７」，「４３」のスロット１５間の６本のティース１４に第１系統の３相巻線Ｍ１のＵ相の巻線Ｍ１ｕが分布巻にてそれぞれ巻装されている。そして、これらの巻線（即ち第３連結導体３３と第１Ｕ相中性点端子Ｎ１ｕとの間に形成された巻線）は、前記第１Ｕ相電源端子Ｔ１ｕと前記第３連結導体３３との間に形成された前記巻線とは巻回方向が反対方向となっている。
【０１２７】
更に、第１系統の３相巻線Ｍ１のＵ相の巻線Ｍ１ｕにおいては、スロット番号「４９」のスロット１５内の径方向内側から３番目の挿入導体２１が、ステータコア１２の軸方向の他端側で６層目に積層された１個の第４連結導体３４によって、スロット番号「５５」のスロット１５内の径方向内側から４番目の挿入導体２１に連結されている。そして、スロット番号「５５」のスロット１５内の径方向内側から４番目の挿入導体２１の第１端部接続部２２には、第１Ｕ相中性点端子Ｎ１ｕが接続されている。
【０１２８】
また、巻線Ｍにおいて、第１系統の３相巻線Ｍ１のＶ相の巻線Ｍ１ｖは、スロット番号「５７」のスロット１５から順に５個置きの１０個のスロット１５に挿入された挿入導体２１と、ステータコア１２の軸方向の一端側で４層目に積層された連結導体３１〜３３と、ステータコア１２の軸方向の他端側で３層目に積層された連結導体３４，３５とから構成されている。即ち、第１系統の３相巻線Ｍ１のＶ相の巻線Ｍ１ｖは、第１系統の３相巻線Ｍ１のＵ相の巻線Ｍ１ｕに対して、ステータコア１２の軸方向の一端側（第１端部接続部２２側）から見て時計方向に２スロットピッチ（２スロット分）ずれた各スロット１５に同様の順序で巻装されている。
【０１２９】
また、巻線Ｍにおいて、第１系統の３相巻線Ｍ１のＷ相の巻線Ｍ１ｗは、スロット番号「５３」のスロット１５から順に５個置きの１０個のスロット１５に挿入された挿入導体２１と、ステータコア１２の軸方向の一端側で５層目に積層された連結導体３１〜３３と、ステータコア１２の軸方向の他端側で２層目に積層された連結導体３４，３５とから構成されている。即ち、第１系統の３相巻線Ｍ１のＷ相の巻線Ｍ１ｗは、第１系統の３相巻線Ｍ１のＵ相の巻線Ｍ１ｕに対して、ステータコア１２の軸方向の一端側（第１端部接続部２２側）から見て反時計方向に２スロットピッチずれた各スロット１５に同様の順序で巻装されている。
【０１３０】
また、巻線Ｍにおいて、第２系統の３相巻線Ｍ２のＵ相の巻線Ｍ２ｕは、スロット番号「５６」のスロット１５から順に５個置きの１０個のスロット１５に挿入された挿入導体２１と、ステータコア１２の軸方向の一端側で２層目に積層された連結導体３１〜３３と、ステータコア１２の軸方向の他端側で５層目に積層された連結導体３４，３５とから構成されている。即ち、第２系統の３相巻線Ｍ２のＵ相の巻線Ｍ２ｕは、第１系統の３相巻線Ｍ１のＵ相の巻線Ｍ１ｕに対して、ステータコア１２の軸方向の一端側（第１端部接続部２２側）から見て時計方向に１スロットピッチずれた各スロット１５に同様の順序で巻装されている。
【０１３１】
また、巻線Ｍにおいて、第２系統の３相巻線Ｍ２のＶ相の巻線Ｍ２ｖは、スロット番号「５８」のスロット１５から順に５個置きの１０個のスロット１５に挿入された挿入導体２１と、ステータコア１２の軸方向の一端側で６層目に積層された連結導体３１〜３３と、ステータコア１２の軸方向の他端側で１層目に積層された連結導体３４，３５とから構成されている。即ち、第２系統の３相巻線Ｍ２のＶ相の巻線Ｍ２ｖは、第２系統の３相巻線Ｍ２のＵ相の巻線Ｍ２ｕに対して、ステータコア１２の軸方向の一端側（第１端部接続部２２側）から見て時計方向に２スロットピッチずれた各スロット１５に同様の順序で巻装されている。
【０１３２】
また、巻線Ｍにおいて、第２系統の３相巻線Ｍ２のＷ相の巻線Ｍ２ｗは、スロット番号「５４」のスロット１５から順に５個置きの１０個のスロット１５に挿入された挿入導体２１と、ステータコア１２の軸方向の一端側で３層目に積層された連結導体３１〜３３と、ステータコア１２の軸方向の他端側で４層目に積層された連結導体３４，３５とから構成されている。即ち、第２系統の３相巻線Ｍ２のＷ相の巻線Ｍ２ｗは、第２系統の３相巻線Ｍ２のＵ相の巻線Ｍ２ｕに対して、ステータコア１２の軸方向の一端側（第１端部接続部２２側）から見て反時計方向に２スロットピッチずれた各スロット１５に同様の順序で巻装されている。
【０１３３】
そして、第２系統の３相巻線Ｍ２は、第１系統の３相巻線Ｍ１に対して周方向の一方側（ステータコア１２の軸方向の一端側から見て時計方向側）に１スロットピッチずれてステータコア１２に巻装されている。
【０１３４】
図１２（ａ）に示すように、第１Ｕ相中性点端子Ｎ１ｕ、第１Ｖ相中性点端子Ｎ１ｖ及び第１Ｗ相中性点端子Ｎ１ｗを互いに接続することにより、第１系統の３相巻線Ｍ１の第１中性点Ｎ１が形成されている。また、第１Ｕ相電源端子Ｔ１ｕ、第１Ｖ相電源端子Ｔ１ｖ及び第１Ｗ相電源端子Ｔ１ｗは、第１系統の３相巻線Ｍ１における各相の電力を受電する端子となっている。これにより、図１２（ａ）に示すような電気回路からなる３相Ｙ結線の第１系統の３相巻線Ｍ１が形成されている。また、図１２（ｂ）に示すように、第２Ｕ相中性点端子Ｎ２ｕ、第２Ｖ相中性点端子Ｎ２ｖ及び第２Ｗ相中性点端子Ｎ２ｗを互いに接続することにより、第２系統の３相巻線Ｍ２の第２中性点Ｎ２が形成されている。また、第２Ｕ相電源端子Ｔ２ｕ、第２Ｖ相電源端子Ｔ２ｖ及び第２Ｗ相電源端子Ｔ２ｗは、第２系統の３相巻線Ｍ２における各相の電力を受電する端子となっている。これにより、図１２（ｂ）に示すような電気回路からなる３相Ｙ結線の第２系統の３相巻線Ｍ２が形成されている。
【０１３５】
そして、第１系統の３相巻線Ｍ１と、第２系統の３相巻線Ｍ２とにはそれぞれ独立した３相交流電源が供給される。本実施形態では、第１系統の３相巻線Ｍ１に通電（給電）される３相交流電源と第２系統の３相巻線Ｍ２に供給される３相交流電源とは、電気角３０°の位相差を有する。
【０１３６】
上記のように構成されたステータ１１では、各スロット１５に挿入された４本ずつの挿入導体２１は、巻線Ｍを構成する６相の巻線Ｍ１ｕ，Ｍ１ｖ，Ｍ１ｗ，Ｍ２ｕ，Ｍ２ｖ，Ｍ２ｗのうち同じ相の巻線を構成している。そして、同じ相の巻線を構成する挿入導体２１の第１端部接続部２２は、ステータコア１２の軸方向の一端側に積層された６層の連結導体３１〜３３のうち同じ層の連結導体３１〜３３に接続されている。そのため、スロット１５ごとに、挿入された４本の挿入導体２１の第１端部接続部２２の軸方向の位置（ステータコア１２の軸方向の位置）が等しいとともに、５個置きのスロット１５に挿入された挿入導体２１の第１端部接続部２２の軸方向の位置（ステータコア１２の軸方向の位置）が等しくなっている。同様に、同じ相の巻線を構成する挿入導体２１の第２端部接続部２４は、ステータコア１２の軸方向の他端側に積層された６層の連結導体３４，３５のうち同じ層の連結導体３４，３５に接続されている。そのため、スロット１５ごとに、挿入された４本の挿入導体２１の第２端部接続部２４の軸方向の位置（ステータコア１２の軸方向の位置）が等しいとともに、５個置きのスロット１５に挿入された挿入導体２１の第２端部接続部２４の軸方向の位置（ステータコア１２の軸方向の位置）が等しくなっている。
【０１３７】
更に、同相の巻線を構成する複数の連結導体３１〜３５は、ステータコア１２の軸方向の両側で、ステータコア１２の軸方向の端面からの高さが等しく配置されている。そして、異なる相の巻線を構成する連結導体３１〜３５は、ステータコア１２の軸方向の両側で、軸方向に完全にずれて軸方向に層状に積層されている。即ち、ステータコア１２の周方向の何れの位置から径方向に見ても、異なる相の巻線を構成する連結導体３１〜３５は、径方向に重なる部分が無い。
【０１３８】
更に、図５及び図６に示すように、ステータコア１２の軸方向の両側に積層された連結導体３１〜３５を、ステータ１１の軸方向の一端側から軸方向に沿って一方向（図６において左から右に向かう方向）に見ると、ステータコア１２の軸方向の一端側では、ステータコア１２の軸方向の一端面から遠い層から、第２系統のＶ相の巻線Ｍ２ｖを構成する連結導体３１〜３３の層、第１系統のＷ相の巻線Ｍ１ｗを構成する連結導体３１〜３３の層、第１系統のＶ相の巻線Ｍ１ｖを構成する連結導体３１〜３３の層、第２系統のＷ相の巻線Ｍ２ｗを構成する連結導体３１〜３３の層、第２系統のＵ相の巻線Ｍ２ｕを構成する連結導体３１〜３３の層、第１系統のＵ相の巻線Ｍ１ｕを構成する連結導体３１〜３３の層の順に積層されている。そして、ステータコア１２の軸方向の他端側では、ステータコア１２の軸方向の他端面に近い層から、第２系統のＶ相の巻線Ｍ２ｖを構成する連結導体３４，３５の層、第１系統のＷ相の巻線Ｍ１ｗを構成する連結導体３４，３５の層、第１系統のＶ相の巻線Ｍ１ｖを構成する連結導体３４，３５の層、第２系統のＷ相の巻線Ｍ２ｗを構成する連結導体３４，３５の層、第２系統のＵ相の巻線Ｍ２ｕを構成する連結導体３４，３５の層、第１系統のＵ相の巻線Ｍ１ｕを構成する連結導体３４，３５の層の順に積層されている。このため、各相の巻線Ｍ１ｕ，Ｍ１ｖ，Ｍ１ｗ，Ｍ２ｕ，Ｍ２ｖ，Ｍ２ｗは、ステータコア１２の軸方向の一端側に積層された連結導体３１〜３３の層と、ステータコア１２の軸方向の他端側に積層された連結導体３４，３５の層と間の軸方向の距離が互いに等しくなっている。従って、全ての挿入導体２１の軸方向の長さを等しくできている。
【０１３９】
また、図３乃至図５、図１１及び図１４に示すように、周方向に隣り合うスロット１５に挿入された挿入導体２１の第１端部接続部２２は、ステータコア１２の軸方向の一端側に積層された６層の連結導体３１〜３３において、１層差（１段差）若しくは２層差（２段差）となる層の連結導体３１〜３３の接続部５４，５５に接続されている。即ち、周方向に隣り合う任意の２つの挿入導体２１がステータコア１２の軸方向の一端側で接続される２つの接続部５４若しくは接続部５５は、当該２つの接続部５４若しくは接続部５５のうち一方の接続部が、他方の接続部を含む連結導体３１〜３３の層に対して軸方向に１層離間した連結導体３１〜３３の層に含まれるものと、当該２つの接続部５４若しくは接続部５５のうち一方の接続部が、他方の接続部を含む連結導体３１〜３３の層に対して軸方向に２層離間した連結導体３１〜３３の層に含まれるものとの何れかである。例えば、スロット番号「１」のスロット１５に挿入された４本の挿入導体２１の第１端部接続部２２は、ステータコア１２の軸方向の一端側で１層目に積層された第１系統のＵ相の巻線Ｍ１ｕを構成する第１連結導体３１若しくは第２連結導体３２の第１接続部５４若しくは第２接続部５５に接続されている。そして、スロット番号「１」のスロット１５と周方向の一方側で隣り合うスロット番号「２」のスロット１５に挿入された４本の挿入導体２１の第１端部接続部２２は、ステータコア１２の軸方向の一端側で１層目の連結導体３１〜３３とは１層差（１段差）となる２層目に積層された第２系統のＵ相の巻線Ｍ２ｕを構成する第１連結導体３１若しくは第２連結導体３２の第１接続部５４若しくは第２接続部５５に接続されている。更に、スロット番号「１」のスロット１５と周方向の他方側で隣り合うスロット番号「６０」のスロット１５に挿入された４本の挿入導体２１の第１端部接続部２２は、ステータコア１２の軸方向の一端側で１層目の連結導体３１〜３３とは２層差（２段差）となる３層目に積層された第２系統のＷ相の巻線Ｍ２ｗを構成する第１連結導体３１若しくは第２連結導体３２の第１接続部５４若しくは第２接続部５５に接続されている。
【０１４０】
尚、前記したように、各相の巻線Ｍ１ｕ，Ｍ１ｖ，Ｍ１ｗ，Ｍ２ｕ，Ｍ２ｖ，Ｍ２ｗは、ステータコア１２の軸方向の一端側に積層された連結導体３１〜３３の層と、ステータコア１２の軸方向の他端側に積層された連結導体３４，３５の層との間の軸方向の距離が互いに等しくなっているとともに、全ての挿入導体２１の軸方向の長さが等しい。そのため、周方向に隣り合うスロット１５に挿入された挿入導体２１の第２端部接続部２４も、ステータコア１２の軸方向の他端側に積層された６層の連結導体３４，３５において、１層差（１段差）若しくは２層差（２段差）となる層の連結導体３４，３５の接続部５４，５５に接続されている。即ち、周方向に隣り合う任意の２つの挿入導体２１がステータコア１２の軸方向の他端側で接続される２つの接続部５４若しくは接続部５５は、当該２つの接続部５４若しくは接続部５５のうち一方の接続部が、他方の接続部を含む連結導体３４，３５の層に対して軸方向に１層離間した連結導体３４，３５の層に含まれるものと、当該２つの接続部５４若しくは接続部５５のうち一方の接続部が、他方の接続部を含む連結導体３４，３５の層に対して軸方向に２層離間した連結導体３４，３５の層に含まれるものとの何れかである。
【０１４１】
そして、第１端部接続部２２と連結導体３１〜３３、第２端部接続部２４と連結導体３４，３５は、本実施形態では、アーク溶接（例えばＴｉｇ溶接）により機械的及び電気的に接続されている。
【０１４２】
図１に示すように、上記のように第１系統の３相巻線Ｍ１と第２系統の３相巻線Ｍ２とが巻回されたステータ１１の内側には、ロータ１０１が配設されている。ロータ１０１の回転軸１０２は、略円柱状をなしている。そして、回転軸１０２は、ヨーク３の底部中央に設けられた軸受１１１と、エンドプレート４の中央に設けられた軸受１１２とによって軸支されている。即ち、ロータ１０１は、該回転軸１０２が軸受１１１，１１２によって軸支されることによりモータケース２に対して回転可能に支持されている。回転軸１０２の基端部（即ちヨーク３の底部側の端部）は、ヨーク３の底部を貫通して前記収容ボックス５の内部に突出している。また、回転軸１０２の先端部（即ちエンドプレート４側の端部）は、エンドプレート４を貫通してモータケース２の外部に突出している。また、回転軸１０２において軸受１１１と軸受１１２との間となる部分に、ロータコア１０３が外嵌固定されている。このロータコア１０３の外周面には、複数のマグネット１０４が固着されている。ロータコア１０３及びマグネット１０４はステータ１１の内側に配置されるとともに、マグネット１０４はステータ１１と径方向に対向している。
【０１４３】
前記収容ボックス５内には、駆動装置１２１が収納されている。駆動装置１２１は、ロータ１０１の回転を制御するための回転センサ１２２、ＥＣＵ（電子制御ユニット）１２３、第１スイッチングトランジスタＱ１ｕ，Ｑ１ｖ，Ｑ１ｗ並びに第２スイッチングトランジスタＱ２ｕ，Ｑ２ｖ，Ｑ２ｗ等の各種の回路素子、及び回路基板１２４を有する。回路基板１２４は、収容ボックス５の内部で同収容ボックス５の底部に固定されている。
【０１４４】
回転センサ１２２は、ヨーク３の底部中央を貫通して収容ボックス５の内部に突出した回転軸１０２の基端面と対向するように回路基板１２４に実装されている。回転センサ１２２は、本実施形態ではＭＲセンサ等の磁気センサからなる。回転軸１０２の基端面には、同回転軸１０２と一体回転する検出用マグネット１２２ａが固定されており、回転センサ１２２は、当該検出用マグネット１２２ａの回転角を検出して検出した回転角に応じた検出信号を出力する。
【０１４５】
ＥＣＵ１２３はマイクロコンピュータを有する。ＥＣＵ１２３は、回転センサ１２２が出力する検出信号に基づいて、その時々のロータ１０１の回転角度、回転速度等を検出する。そして、検出したロータ１０１の回転角度、回転速度等に基づいて、ＥＣＵ１２３は、第１系統の３相巻線Ｍ１及び第２系統の３相巻線Ｍ２の各相の巻線Ｍ１ｕ，Ｍ１ｖ，Ｍ１ｗ，Ｍ２ｕ，Ｍ２ｖ，Ｍ２ｗへの電力供給タイミングを演算する。更に、ＥＣＵ１２３は、その演算結果に基づいて、第１系統の３相巻線Ｍ１及び第２系統の３相巻線Ｍ２の各相の巻線Ｍ１ｕ，Ｍ１ｖ，Ｍ１ｗ，Ｍ２ｕ，Ｍ２ｖ，Ｍ２ｗへ給電するための制御信号を出力する。
【０１４６】
第１スイッチングトランジスタＱ１ｕ，Ｑ１ｖ，Ｑ１ｗは、例えば、パワーＭＯＳトランジスタからなり、ＥＣＵ１２３が出力する制御信号に基づいてオンオフ制御されるようになっている。そして、第１スイッチングトランジスタＱ１ｕには第１Ｕ相電源端子Ｔ１ｕが接続され、第１スイッチングトランジスタＱ１ｖには第１Ｖ相電源端子Ｔ１ｖが接続され、第１スイッチングトランジスタＱ１ｗには第１Ｗ相電源端子Ｔ１ｗが接続されている。第１スイッチングトランジスタＱ１ｕ，Ｑ１ｖ，Ｑ１ｗは、所定のタイミングでオンオフ制御されることによって、第１系統の３相巻線Ｍ１の各相の巻線Ｍ１ｕ，Ｍ１ｖ，Ｍ１ｗに電力をそれぞれ供給制御する。これによって、第１系統の３相巻線Ｍ１による回転磁界がステータ１１に生成される。
【０１４７】
第２スイッチングトランジスタＱ２ｕ，Ｑ２ｖ，Ｑ２ｗは、例えば、パワーＭＯＳトランジスタからなり、ＥＣＵ１２３が出力する制御信号に基づいてオンオフ制御されるようになっている。そして、第２スイッチングトランジスタＱ２ｕには第２Ｕ相電源端子Ｔ２ｕが接続され、第２スイッチングトランジスタＱ２ｖには第２Ｖ相電源端子Ｔ２ｖが接続され、第２スイッチングトランジスタＱ２ｗには第２Ｗ相電源端子Ｔ２ｗが接続されている。第２スイッチングトランジスタＱ２ｕ，Ｑ２ｖ，Ｑ２ｗは、所定のタイミングでオンオフ制御されることによって、第２系統の３相巻線Ｍ２の各相の巻線Ｍ２ｕ，Ｍ２ｖ，Ｍ２ｗに電力をそれぞれ供給制御する。これによって、第２系統の３相巻線Ｍ２による回転磁界がステータ１１に生成される。
【０１４８】
そして、本実施形態のブラシレスモータ１においては、ステータ１１に生成された第１系統の３相巻線Ｍ１による回転磁界及び第２系統の３相巻線Ｍ２による回転磁界に応じてロータ１０１が回転される。
【０１４９】
次に、上記のように構成されたステータ１１の製造方法を作用と合わせて説明する。
図１５に示すように、まず、挿入導体２１を準備する挿入導体準備工程を行う。挿入導体準備工程では、長尺な帯状をなす銅板１４１を、挿入導体２１を形成するための加工装置１５１に供給する。尚、図１５では、挿入導体２１、銅板１４１、加工装置１５１等を簡略化して図示している。銅板１４１は絶縁被膜を備えていない。また、銅板１４１の幅は、４本の挿入導体２１を、第１端部接続部２２と第１当接面２３とが並設方向に交互に並ぶように、且つ第２端部接続部２４と第２当接面２５とが並設方向に交互に並ぶように、当接させて並べたときの当該４本の挿入導体２１の並設方向の幅と等しい。更に、銅板１４１の厚さは、挿入導体２１の幅（スロット１５に挿入されたときの周方向の幅）と等しい。また、前記加工装置１５１は、３つのカッター１５２を備えている。そして、当該３つのカッター１５２は、加工装置１５１に供給された銅板１４１の長手方向の一端部に、該銅板１４１を銅板１４１の幅方向に４等分する３本のスリット１４２を形成する。これにより、銅板１４１の長手方向の一端部には、３本のスリット１４２によって等分割された４本の分割部１４３が形成される。
【０１５０】
その後、４本の分割部１４３を、銅板１４１の幅方向に隣り合う分割部１４３が銅板１４１の厚さ方向にずれるようにそれぞれ移動させる。即ち、銅板１４１の幅方向に並んだ４本の分割部１４３のうち一方の端（図１５において左端）から１番目と３番目の２本の分割部１４３を銅板１４１の厚さ方向の一方側（図１５において下方）に移動させ、一方の端から２番目と４番目の２本の分割部１４３を銅板１４１の厚さ方向の他方側（図１５において上方）に移動させる。
【０１５１】
その後、銅板１４１の厚さ方向に離間して配置された２本ずつの分割部１４３の間に挿入用インシュレータ４１を挿入する。即ち、スリット１４２の長手方向と直交する方向に隣り合う分割部１４３が挿入用インシュレータ４１の一面側と他面側とに配置されるようにスリット１４２に挿入用インシュレータ４１を挿入する。これにより、銅板１４１の幅方向に並んだ４本の分割部１４３のうち一方の端から１番目の分割部１４３と３番目の分割部１４３とは、挿入用インシュレータ４１の一面側に配置される。更に、銅板１４１の幅方向に並んだ４本の分割部１４３のうち一方の端から２番目の分割部１４３と３番目の分割部１４３とは、挿入用インシュレータ４１の他面側に配置される。
【０１５２】
その後、銅板１４１の厚さ方向に離間して配置された４本の分割部１４３を、銅板１４１の厚さ方向に相対的に移動させて、銅板１４１の厚さ方向にずれることなく並ぶように配置する。これにより、挿入用インシュレータ４１は、銅板１４１の幅方向に並ぶ４本の分割部１４３の間に互い違いに波状に挟み込まれる。その後、４本の分割部１４３を銅板１４１から切断する。４本の分割部１４３は、挿入用インシュレータ４１から露出した基端部において銅板１４１から切断される。そして、本実施形態では、４本の分割部１４３を銅板１４１から切断するときに同時に第１端部接続部２２、第１当接面２３、第２端部接続部２４及び第２当接面２５を形成する。即ち、４本の分割部１４３を銅板１４１から切断することにより、４本の挿入導体２１が形成される。また、４本の分割部１４３を銅板１４１から切断するときに同時に、４本の分割部１４３から銅板１４１の幅方向に突出していた挿入用インシュレータ４１の両端部（図１５において二点鎖線で図示した部分）を当該４本の分割部１４３に対して巻き付ける。銅板１４１の幅方向に並んだ４本の分割部１４３のうち一方の端（図１５において左端）から１番目の分割部１４３側で銅板１４１の幅方向に突出した挿入用インシュレータ４１の一端部は、図１５に矢印Ｘ１にて示すように、当該１番目の分割部１４３を巻き込むように折り返される。また、銅板１４１の幅方向に並んだ４本の分割部１４３のうち一方の端（図１５において左端）から４番目の分割部１４３側で銅板１４１の幅方向に突出した挿入用インシュレータ４１の他端部は、図１５において矢印Ｘ２にて示すように、当該４番目の分割部１４３を巻き込むように折り返される。そして、このように形成された４本の挿入導体２１は、挿入用インシュレータ４１によって一体化されるとともに、４本の挿入導体２１における第１端部接続部２２と第２端部接続部２４との間の部分の外周面が挿入用インシュレータ４１によって被覆されている。尚、挿入用インシュレータ４１によって一体化された４本の挿入導体２１を、導体サブアセンブリ１６１とする。各導体サブアセンブリ１６１においては、４本の挿入導体２１の形状が等しいとともに、４本の挿入導体２１はその長手方向に互いにずれることなく一体化されている。従って、図１６に示すように、各導体サブアセンブリ１６１においては、４本の挿入導体２１の長手方向の一端側で４本の挿入導体２１の第１端部接続部２２が一列に並ぶとともに、４本の挿入導体２１の長手方向の他端側で４本の挿入導体２１の第２端部接続部２４が一列に並んでいる。
【０１５３】
次に、連結導体３１〜３５を準備する連結導体準備工程を行う。連結導体準備工程では、図７に示すように、絶縁被膜を備えない銅板にプレス加工を施して連結導体３１〜３５を形成する。
【０１５４】
次に、図１６に示すように、スロット１５に挿入導体２１を挿入する挿入工程を行う。挿入工程では、スロット１５を軸方向に貫通するようにスロット１５にステータコア１２の軸方向から挿入導体２１を挿入する。本実施形態の挿入工程では、前記挿入導体準備工程で形成した導体サブアセンブリ１６１を、スロット１５を軸方向に貫通するように各スロット１５に軸方向から挿入していく。即ち、同時に４本の挿入導体２１及び挿入用インシュレータ４１をスロット１５に挿入する。導体サブアセンブリ１６１をスロット１５に挿入するときには、スロット１５の軸方向の一端開口部に案内治具１７１を配置する。この案内治具１７１は略筒状をなしている。そして、案内治具１７１の一方の開口部１７１ａは、スロット１５の軸方向の一端開口部と略等しい形状をなしている。更に、案内治具１７１は、ステータコア１２の軸方向に沿って一方の開口部１７１ａから他方の開口部１７１ｂに向かうに連れて同案内治具１７１が太くなるように形成されており、一方の開口部１７１ａに比べて他方の開口部１７１ｂの方が大きく形成されている。そして、導体サブアセンブリ１６１をスロット１５に挿入するときには、導体サブアセンブリ１６１の長手方向の一端部を他方の開口部１７１ｂから案内治具１７１内に挿入する。その後、導体サブアセンブリ１６１をステータコア１２の軸方向に沿ってスロット１５の内部の方へ移動させる。すると、導体サブアセンブリ１６１の長手方向の一端部が、案内治具１７１の内周面に案内されてスロット１５の内部に容易に挿入される。そして、前記挿入導体準備工程において準備された挿入導体２１は直線状をなしているため、この挿入工程において挿入導体２１を容易にスロット１５に挿入することができる。
【０１５５】
また、図１７に示すように、挿入工程において導体サブアセンブリ１６１をスロット１５に挿入するときには、ステータコア１２の軸方向の一端側で周方向に隣り合う挿入導体２１の第１端部接続部２２がステータコア１２の軸方向にずれた位置に配置されるように、導体サブアセンブリ１６１をスロット１５に挿入する。同時に、ステータコア１２の軸方向の他端側で周方向に隣り合う挿入導体２１の第２端部接続部２４がステータコア１２の軸方向にずれた位置に配置されるように、導体サブアセンブリ１６１をスロット１５に挿入する。本実施形態では、ステータコア１２の軸方向の一端側で、ステータコア１２の周方向に隣り合う挿入導体２１の第１端部接続部２２がステータコア１２の軸方向に１段差となるものと２段差となるものとができるように、各スロット１５に導体サブアセンブリ１６１を挿入していく。尚、周方向に隣り合う挿入導体２１の第１端部接続部２２同士の軸方向の段差は、後に行われる第１の配置工程においてステータコア１２の軸方向の一端側に軸方向に層状に積層される連結導体３１〜３３の層の差に対応するものである。即ち、ステータコア１２の周方向に隣り合う挿入導体２１の第１端部接続部２２が１段差である場合、当該２つの第１端部接続部２２の軸方向の間隔は、ステータコア１２の軸方向の一端側に軸方向に層状に積層される連結導体３１〜３３の層において軸方向に隣り合う２つの層の軸方向の間隔と等しい。そして、ステータコア１２の周方向に隣り合う挿入導体２１の第１端部接続部２２が２段差である場合、当該２つの第１端部接続部２２における軸方向の間隔は、ステータコア１２の軸方向の一端側に軸方向に層状に積層される連結導体３１〜３３の層において２層分離れた２つの層（間に１つの層を挟んだ２つの層）の軸方向の間隔と等しい。また、本実施形態では、各スロット１５に挿入される挿入導体２１は、全て同じ形状をなしている。そのため、ステータコア１２の軸方向の一端側で、ステータコア１２の周方向に隣り合う挿入導体２１の第１端部接続部２２が１段差となるものと２段差となるものとがあるように各スロット１５に導体サブアセンブリ１６１を挿入すると、ステータコア１２の軸方向の他端側では、ステータコア１２の周方向に隣り合う挿入導体２１の第２端部接続部２４は、１段差となるものと２段差となるものとができる。また、導体サブアセンブリ１６１を各スロット１５に挿入するため、各スロット１５内では、４本の挿入導体２１は、ステータコア１２に対する軸方向の位置が等しい。そのため、同じスロット１５に挿入された４本の挿入導体２１は、ステータコア１２の軸方向の一端面からの第１端部接続部２２の軸方向の高さが等しいとともに、ステータコア１２の軸方向の他端面からの第２端部接続部２４の軸方向の高さが等しい。そして、全てのスロット１５に導体サブアセンブリ１６１を挿入すると、挿入工程が終了する。
【０１５６】
次に、図１８に示すように、ステータコア１２の軸方向の一端側に連結導体３１〜３３を配置する第１の配置工程を行う。第１の配置工程では、互いに接続する挿入導体２１と第１接続部５４若しくは第２接続部５５とを隣接させて複数の連結導体３１〜３３をステータコア１２の軸方向の一端側に配置する。本実施形態では、互いに接続する第１端部接続部２２と第１接続部５４若しくは第２接続部５５とを隣接させてステータコア１２の軸方向の一端側に複数の連結導体３１〜３３をステータコア１２の軸方向に積層される層状に配置する。
【０１５７】
この第１の配置工程では、ステータコア１２の軸方向の一端側に配置する複数の連結導体３１〜３３を、ステータコア１２の軸方向の一端側に配置する前に予め層状に積層する。まず、ステータコア１２の軸方向の一端側で１層目に積層される９個の第１連結導体３１、９個の第２連結導体３２及び１個の第３連結導体３３を環状に配置する。詳しくは、９個の第１連結導体３１及び１個の第３連結導体３３を、第１周方向渡り部５１及び第３周方向渡り部６１が周方向に並ぶように周方向に等角度間隔に配置する。このとき、各第１連結導体３１は、第１径方向渡り部５２，５３が第１周方向渡り部５１に対して径方向内側に配置されるように、且つ、軸方向の一方側から見て第１接続部５４を有する第１径方向渡り部５２が第２接続部５５を有する第１径方向渡り部５３に対して反時計方向側に配置されるように（即ち図１０（ａ）に示す状態となるように）配置される。またこのとき、第３連結導体３３は、第３径方向渡り部６２，６３が第１周方向渡り部６１に対して径方向内側に配置されるように、且つ、軸方向の一方側から見て第１接続部５４を有する第３径方向渡り部６２が第２接続部５５を有する第３径方向渡り部６３に対して反時計方向側に配置されるように配置される。また、９個の第２連結導体３２を、９個の第１連結導体３１の内側にそれぞれ配置する。９個の第２連結導体３２は、第２周方向渡り部５６が周方向に等角度間隔に並ぶように配置される。更に、各第２連結導体３２は、第２径方向渡り部５７，５８が第２周方向渡り部５６に対して径方向内側に配置されるように、且つ、軸方向の一方側から見て第１接続部５４を有する第２径方向渡り部５７が第２接続部５５を有する第２径方向渡り部５８に対して反時計方向側に配置されるように（即ち図１０（ａ）に示す状態となるように）配置される。また、９個の第１連結導体３１、９個の第２連結導体３２及び１個の第３連結導体３３は、軸方向（周方向渡り部５１，５６，６１の幅方向に同じ）にずれることなく配置されており、軸方向の位置が等しくなっている。更に、このように配置された９個の第１連結導体３１、９個の第２連結導体３２及び１個の第３連結導体３３は、互いに離間している。
【０１５８】
上記のように配置されたステータコア１２の軸方向の一端側に１層目に積層される連結導体３１〜３３に対し、間にインシュレータ７１を介在させて２層目に積層される連結導体３１〜３３を配置する。尚、図１８においては、図が煩雑となることを避けるためにインシュレータ７１の図示を省略している。ステータコア１２の軸方向の一端側で２層目に積層される９個の第１連結導体３１、９個の第２連結導体３２及び１個の第３連結導体３３は、１層目の連結導体３１〜３３と同様に環状に配置される。そして、当該２層目の連結導体３１〜３３は、軸方向の一方側（図１８において上側）から見て１層目の連結導体３１〜３３に対して時計方向に６°回転させた状態で１層目の連結導体３１〜３３の上に軸方向に積層される。また、２層目の連結導体３１〜３３は、第１周方向渡り部５１及び第３周方向渡り部６１が、１層目の連結導体３１〜３３の第１周方向渡り部５１及び第３周方向渡り部６１と軸方向に重なるように配置される。更に、２層目の第２連結導体３２は、第２周方向渡り部５６が、１層目の第２連結導体３２の第２周方向渡り部５６と軸方向に重なるように配置される。
【０１５９】
以後、同様にしてステータコア１２の軸方向の一端側で３層目〜６層目に積層される連結導体３１〜３３を、１層目及び２層目に積層される連結導体３１〜３３に対して配置する。即ち、ステータコア１２の軸方向の一端側で２層目に積層される連結導体３１〜３３に対し、間にインシュレータ７１を介在させて３層目に積層される連結導体３１〜３３を配置する。ステータコア１２の軸方向の一端側で３層目に積層される９個の第１連結導体３１、９個の第２連結導体３２及び１個の第３連結導体３３は、１層目の連結導体３１〜３３と同様に環状に配置される。そして、当該３層目の連結導体３１〜３３は、軸方向の一方側（図１８において上側）から見て１層目の連結導体３１〜３３に対して反時計方向に６°回転させた状態で２層目の連結導体３１〜３３の上に軸方向に積層される。また、ステータコア１２の軸方向の一端側で３層目に積層される連結導体３１〜３３に対し、間にインシュレータ７１を介在させて４層目に積層される連結導体３１〜３３を配置する。ステータコア１２の軸方向の一端側で４層目に積層される９個の第１連結導体３１、９個の第２連結導体３２及び１個の第３連結導体３３は、１層目の連結導体３１〜３３と同様に環状に配置される。そして、当該４層目の連結導体３１〜３３は、軸方向の一方側（図１８において上側）から見て１層目の連結導体３１〜３３に対して時計方向に１２°回転させた状態で３層目の連結導体３１〜３３の上に軸方向に積層される。また、ステータコア１２の軸方向の一端側で４層目に積層される連結導体３１〜３３に対し、間にインシュレータ７１を介在させて５層目に積層される連結導体３１〜３３を配置する。ステータコア１２の軸方向の一端側で５層目に積層される９個の第１連結導体３１、９個の第２連結導体３２及び１個の第３連結導体３３は、１層目の連結導体３１〜３３と同様に環状に配置される。そして、当該５層目の連結導体３１〜３３は、軸方向の一方側（図１８において上側）から見て１層目の連結導体３１〜３３に対して反時計方向に１２°回転させた状態で４層目の連結導体３１〜３３の上に軸方向に積層される。更に、ステータコア１２の軸方向の一端側で５層目に積層される連結導体３１〜３３に対し、間にインシュレータ７１を介在させて６層目に積層される連結導体３１〜３３を配置する。ステータコア１２の軸方向の一端側で６層目に積層される９個の第１連結導体３１、９個の第２連結導体３２及び１個の第３連結導体３３は、１層目の連結導体３１〜３３と同様に環状に配置される。そして、当該６層目の連結導体３１〜３３は、軸方向の一方側（図１８において上側）から見て１層目の連結導体３１〜３３に対して時計方向に１８°回転させた状態で５層目の連結導体３１〜３３の上に軸方向に積層される。そして、３〜６層目の連結導体３１〜３３は、第１周方向渡り部５１及び第３周方向渡り部６１が、１層目及び２層目の連結導体３１〜３３の第１周方向渡り部５１及び第３周方向渡り部６１と軸方向に重なるように配置される。更に、３〜６層目の第２連結導体３２は、第２周方向渡り部５６が、１層目及び２層目の第２連結導体３２の第２周方向渡り部５６と軸方向に重なるように配置される。
【０１６０】
上記のように連結導体３１〜３３を軸方向に層状に積層することで、異なる層の連結導体３１〜３３の接続部５４，５５が周方向にずれるとともに、軸方向から見て複数のスロット１５と同じ間隔で複数の接続部５４，５５が周方向に並ぶ。更に、軸方向（積層方向に同じ）から見て周方向に隣り合う２つの第１接続部５４若しくは第２接続部５５には、軸方向（積層方向）に１層差となるものと２層差となるものとがある。
【０１６１】
そして、上記のように予め積層した６層の連結導体３１〜３３を、治具等により一体化した状態で、ステータコア１２の軸方向の一端側に配置する。即ち、複数の連結導体３１〜３３を、ステータコア１２の軸方向の一端側に、ステータコア１２の軸方向に積層される層状に配置する。このとき、ステータコア１２の軸方向の一端側に配置される全ての連結導体３１〜３３の周方向渡り部５１，５６，６１が、環状部１３の径方向の厚さの範囲内に配置されるように、予め積層した複数の連結導体３１〜３３をステータコア１２の軸方向の一端側に配置する。またこのとき、各スロット１５の軸方向の一端側に、第１接続部５４若しくは第２接続部５５が配置されるように、予め積層した複数の連結導体３１〜３３をステータコア１２の軸方向の一端側に配置する。またこのとき、互いに接続する第１端部接続部２２と第１接続部５４若しくは第２接続部５５とを径方向に隣接させて６層の連結導体３１〜３３をステータコア１２の軸方向の一端側に配置する。そして、第１接続部５４及び第２接続部５５は、それぞれが接続される第１端部接続部２２の径方向外側に位置する第１当接面２３上に配置される。尚、複数の連結導体３１〜３３は、異なる層の連結導体３１〜３３の接続部５４，５５が周方向にずれるとともに、軸方向から見て複数のスロット１５と同じ間隔で複数の接続部５４，５５が周方向に並ぶように予め積層されている。更に、積層された複数の連結導体３１〜３３において、軸方向（積層方向）から見て周方向に隣り合う２つの第１接続部５４若しくは第２接続部５５には、軸方向（積層方向）に１層差となるものと２層差となるものとがある。また、前記挿入工程では、第１の配置工程においてステータコア１２の軸方向の一端側に層状に積層される連結導体３１〜３３の接続部５４，５５に応じて、ステータコア１２の軸方向の一端側で、ステータコア１２の周方向に隣り合う挿入導体２１の第１端部接続部２２が１段差となるものと２段差となるものとができるように、各スロット１５に導体サブアセンブリ１６１を挿入している。そして、周方向に隣り合う挿入導体２１の第１端部接続部２２同士の段差は、第１の配置工程においてステータコア１２の軸方向の一端側に軸方向に層状に積層される連結導体３１〜３３の層の差に対応するものである。従って、接続する第１端部接続部２２と第１接続部５４若しくは第２接続部５５とを容易に径方向に隣接させることができる。また、第１接続部５４及び第２接続部５５を対応する第１当接面２３上に配置することにより、当該第１当接面２３によって連結導体３１〜３３の軸方向の位置決めがなされる。そして、互いに接合される接続部５４，５５と挿入導体２１とは、挿入導体２１若しくは連結導体３１〜３３を折り曲げて隣接させなくとも、この第１の配置工程において、スロット１５に挿入導体２１が挿入されたステータコア１２に対して連結導体３１〜３３を配置することで隣接させることができる。
【０１６２】
次に、図１９に示すように、ステータコア１２の軸方向の一端側で、連結導体３１〜３３と挿入導体２１とを溶接により接合する第１の接合工程を行う。第１の接合工程では、まず、１個のスロット１５に挿入された４本の挿入導体２１の第１端部接続部２２と、これらの挿入導体２１の第１当接面２３上に配置された第１接続部５４若しくは第２接続部５５とを、溶接装置１８１の溶接ガン１８２を径方向外側から径方向内側に移動させながら径方向外側から順に接続していく。本実施形態では、アーク溶接（例えばＴｉｇ溶接）によって第１端部接続部２２と第１接続部５４若しくは第２接続部５５とを接合して機械的及び電気的に接続する。その後、溶接ガン１８２を、直前に溶接を施した挿入導体２１が接続された連結導体３１〜３３の層と、次に溶接を施す挿入導体２１が接続される連結導体３１〜３３の層との段差分だけ軸方向に移動させる。尚、次に溶接を施す挿入導体２１は、直前に溶接を施した挿入導体２１が挿入されたスロット１５の隣のスロット１５に挿入された挿入導体２１である。そして、溶接ガン１８２をステータコア１２の周方向にスロット１個分移動させて、次に溶接を施す挿入導体２１が挿入されたスロット１５上に同溶接ガン１８２を配置する。そして、溶接ガン１８２と軸方向に対向するスロット１５に挿入された４本の挿入導体２１の第１端部接続部２２と、これらの挿入導体２１の第１当接面２３上に配置された第１接続部５４若しくは第２接続部５５とを、溶接ガン１８２を径方向外側から径方向内側に移動させながら径方向外側から順に接続していく。以後同様にして、各スロット１５内の挿入導体２１の第１端部接続部２２と連結導体３１〜３３の第１接続部５４及び第２接続部５５とを周方向に順に溶接により接合していく。尚、図２０に示すように、溶接装置１８１のアース電極１８３は、溶接を行う連結導体３１〜３３の周方向渡り部５１，５６，６１に径方向外側から接触する。図２０においては、図が煩雑となることを避けるために、挿入用インシュレータ４１及びインシュレータ７１の図示を省略している。
【０１６３】
そして、前記第１の配置工程においてステータコア１２の軸方向の一端側に複数の連結導体３１〜３３を配置し、この第１の接合工程においてステータコア１２の軸方向の一端側で連結導体３１〜３３の接続部５４，５５と挿入導体２１とを溶接により接合することにより、周方向に離間した位置にある挿入導体２１を連結導体３１〜３３にて連結する。即ち、スロット１５に挿入される挿入導体２１とは別体で形成された連結導体３１〜３３をステータコア１２の軸方向の一端側に配置し、当該連結導体３１〜３３によってステータコア１２の周方向に離間した位置にある挿入導体２１を連結するため、挿入導体２１をスロット１５に挿入した後に折り曲げなくてもよい。
【０１６４】
次に、ステータコア１２の軸方向の他端側に連結導体３４，３５を配置する第２の配置工程を行う。第２の配置工程では、互いに接続する挿入導体２１と第１接続部５４若しくは第２接続部５５とを隣接させて複数の連結導体３４，３５をステータコア１２の軸方向の他端側に配置する。図６及び図１３（ａ）に示すように、本実施形態では、互いに接続する第２端部接続部２４と第１接続部５４若しくは第２接続部５５とを隣接させてステータコア１２の軸方向の他端側に複数の連結導体３４，３５をステータコア１２の軸方向に積層される層状に配置する。
【０１６５】
この第２の配置工程では、ステータコア１２の軸方向の他端側に配置する複数の連結導体３４，３５を、ステータコア１２の軸方向の他端側に配置する前に予め層状に積層する。まず、ステータコア１２の軸方向の他端側で１層目に積層される１０個の第４連結導体３４及び１０個の第５連結導体３５を環状に配置する。詳しくは、１０個の第４連結導体３４を、第４周方向渡り部８１が周方向に並ぶように周方向に等角度間隔に配置する。このとき、各第４連結導体３４は、第４径方向渡り部８２，８３が第４周方向渡り部８１に対して径方向内側に配置されるように、且つ、軸方向の他方側から見て第１接続部５４を有する第４径方向渡り部８２が第２接続部５５を有する第１径方向渡り部８３に対して時計方向側に配置されるように（即ち図１３（ａ）に示す状態となるように）配置される。また、１０個の第５連結導体３５を、１０個の第４連結導体３４の内側にそれぞれ配置する。１０個の第５連結導体３５は、第５周方向渡り部８６が周方向に等角度間隔に並ぶように配置される。更に、各第５連結導体３５は、第５径方向渡り部８７，８８が第５周方向渡り部８６に対して径方向内側に配置されるように、且つ軸方向の他方側から見て第１接続部５４を有する第５径方向渡り部８７が第２接続部５５を有する第５径方向渡り部８８に対して時計方向側に配置されるように（即ち図１３（ａ）に示す状態となるように）配置される。また、１０個の第４連結導体３４及び１０個の第５連結導体３５は、軸方向（周方向渡り部８１，８６の幅方向に同じ）にずれることなく配置されており、軸方向の位置が等しくなっている。更に、このように配置された１０個の第４連結導体３４及び１０個の第５連結導体３５は、互いに離間している。
【０１６６】
上記のように配置されたステータコア１２の軸方向の他端側に１層目に積層される連結導体３４，３５に対し、間にインシュレータ７１を介在させて２層目に積層される連結導体３４，３５を配置する。ステータコア１２の軸方向の他端側で２層目に積層される１０個の第４連結導体３４及び１０個の第５連結導体３５は、１層目の連結導体３４，３５と同様に環状に配置される。そして、当該２層目の連結導体３４，３５は、軸方向の他方側（図６において右側）から見て１層目の連結導体３４，３５に対して反時計方向に６°回転させた状態で１層目の連結導体３４，３５の上に軸方向に積層される。また、２層目の第４連結導体３４は、第４周方向渡り部８１が、１層目の第４連結導体３４の第４周方向渡り部８１と軸方向に重なるように配置される。更に、２層目の第５連結導体３５は、第５周方向渡り部８６が、１層目の第５連結導体３５の第５周方向渡り部８６と軸方向に重なるように配置される。
【０１６７】
以後、同様にしてステータコア１２の軸方向の他端側で３層目〜６層目に積層される連結導体３４，３５を、１層目及び２層目に積層される連結導体３４，３５に対して配置する。即ち、ステータコア１２の軸方向の他端側で２層目に積層される連結導体３４，３５に対し、間にインシュレータ７１を介在させて３層目に積層される連結導体３４，３５を配置する。ステータコア１２の軸方向の一端側で３層目に積層される１０個の第４連結導体３４及び１０個の第５連結導体３５は、１層目の連結導体３４，３５と同様に環状に配置される。そして、当該３層目の連結導体３４，３５は、軸方向の他方側（図６において右側）から見て１層目の連結導体３４，３５に対して反時計方向に３０°回転させた状態で２層目の連結導体３４，３５の上に軸方向に積層される。また、ステータコア１２の軸方向の他端側で３層目に積層される連結導体３４，３５に対し、間にインシュレータ７１を介在させて４層目に積層される連結導体３４，３５を配置する。ステータコア１２の軸方向の他端側で４層目に積層される１０個の第４連結導体３４及び１０個の第５連結導体３５は、１層目の連結導体３４，３５と同様に環状に配置される。そして、当該４層目の連結導体３４，３５は、軸方向の他方側から見て１層目の連結導体３４，３５に対して反時計方向に１２°回転させた状態で３層目の連結導体３４，３５の上に軸方向に積層される。また、ステータコア１２の軸方向の他端側で４層目に積層される連結導体３４，３５に対し、間にインシュレータ７１を介在させて５層目に積層される連結導体３４，３５を配置する。ステータコア１２の軸方向の他端側で５層目に積層される１０個の第４連結導体３４及び１０個の第５連結導体３５は、１層目の連結導体３４，３５と同様に環状に配置される。そして、当該５層目の連結導体３４，３５は、軸方向の他方側から見て１層目の連結導体３４，３５に対して反時計方向に２４°回転させた状態で４層目の連結導体３４，３５の上に軸方向に積層される。更に、ステータコア１２の軸方向の他端側で５層目に積層される連結導体３４，３５に対し、間にインシュレータ７１を介在させて６層目に積層される連結導体３４，３５を配置する。ステータコア１２の軸方向の他端側で６層目に積層される１０個の第４連結導体３４及び１０個の第５連結導体３５は、１層目の連結導体３４，３５と同様に環状に配置される。そして、当該６層目の連結導体３４，３５は、軸方向の他方側から見て１層目の連結導体３４，３５に対して反時計方向に１２°回転させた状態で５層目の連結導体３４，３５の上に軸方向に積層される。そして、３〜６層目の連結導体３４，３５は、第４周方向渡り部８１が、１層目及び２層目の第４連結導体３４の第４周方向渡り部８１と軸方向に重なるように配置される。更に、３〜６層目の第５連結導体３５は、第５周方向渡り部８６が、１層目及び２層目の第５連結導体３５の第５周方向渡り部８６と軸方向に重なるように配置される。
【０１６８】
上記のように連結導体３４，３５を軸方向に層状に積層することで、異なる層の連結導体３４，３５の接続部５４，５５が周方向にずれるとともに、軸方向から見て複数のスロット１５と同じ間隔で複数の接続部５４，５５が周方向に並ぶ。更に、軸方向（積層方向に同じ）から見て周方向に隣り合う２つの第１接続部５４若しくは第２接続部５５には、軸方向（積層方向）に１層差となるものと２層差となるものとがある。
【０１６９】
そして、上記のように予め積層した６層の連結導体３４，３５を、治具等により一体化した状態で、ステータコア１２の軸方向の他端側に配置する。即ち、複数の連結導体３４，３５を、ステータコア１２の軸方向の他端側に、ステータコア１２の軸方向に積層される層状に配置する。このとき、ステータコア１２の軸方向の他端側に配置される全ての連結導体３４，３５の周方向渡り部８１，８６が、環状部１３の径方向の厚さの範囲内に配置されるように、予め積層した複数の連結導体３４，３５をステータコア１２の軸方向の他端側に配置する。またこのとき、各スロット１５の軸方向の他端側に、第１接続部５４若しくは第２接続部５５が配置されるように、予め積層した複数の連結導体３４，３５をステータコア１２の軸方向の他端側に配置する。またこのとき、互いに接続する第２端部接続部２４と第１接続部５４若しくは第２接続部５５とを径方向に隣接させて６層の連結導体３４，３５をステータコア１２の軸方向の他端側に配置する。そして、第１接続部５４及び第２接続部５５は、それぞれが接続される第２端部接続部２４の径方向外側に位置する第２当接面２５上に配置される。尚、複数の連結導体３４，３５は、異なる層の連結導体３４，３５の接続部５４，５５が周方向にずれるとともに、軸方向から見て複数のスロット１５と同じ間隔で複数の接続部５４，５５が周方向に並ぶように予め積層されている。更に、積層された複数の連結導体３４，３５において、軸方向（積層方向）から見て周方向に隣り合う２つの第１接続部５４若しくは第２接続部５５には、軸方向（積層方向）に１層差となるものと２層差となるものとがある。また、前記挿入工程では、第２の配置工程においてステータコア１２の軸方向の他端側に層状に積層される連結導体３４，３５の接続部５４，５５に応じて、ステータコア１２の軸方向の他端側で、ステータコア１２の周方向に隣り合う挿入導体２１の第２端部接続部２４が１段差となるものと２段差となるものとができるように、各スロット１５に導体サブアセンブリ１６１を挿入している。そして、周方向に隣り合う挿入導体２１の第２端部接続部２４同士の段差は、第２の配置工程においてステータコア１２の軸方向の他端側に軸方向に層状に積層される連結導体３４，３５の層の差に対応するものである。従って、接続する第２端部接続部２４と第１接続部５４若しくは第２接続部５５とを容易に径方向に隣接させることができる。また、第１接続部５４及び第２接続部５５を対応する第２当接面２５上に配置することにより、当該第２当接面２５によって連結導体３４，３５の軸方向の位置決めがなされる。そして、互いに接合される接続部５４，５５と挿入導体２１とは、挿入導体２１若しくは連結導体３４，３５を折り曲げて隣接させなくとも、この第２の配置工程において、スロット１５に挿入導体２１が挿入されたステータコア１２に対して連結導体３４，３５を配置することで隣接させることができる。
【０１７０】
次に、ステータコア１２の軸方向の他端側で、連結導体３４，３５と挿入導体２１とを溶接により接合する第２の接合工程を行う。この第２の接合工程は、図１９に示した前記第１の接合工程と同様に行われる。即ち、第２の接合工程では、まず、１個のスロット１５に挿入された４本の挿入導体２１の第２端部接続部２４と、これらの挿入導体２１の第２当接面２５上に配置された第１接続部５４若しくは第２接続部５５とを、溶接装置１８１の溶接ガン１８２を径方向外側から径方向内側に移動させながら径方向外側から順に接続していく。本実施形態では、アーク溶接（例えばＴｉｇ溶接）によって第２端部接続部２４と第１接続部５４若しくは第２接続部５５とを接合して機械的及び電気的に接続する。その後、溶接ガン１８２を、直前に溶接を施した挿入導体２１が接続された連結導体３４，３５の層と、次に溶接を施す挿入導体２１が接続される連結導体３４，３５の層との段差分だけ軸方向に移動させる。尚、次に溶接を施す挿入導体２１は、直前に溶接を施した挿入導体２１が挿入されたスロット１５の隣のスロット１５に挿入された挿入導体２１である。そして、溶接ガン１８２をステータコア１２の周方向にスロット１個分移動させて、次に溶接を施す挿入導体２１が挿入されたスロット１５上に同溶接ガン１８２を配置する。そして、溶接ガン１８２と軸方向に対向するスロット１５に挿入された４本の挿入導体２１の第２端部接続部２４と、これらの挿入導体２１の第２当接面２５上に配置された第１接続部５４若しくは第２接続部５５とを、溶接ガン１８２を径方向外側から径方向内側に移動させながら径方向外側から順に接続していく。以後同様にして、各スロット１５内の挿入導体２１の第２端部接続部２４と連結導体３４，３５の第１接続部５４及び第２接続部５５とを周方向に順に溶接により接合していく。尚、図２０に示した前記第１の接合工程と同様に、溶接装置１８１のアース電極１８３は、溶接を行う連結導体３４，３５の周方向渡り部８１，８６に径方向外側から接触する。
【０１７１】
そして、前記第２の配置工程においてステータコア１２の軸方向の他端側に複数の連結導体３４，３５を配置し、この第２の接合工程においてステータコア１２の軸方向の他端側で連結導体３４，３５の接続部５４，５５と挿入導体２１とを溶接により接合することにより、周方向に離間した位置にある挿入導体２１を連結導体３４，３５にて連結する。即ち、スロット１５に挿入される挿入導体２１とは別体で形成された連結導体３４，３５をステータコア１２の軸方向の他端側に配置し、当該連結導体３４，３５によってステータコア１２の周方向に離間した位置にある挿入導体２１を連結するため、挿入導体２１をスロット１５に挿入した後に折り曲げなくてもよい。
【０１７２】
第２の接合工程が終了した後、図５及び図６に示すように、スロット番号「４９」のスロット１５に挿入された４本の挿入導体２１のうち径方向内側から１番目の挿入導体２１の第１端部接続部２２に、第１Ｕ相電源端子Ｔ１ｕを溶接により接続する。また、スロット番号「５０」のスロット１５に挿入された４本の挿入導体２１のうち径方向内側から１番目の挿入導体２１の第１端部接続部２２に、第２Ｕ相電源端子Ｔ２ｕを溶接により接続する。また、スロット番号「５１」のスロット１５に挿入された４本の挿入導体２１のうち径方向内側から１番目の挿入導体２１の第１端部接続部２２に、第１Ｖ相電源端子Ｔ１ｖを溶接により接続する。また、スロット番号「５２」のスロット１５に挿入された４本の挿入導体２１のうち径方向内側から１番目の挿入導体２１の第１端部接続部２２に、第２Ｖ相電源端子Ｔ２ｖを溶接により接続する。また、スロット番号「４７」のスロット１５に挿入された４本の挿入導体２１のうち径方向内側から１番目の挿入導体２１の第１端部接続部２２に、第１Ｗ相電源端子Ｔ１ｗを溶接により接続する。また、スロット番号「４８」のスロット１５に挿入された４本の挿入導体２１のうち径方向内側から１番目の挿入導体２１の第１端部接続部２２に、第２Ｗ相電源端子Ｔ２ｗを溶接により接続する。
【０１７３】
更に、スロット番号「５５」のスロット１５に挿入された４本の挿入導体２１のうち径方向内側から４番目の挿入導体２１の第１端部接続部２２に、第１Ｕ相中性点端子Ｎ１ｕを溶接により接続する。また、スロット番号「５６」のスロット１５に挿入された４本の挿入導体２１のうち径方向内側から４番目の挿入導体２１の第１端部接続部２２に、第２Ｕ相中性点端子Ｎ２ｕを溶接により接続する。また、スロット番号「５７」のスロット１５に挿入された４本の挿入導体２１のうち径方向内側から４番目の挿入導体２１の第１端部接続部２２に、第１Ｖ相中性点端子Ｎ１ｖを溶接により接続する。また、スロット番号「５８」のスロット１５に挿入された４本の挿入導体２１のうち径方向内側から４番目の挿入導体２１の第１端部接続部２２に、第２Ｖ相中性点端子Ｎ２ｖを溶接により接続する。また、スロット番号「５３」のスロット１５に挿入された４本の挿入導体２１のうち径方向内側から４番目の挿入導体２１の第１端部接続部２２に、第１Ｗ相中性点端子Ｎ１ｗを溶接により接続する。また、スロット番号「５４」のスロット１５に挿入された４本の挿入導体２１のうち径方向内側から４番目の挿入導体２１の第１端部接続部２２に、第２Ｗ相中性点端子Ｎ２ｗを溶接により接続する。その後、図１２（ａ）に示すように、第１Ｕ相中性点端子Ｎ１ｕと第１Ｖ相中性点端子Ｎ１ｖと第１Ｗ相中性点端子Ｎ１ｗとを互いに接続して第１中性点Ｎ１を形成する。更に、図１２（ｂ）に示すように、第２Ｕ相中性点端子Ｎ２ｕと第２Ｖ相中性点端子Ｎ２ｖと第２Ｗ相中性点端子Ｎ２ｗとを互いに接続して第２中性点Ｎ２を形成する。
【０１７４】
上記したように、本実施形態によれば、以下の効果を有する。
（１）挿入導体準備工程において準備される挿入導体２１は直線状をなしているため、挿入工程において挿入導体２１を容易にスロット１５に挿入することができる。また、第１の配置工程においてステータコア１２の軸方向の一端側に複数の連結導体３１〜３３を配置し、第１の接合工程においてステータコア１２の軸方向の一端側で連結導体３１〜３３の接続部５４，５５と挿入導体２１とを溶接により接合することにより、周方向に離間した位置にある挿入導体２１を連結導体３１〜３３にて連結する。そして、第２の配置工程においてステータコア１２の軸方向の他端側に複数の連結導体３４，３５を配置し、第２の接合工程においてステータコア１２の軸方向の他端側で連結導体３４，３５の接続部５４，５５と挿入導体２１とを溶接により接合することにより、周方向に離間した位置にある挿入導体２１を連結導体３４，３５にて連結する。このように、スロット１５に挿入される挿入導体２１とは別体で形成された連結導体３１〜３５をステータコア１２の軸方向の両側に配置し、当該連結導体３１〜３５によってステータコア１２の周方向に離間した位置にある挿入導体２１を連結するため、挿入導体２１をスロット１５に挿入した後に折り曲げなくてもよい。更に、溶接により接合される接続部５４，５５と挿入導体２１とは、挿入導体２１若しくは連結導体３１〜３５を折り曲げて隣接させなくとも、第１の配置工程及び第２の配置工程において、スロット１５に挿入導体２１が挿入されたステータコア１２に対して連結導体３１〜３５を配置することで隣接させることができる。従って、従来のようにセグメント導体をスロットに挿入した後に同セグメント導体を折り曲げて互いに溶接するセグメント導体の先端部同士を隣接させる場合に比べて、互いに接続される接続部５４，５５と挿入導体２１とを容易に隣接させることができる。従って、接続部５４，５５と挿入導体２１との溶接が困難となることが抑制される。これらのことから、複数のセグメント導体、即ち複数の挿入導体２１及び複数の連結導体３１〜３５からなる巻線Ｍを容易に形成することができる。
【０１７５】
（２）第１の配置工程及び第２の配置工程において、連結導体３１〜３５はステータコア１２の軸方向に積層される層状に配置される。そのため、連結導体３１〜３５の配置が複雑となることが抑制され、連結導体３１〜３５を容易に配置することができる。従って、複数の挿入導体２１及び複数の連結導体３１〜３５からなる巻線Ｍをより容易に形成することができる。また、ステータコア１２の軸方向に隣り合う連結導体３１〜３５同士を軸方向に離間させやすい。更に、ステータコア１２の軸方向に隣り合う連結導体３１〜３５の間にインシュレータ７１を容易に介在させることができる。従って、ステータコア１２の軸方向に隣り合う連結導体３１〜３５同士を電気的に絶縁し易くなる。
【０１７６】
（３）第１の配置工程では、ステータコア１２の軸方向から見てステータコア１２の周方向に隣り合う２つの第１接続部５４若しくは第２接続部５５には、ステータコア１２の軸方向に１層差となるものと２層差となるものとがあるように、ステータコア１２の軸方向の一端側に複数の連結導体３１〜３３をステータコア１２の軸方向に積層される層状に配置する。そのため、第１の接合工程においてステータコア１２の軸方向の一端側で第１端部接続部２２と接続部５４，５５とをステータコア１２の周方向に順に溶接するとき、ステータコア１２に対して溶接ガン１８２を軸方向に移動させる量は、連結導体３１〜３３の層をステータコア１２の軸方向に１層跨ぐ量、若しくは連結導体３１〜３３の層をステータコア１２の軸方向に２層跨ぐ量の何れかの量となる。また、第２の配置工程では、ステータコア１２の軸方向から見てステータコア１２の周方向に隣り合う２つの第１接続部５４若しくは第２接続部５５には、ステータコア１２の軸方向に１層差となるものと２層差となるものとがあるように、ステータコア１２の軸方向の他端側に複数の連結導体３４，３５をステータコア１２の軸方向に積層される層状に配置する。そのため、第２の接合工程においてステータコア１２の軸方向の他端側で第２端部接続部２４と接続部５４，５５とをステータコア１２の周方向に順に溶接するとき、ステータコア１２に対して溶接ガン１８２を軸方向に移動させる量は、連結導体３４，３５の層をステータコア１２の軸方向に１層跨ぐ量、若しくは連結導体３４，３５の層をステータコア１２の軸方向に２層跨ぐ量の何れかの量となる。従って、ステータコア１２に対して溶接ガン１８２を軸方向に移動させる量が、全て連結導体３１〜３５の層をステータコア１２の軸方向に２層跨ぐ量である場合に比べて、ステータコア１２に対して溶接ガン１８２を軸方向に移動させる量をより少なく抑えることができる。そのため、複数の挿入導体２１及び複数の連結導体３１〜３５からなる巻線Ｍを一層容易に形成することができる。また、ステータコア１２に対して溶接ガン１８２を軸方向に移動させる量をより少なく抑えることにより、溶接ガン１８２の移動にかかる時間をより短縮することができる。その結果、挿入導体２１と接続部５４，５５との接続に要する時間をより短くすることができるため、挿入導体２１と接続部５４，５５との接続にかかるコストをより減少させることができる。そして、ステータ１１の生産性がより向上するため、ひいてはステータ１１の製造コストをより減少させることができる。
【０１７７】
（４）第１の配置工程及び第２の配置工程において、全ての連結導体３１〜３５の周方向渡り部５１，５６，６１，８１，８６を環状部１３の径方向の厚さの範囲内に配置する。そのため、第１の接合工程及び第２の接合工程において、アーク溶接に用いるアース電極１８３を径方向外側から周方向渡り部５１，５６，６１，８１，８６に容易に接触させることができる。従って、挿入導体２１と接続部５４，５５とのアーク溶接による接合を容易に行うことができる。その結果、複数の挿入導体２１及び複数の連結導体３１〜３５からなる巻線Ｍを一層容易に形成することができる。
【０１７８】
（５）挿入導体準備工程で準備される挿入導体２１は、連結導体３１〜３５とは別体に形成され、直線状をなしている。そのため、同挿入導体準備工程において、同じスロット１５に挿入する複数の挿入導体２１を挿入用インシュレータ４１によって一体化することが可能であるとともに、同じスロット１５に挿入する複数の挿入導体２１を容易に一体化することができる。そして、同じスロット１５に挿入する複数の挿入導体２１は、挿入用インシュレータ４１にて一体化されるため、当該挿入導体２１を一体化するために別途部品を追加しなくてもよい。また、複数の挿入導体２１が一体化されることで、挿入導体２１の取り扱いが容易となる。更に、挿入工程において、各スロット１５に複数の挿入導体２１を同時に挿入することができるため、各スロット１５への挿入導体２１の挿入を容易に行うことができる。これらのことから、複数の挿入導体２１及び複数の連結導体３１〜３５からなる巻線Ｍを一層容易に形成することができる。
【０１７９】
（６）挿入導体準備工程では、絶縁被膜を備えない銅板１４１に複数本のスリット１４２を形成することにより同じスロット１５に挿入する複数の挿入導体２１と同数の分割部１４３を銅板１４１に形成する。その後、隣り合う分割部１４３が挿入用インシュレータ４１の一面側と他面側とに配置されるようにスリット１４２に挿入用インシュレータ４１を挿入する。その後、分割部１４３を銅板１４１から切断して複数の挿入導体２１を形成すると同時に複数の挿入導体２１に挿入用インシュレータ４１の両端部を巻き付けて複数の挿入導体２１を一体化する。従って、同じスロット１５に挿入される複数の挿入導体２１を形成するときに同時に、これらの挿入導体２１を挿入用インシュレータ４１にて容易に一体化することができる。更に、隣り合う挿入導体２１同士を挿入用インシュレータ４１にて電気的に絶縁することができる。また、絶縁被膜を備えない銅板１４１から挿入導体２１を形成することにより、製造コストを低減することができる。
【０１８０】
（７）複数の挿入導体２１は、スロット１５に軸方向から挿入されるものであるため、挿入導体２１の断面形状をスロット１５の断面形状に応じた形状とすることができる。従って、占積率を高くすることができる。その結果、ステータ１１を備えたブラシレスモータ１を高性能とすることができる。
【０１８１】
（８）周方向に離間した位置にある挿入導体２１は、ステータコア１２の軸方向の両側に配置され挿入導体２１に接続される連結導体３１〜３５によって連結される。そのため、挿入導体２１若しくは連結導体３１〜３５に、従来のセグメント導体のようにステータコア１２の軸方向の両側で同ステータコア１２の軸方向に対して傾斜する部分を設けなくてもよい。更に、各相の巻線Ｍ１ｕ，Ｍ１ｖ，Ｍ１ｗ，Ｍ２ｕ，Ｍ２ｖ，Ｍ２ｗにおいては、複数の連結導体３１〜３５は、互いに軸方向に重ならない。従って、挿入導体２１及び連結導体３１〜３５がステータコア１２の軸方向の端面から軸方向に大きく突出することが抑制される。即ち、巻線Ｍにおいてステータコア１２の軸方向の端面よりも軸方向に突出した部分であるコイルエンドの軸方向の高さを抑えることができる。
【０１８２】
（９）全ての挿入導体２１の軸方向の長さが等しいため、挿入導体２１の製造及び挿入導体２１の部品管理が容易となる。その結果、複数の挿入導体２１及び複数の連結導体３１〜３５からなる巻線Ｍをより一層容易に形成することができる。
【０１８３】
（１０）全ての挿入導体２１は同じ形状をなすため、挿入導体２１の製造及び挿入導体２１の部品管理がより容易となる。その結果、複数の挿入導体２１及び複数の連結導体３１〜３５らなる巻線Ｍをより一層容易に形成することができる。
【０１８４】
（１１）スロット１５に挿入導体２１を挿入した後に挿入導体２１の軸方向の両端部を折り曲げなくてもよい。従来のようにセグメント導体をスロットに挿入した後に同セグメント導体のスロットから突出した先端部を屈曲すると、当該先端部を屈曲するときにスロットの開口部にセグメント導体が押し付けられて、ステータコアとセグメント導体との間の絶縁部材が破損する虞がある。これに対し、本実施形態の挿入導体２１は、スロット１５に挿入した後に折り曲げなくてもよいため、スロット１５に挿入導体２１を挿入した後に折り曲げる複雑な加工工程が省略されるとともに、挿入導体２１とステータコア１２との電気的な絶縁性を確保しやすい。
【０１８５】
（１２）ステータコア１２の軸方向の一端側では、連結導体３１〜３３の第１接続部５４及び第２接続部５５は、接続される挿入導体２１の第１当接面２３上に配置されて第１端部接続部２２と径方向に並ぶ。従って、連結導体３１〜３３の挿入導体２１に対する軸方向及び径方向の位置決めが第１当接面２３及び第１端部接続部２２によってなされる。また、ステータコア１２の軸方向の他端側では、連結導体３４，３５の第１接続部５４及び第２接続部５５は、接続される挿入導体２１の第２当接面２５上に配置されて第２端部接続部２４と径方向に並ぶ。従って、連結導体３４，３５の挿入導体２１に対する軸方向及び径方向の位置決めが第２当接面２５及び第２端部接続部２４によってなされる。従って、第１の配置工程及び第２の配置工程において挿入導体２１に対する連結導体３１〜３５の組み付けを容易に行うことができる。更に、第１の接合工程及び第２に接合工程を行うときに、挿入導体２１に対する接続部５４，５５の位置ずれが抑制されるため、接続部５４，５５と挿入導体２１との接続を一層容易に行うことができる。
【０１８６】
尚、本発明の実施形態は、以下のように変更してもよい。
・上記実施形態の挿入導体準備工程では、銅板１４１に複数本のスリット１４２を形成することにより同じスロット１５に挿入する複数の挿入導体２１と同数の分割部１４３を銅板１４１に形成する。その後、隣り合う分割部１４３が挿入用インシュレータ４１の一面側と他面側とに配置されるようにスリット１４２に挿入用インシュレータ４１を挿入する。その後、分割部１４３を銅板１４１から切断して複数の挿入導体２１を形成すると同時に複数の挿入導体２１に挿入用インシュレータ４１の両端部を巻き付けて複数の挿入導体２１を一体化する。しかしながら、スリット１４２に挿入用インシュレータ４１を挿入した後、先に分割部１４３を銅板１４１から切断し、その後、挿入用インシュレータ４１の両端部を挿入導体２１に巻き付けてもよい。また、スリット１４２に挿入用インシュレータ４１を挿入した後、挿入用インシュレータ４１の両端部を分割部１４３に巻き付けてから、分割部１４３を銅板１４１から切断して挿入導体２１を形成してもよい。また、分割部１４３を銅板１４１から切断するときに同時に第１端部接続部２２、第１当接面２３、第２端部接続部２４及び第２当接面２５を形成するのではなく、分割部１４３を銅板１４１から切断した後に、第１端部接続部２２、第１当接面２３、第２端部接続部２４及び第２当接面２５を形成してもよい。また、挿入用インシュレータ４１をスリット１４２に挿入するのではなく、分割部１４３を銅板１４１から切断して挿入導体２１を形成した後に、当該挿入導体２１に挿入用インシュレータ４１を巻き付けてもよい。
【０１８７】
・上記実施形態の挿入導体準備工程では、絶縁被膜を備えない銅板１４１から挿入導体２１を形成している。しかしながら、絶縁被膜を備えた銅板から挿入導体２１を形成してもよい。また、銅板以外の導電性を有する金属板材から挿入導体２１を形成してもよい。また、導電性を有する線材から挿入導体２１を形成してもよい。尚、挿入導体２１を、絶縁被膜を備えた導電性の線材から形成する場合には、挿入用インシュレータ４１を省略してもよい。
【０１８８】
・上記実施形態の挿入導体準備工程では、同じスロット１５に挿入する複数の挿入導体２１を、挿入用インシュレータ４１によって一体化する。しかしながら、同じスロット１５に挿入する複数の挿入導体２１を、挿入用インシュレータ４１以外のもので一体化してもよい。例えば、同じスロット１５に挿入する複数の挿入導体２１を接着剤で一体化してもよい。
【０１８９】
・上記実施形態では、挿入導体準備工程において、同じスロット１５に挿入する複数の挿入導体２１を挿入用インシュレータ４１にて一体化するが、同じスロット１５に挿入する複数の挿入導体２１を必ずしも一体化しなくてもよい。
【０１９０】
・上記実施形態の第１の配置工程では、周方向渡り部５１，５６，６１を、ステータコア１２の軸方向の一端側で環状部１３の径方向の厚さの範囲内に配置する。また、上記実施形態の第２の配置工程では、周方向渡り部８１，８６を、ステータコア１２の軸方向の他端側で環状部１３の径方向の厚さの範囲内に配置する。しかしながら、第１の配置工程及び第２の配置工程において、周方向渡り部５１，５６，６１，８１，８６を、必ずしも環状部１３の径方向の厚さの範囲内に配置しなくてもよい。例えば、第１の配置工程では、周方向渡り部５１，５６，６１の少なくとも一部を、ステータコア１２の軸方向の一端側で、ティース１４の径方向の長さの範囲内に配置してもよい。同様に、第２の配置工程では、周方向渡り部８１，８６の少なくとも一部を、ステータコア１２の軸方向の他端側で、ティース１４の径方向の長さの範囲内に配置してもよい。
【０１９１】
・上記実施形態では、第１連結導体３１の第１周方向渡り部５１は、ステータコア１２の周方向に沿うようにその長手方向の複数箇所が屈曲された形状をなしている。しかしながら、第１周方向渡り部５１は、ステータコア１２の周方向に沿うように湾曲された円弧状であってもよい。また、第１周方向渡り部５１は、ステータコア１２の周方向に沿うように延びる直線状をなすものであってもよい。このことは、第２周方向渡り部５６、第３周方向渡り部６１、第４周方向渡り部８１及び第５周方向渡り部８６についても同様である。また、第１連結導体３１において、第１径方向渡り部５２，５３は、第１周方向渡り部５１の周方向の両端部から径方向に沿って径方向内側に延びている。しかしながら、第１径方向渡り部５２，５３は、第１周方向渡り部５１の周方向の両端部から径方向に沿って径方向外側に延びるものであってもよい。このことは、第２連結導体３２、第３連結導体３３、第４連結導体３４及び第５連結導体３５においても同様である。また、第１連結導体３１は、必ずしも第１径方向渡り部５２，５３を備えなくてもよい。この場合、第１周方向渡り部５１の周方向の両端部に第１接続部５４及び第２接続部５５が設けられる。このことは、第２連結導体３２、第３連結導体３３、第４連結導体３４及び第５連結導体３５においても同様である。
【０１９２】
・上記実施形態の第１の接合工程及び第２の接合工程では、挿入導体２１と接続部５４，５５とをアーク溶接によって接合する。しかしながら、挿入導体２１と接続部５４，５５とを、アーク溶接以外の溶接（例えば、スポット溶接等）によって接合してもよい。
【０１９３】
・図２１に示すように、ステータコア１２の軸方向の一端側において、周方向に連続して並んだ挿入導体２１が接続される複数の接続部５４，５５は、周方向にスロット１個分進むごとにステータコア１２の軸方向の一端面に最も近い連結導体３１〜３３の層からステータコア１２の軸方向の一端面から最も遠い連結導体３１〜３３の層まで１層ずつ上がる階段状に繰り返し並ぶように構成されてもよい。同様に、ステータコア１２の軸方向の他端側において、周方向に連続して並んだ挿入導体２１が接続される複数の接続部５４，５５は、周方向にスロット１個分進むごとにステータコア１２の軸方向の他端面に最も近い連結導体３４，３５の層からステータコア１２の軸方向の他端面から最も遠い連結導体３４，３５の層まで１層ずつ上がる階段状に繰り返し並ぶように構成されてもよい。図２１に示す例では、ステータコア１２の軸方向の一端側では、接続部５４，５５は、周方向の一方側（図２１において左側）にスロット１個分進むごとに、ステータコア１２の軸方向の一端面に最も近い１層目の連結導体３１〜３３から６層目の連結導体３１〜３３まで、１層ずつ順に上がる６段の階段状に配置されている。また、ステータコア１２の軸方向の他端側では、接続部５４，５５は、周方向の他方側（図２１において右側）にスロット１個分進むごとに、ステータコア１２の軸方向の他端面に最も近い１層目の連結導体３４，３５から６層目の連結導体３４，３５まで、１層ずつ順に上がる６段の階段状に配置されている。尚、図２１においては、ステータコア１２の軸方向の一端側に積層された連結導体３１〜３３のうち第１連結導体３１のみを図示している。また、図２１においては、ステータコア１２の軸方向の他端側に積層された連結導体３４，３５のうち第４連結導体３４のみを図示している。
【０１９４】
そして、ステータ１１が図２１に示すように構成される場合、挿入工程では、後に行う第１の配置工程においてステータコア１２の軸方向の一端側に層状に積層される連結導体３１〜３３の接続部５４，５５に応じて各スロット１５に導体サブアセンブリ１６１を挿入する。即ち、挿入工程では、ステータコア１２の軸方向の一端側で、周方向に連続して並ぶ挿入導体２１の第１端部接続部２２が、周方向にスロット１個分進むごとにステータコア１２の軸方向の一端面から遠ざかるように１段ずつ６段まで上がる階段状に繰り返し並ぶように、各スロット１５に導体サブアセンブリ１６１を挿入する。尚、このように各スロット１５に導体サブアセンブリ１６１を挿入すると、ステータコア１２の軸方向の他端側では、周方向に連続して並ぶ挿入導体２１の第２端部接続部２４が、周方向にスロット１個分進むごとにステータコア１２の軸方向の他端面から遠ざかるように１段ずつ６段まで上がる階段状に繰り返し並ぶ。そして、第１の配置工程では、ステータコア１２の軸方向の一端側に、異なる層の連結導体３１〜３３の接続部５４，５５がステータコア１２の周方向にずれるとともにステータコア１２の軸方向から見て複数のスロット１５と同じ間隔で複数の接続部５４，５５が周方向に並ぶように、複数の連結導体３１〜３３をステータコア１２の軸方向に積層される層状に配置する。且つ、複数の接続部５４，５５が周方向にスロット１個分進むごとにステータコア１２の軸方向の一端面に最も近い連結導体３１〜３３の層からステータコア１２の軸方向の一端面から最も遠い連結導体３１〜３３の層まで１層ずつ上がる階段状に繰り返し並ぶように、複数の連結導体３１〜３３をステータコア１２の軸方向に積層される層状に配置する。また、第２の配置工程では、ステータコア１２の軸方向の他端側に、異なる層の連結導体３４，３５の接続部５４，５５がステータコア１２の周方向にずれるとともにステータコア１２の軸方向から見て複数のスロット１５と同じ間隔で複数の接続部５４，５５が周方向に並ぶように、複数の連結導体３４，３５をステータコア１２の軸方向に積層される層状に配置する。且つ、複数の接続部５４，５５が周方向にスロット１個分進むごとにステータコア１２の軸方向の他端面に最も近い連結導体３４，３５の層からステータコア１２の軸方向の他端面から最も遠い連結導体３４，３５の層まで１層ずつ上がる階段状に繰り返し並ぶように、複数の連結導体３４，３５をステータコア１２の軸方向に積層される層状に配置する。
【０１９５】
このようにすると、第１の接合工程においてステータコア１２の軸方向の一端側で第１端部接続部２２と第１接続部５４若しくは第２接続部５５とをステータコア１２の周方向に順に溶接するとき、溶接ガン１８２を周方向にスロット１個分移動させるごとに、同溶接ガン１８２をステータコア１２の軸方向に連結導体３１〜３３の層１層分ずつ移動させることで、次に第１端部接続部２２と第１接続部５４若しくは第２接続部５５とを接続する位置に溶接ガン１８２を配置することができる。同様に、第２の接合工程においてステータコア１２の軸方向の他端側で第２端部接続部２４と第１接続部５４若しくは第２接続部５５とをステータコア１２の周方向に順に溶接するとき、溶接ガン１８２を周方向にスロット１個分移動させるごとに、同溶接ガン１８２をステータコア１２の軸方向に連結導体３４，３５の層１層分ずつ移動させることで、次に第２端部接続部２４と第１接続部５４若しくは第２接続部５５とを接続する位置に溶接ガン１８２を配置することができる。従って、ステータコア１２に対して溶接ガン１８２を軸方向に移動させる量を少なく抑えることができるため、複数の挿入導体２１及び複数の連結導体３１〜３５からなる巻線Ｍを更に容易に形成することができる。また、ステータコア１２に対して溶接ガン１８２を軸方向に移動させる量を少なく抑えることにより、溶接ガン１８２の移動にかかる時間を短縮することができる。その結果、第１の接合工程及び第２に接合工程に要する時間を短くすることができるため、端部接続部２２，２４と接続部５４，５５との接続にかかるコストを減少させることができる。そして、ステータ１１の生産性が向上するため、ひいてはステータ１１の製造コストを減少させることができる。
【０１９６】
・上記実施形態では、周方向に隣り合う任意の２つの挿入導体２１がステータコア１２の軸方向の一端側で接続される２つの接続部５４若しくは接続部５５は、当該２つの接続部５４若しくは接続部５５のうち一方の接続部が、他方の接続部を含む連結導体３１〜３３の層に対して軸方向に１層離間した連結導体３１〜３３の層に含まれるものと、当該２つの接続部５４若しくは接続部５５のうち一方の接続部が、他方の接続部を含む連結導体３１〜３３の層に対して軸方向に２層離間した連結導体３１〜３３の層に含まれるものとの何れかである。また、周方向に隣り合う任意の２つの挿入導体２１がステータコア１２の軸方向の他端側で接続される２つの接続部５４若しくは接続部５５は、当該２つの接続部５４若しくは接続部５５のうち一方の接続部が、他方の接続部を含む連結導体３４，３５の層に対して軸方向に１層離間した連結導体３４，３５の層に含まれるものと、当該２つの接続部５４若しくは接続部５５のうち一方の接続部が、他方の接続部を含む連結導体３４，３５の層に対して軸方向に２層離間した連結導体３４，３５の層に含まれるものとの何れかである。しかし、周方向に隣り合うどの２つの挿入導体２１がステータコア１２の軸方向の一端側で接続されるどの２つの第１接続部５４若しくは第２接続部５５においても、一方の接続部は、他方の接続部を含む連結導体３１〜３３の層に対して軸方向に３層以上離間しない連結導体３１〜３３の層に含まれるように構成してもよい。同様に、周方向に隣り合うどの２つの挿入導体２１がステータコア１２の軸方向の他端側で接続されるどの２つの第１接続部５４若しくは第２接続部５５においても、一方の接続部は、他方の接続部を含む連結導体３４，３５の層に対して軸方向に３層以上離間しない連結導体３４，３５の層に含まれるように構成してもよい。この場合、第１の配置工程では、ステータコア１２の軸方向の一端側に、異なる層の連結導体３１〜３３の接続部５４，５５がステータコア１２の周方向にずれるとともにステータコア１２の軸方向から見て複数のスロット１５と同じ間隔で複数の接続部５４，５５が周方向に並ぶように、複数の連結導体３１〜３３をステータコア１２の軸方向に積層される層状に配置する。且つ、周方向に隣り合うどの２つの第１接続部５４若しくは第２接続部５５もステータコア１２の軸方向に３層以上離間しないように、複数の連結導体３１〜３３をステータコア１２の軸方向に積層される層状に配置する。また、第２の配置工程では、ステータコア１２の軸方向の他端側に、異なる層の連結導体３４，３５の接続部５４，５５がステータコア１２の周方向にずれるとともにステータコア１２の軸方向から見て複数のスロット１５と同じ間隔で複数の接続部５４，５５が周方向に並ぶように、複数の連結導体３４，３５をステータコア１２の軸方向に積層される層状に配置する。且つ、周方向に隣り合うどの２つの第１接続部５４若しくは第２接続部５５もステータコア１２の軸方向に３層以上離間しないように、複数の連結導体３４，３５をステータコア１２の軸方向に積層される層状に配置する。尚、挿入工程では、後に行う第１の配置工程及び第２の配置工程においてステータコア１２の軸方向の両側に層状に積層される連結導体３１〜３５の接続部５４，５５の位置に応じて各スロット１５に導体サブアセンブリ１６１を挿入する。
【０１９７】
このようにすると、第１の接合工程においてステータコア１２の軸方向の一端側で第１端部接続部２２と接続部５４，５５とをステータコア１２の周方向に順に溶接するとき、ステータコア１２に対して溶接ガン１８２を軸方向に移動させる量は、最大で連結導体３１〜３３の層をステータコア１２の軸方向に２層跨ぐ量となる。同様に、第２の接合工程においてステータコア１２の軸方向の他端側で第２端部接続部２４と接続部５４，５５とをステータコア１２の周方向に順に溶接するとき、ステータコア１２に対して溶接ガン１８２を軸方向に移動させる量は、最大で連結導体３４，３５の層をステータコア１２の軸方向に２層跨ぐ量となる。従って、ステータコア１２に対して溶接ガン１８２を軸方向に移動させる量を少なく抑えることができるため、複数の挿入導体２１及び複数の連結導体３１〜３５からなる巻線Ｍを更に容易に形成することができる。また、ステータコア１２に対して溶接ガン１８２を軸方向に移動させる量を少なく抑えることにより、溶接ガン１８２の移動にかかる時間を短縮することができる。その結果、第１の接合工程及び第２に接合工程に要する時間を短くすることができるため、端部接続部２２，２４と接続部５４，５５との接続にかかるコストを減少させることができる。そして、ステータ１１の生産性が向上するため、ひいてはステータ１１の製造コストを減少させることができる。
【０１９８】
・ステータ１１は、ステータコア１２の軸方向の両側で、ステータコア１２に対する接続部５４，５５の軸方向の位置が等しくなるように構成してもよい。このようにすると、第１の接合工程及び第２の接合工程において挿入導体２１と接続部５４，５５とを溶接にて接合するときに、溶接装置１８１の溶接ガン１８２の軸方向の移動量を最小限に抑えることができる。従って、複数の挿入導体２１及び複数の連結導体３１〜３５からなる巻線Ｍを更に容易に形成することができる。また、溶接ガン１８２の移動にかかる時間を最小限に抑えることができる。その結果、挿入導体２１と接続部５４，５５との接続に要する時間を短くすることができるため、挿入導体２１と接続部５４，５５との接続にかかるコストを減少させることができる。そして、ステータ１１の生産性が向上するため、ひいてはステータ１１の製造コストを減少させることができる。
【０１９９】
・上記実施形態の第１の接合工程では、スロット１５内の４本の挿入導体２１と接続部５４，５５とを径方向に順に接合すると、隣のスロット１５内の４本の挿入導体２１と接続部５４，５５とを径方向に順に接合する。しかしながら、第１の接合工程では、各スロット１５内の径方向内側から４番目の挿入導体２１と第２接続部５５とを周方向に順に接合した後に、各スロット１５内の径方向内側から３番目の挿入導体２１と第２接続部５５とを周方向に順に溶接し、更に、各スロット１５内の径方向内側から２番目の挿入導体２１と第１接続部５４とを周方向に順に溶接し、最後に、各スロット１５内の径方向内側から１番目の挿入導体２１と第１接続部５４とを周方向に順に溶接してもよい。即ち、「周方向に順に溶接する」とは、ステータコア１２の径方向における溶接の順序は関係無く、ステータコア１２の周方向における溶接の順序が、ステータコア１２の周方向にスロット１個分ずつ進められていくことを意味する。尚、このことは、第２の接合工程においても同様である。
【０２００】
・連結導体準備工程では、第１の配置工程においてステータコア１２の軸方向の一端側に配置する複数の連結導体３１〜３３を予め連結部材にて一体化しておいてもよい。また、連結導体準備工程では、第２の配置工程においてステータコア１２の軸方向の他端側に配置する複数の連結導体３４，３５を予め連結部材にて一体化しておいてもよい。連結部材には、例えば絶縁性の樹脂材料が用いられる。例えば、ステータコア１２の軸方向の一端側に配置する複数の連結導体３１〜３３を当該樹脂材料にてモールドして一体化するとともに、ステータコア１２の他端側に配置する複数の連結導体３４，３５を当該樹脂材料にてモールドして一体化する。このようにすると、連結導体準備工程において一体化した複数の連結導体３１〜３３を、第１の配置工程においてステータコア１２に対して配置することで、ステータコア１２及び該ステータコア１２のスロット１５に挿入された挿入導体２１に対する複数の連結導体３１〜３３の位置決めを同時に行うことができる。同様に、連結導体準備工程において一体化された複数の連結導体３４，３５を、第２の配置工程においてステータコア１２に対して配置することで、ステータコア１２及び該ステータコア１２のスロット１５に挿入された挿入導体２１に対する複数の連結導体３４，３５の位置決めを同時に行うことができる。従って、複数の連結導体３１〜３５の組付け及び複数の連結導体３１〜３５の位置決めを容易に行うことができる。また、第１の配置工程を行うときには複数の連結導体３１〜３３が連結部材にて一体化されているため、連結導体３１〜３３同士の位置ずれが抑制されている。同様に、第２の配置工程を行うときには複数の連結導体３４，３５が連結部材にて一体化されているため、連結導体３４，３５同士の位置ずれが抑制されている。従って、第１の配置工程及び第２の配置工程において連結導体３１〜３５をステータコア１２に対して組み付けるときに、連結導体３１〜３３同士若しくは連結導体３４，３５同士が位置ずれすることを抑制できる。そして、複数の連結導体３１〜３５のステータコア１２に対する組付けを容易に行うことができるため、ステータコア１２及び挿入導体２１に対する連結導体３１〜３５の組付け誤差を低減させることができる。
【０２０１】
・連結導体準備工程において、第１の配置工程でステータコア１２の軸方向の一端側に配置する複数の連結導体３１〜３３を予め積層しておいてもよい。また、連結導体準備工程において、第２の配置工程でステータコア１２の軸方向の他端側に配置する複数の連結導体３４，３５を予め積層しておいてもよい。この場合、連結導体準備工程は、挿入導体準備工程及び挿入工程と同時に行われてもよい。
【０２０２】
・第１の配置工程では、予め層状に積層された複数の連結導体３１〜３３をステータコア１２の軸方向の一端側に配置するのではなく、ステータコア１２の軸方向の一端側で複数の連結導体３１〜３３を１層ずつ順に積層していってもよい。同様に、第２の配置工程では、予め層状に積層された複数の連結導体３４，３５をステータコア１２の軸方向の他端側に配置するのではなく、ステータコア１２の軸方向の他端側で複数の連結導体３４，３５を１層ずつ順に積層していってもよい。
【０２０３】
・第１の配置工程において、各層の第１連結導体３１、第２連結導体３２及び第３連結導体３３は、図１０（ａ）に示すように環状に配置されるのであれば、どの順序で配置されてもよい。同様に、第２の配置工程において、各層の第４連結導体３４及び第５連結導体３５は、図１３（ａ）に示すように環状に配置されるのであれば、どの順序で配置されてもよい。
【０２０４】
・上記実施形態では、第１の配置工程及び第２の配置工程は、挿入工程の後であればいつ行ってもよい。更に、第１の接合工程は、第１の配置工程の後であればいつ行ってもよい。また、第２の接合工程は、第２の配置工程の後であればいつ行ってもよい。
【０２０５】
・挿入導体準備工程の前に連結導体準備工程を行ってもよい。また、挿入導体準備工程と連結導体準備工程とを同時に行ってもよい。
・第１Ｕ相電源端子Ｔ１ｕ、第２Ｕ相電源端子Ｔ２ｕ、第１Ｖ相電源端子Ｔ１ｖ、第２Ｖ相電源端子Ｔ２ｖ、第１Ｗ相電源端子Ｔ１ｗ及び第２Ｗ相電源端子Ｔ２ｗの挿入導体２１への接続は、挿入工程の後であればいつ行ってもよい。また、第１Ｕ相中性点端子Ｎ１ｕ、第２Ｕ相中性点端子Ｎ２ｕ、第１Ｖ相中性点端子Ｎ１ｖ、第２Ｖ相中性点端子Ｎ２ｖ、第１Ｗ相中性点端子Ｎ１ｗ及び第２Ｗ相中性点端子Ｎ２ｗの挿入導体２１への接続は、挿入工程の後であればいつ行ってもよい。更に、第１中性点Ｎ１及び第２中性点Ｎ２の形成は、第１Ｕ相中性点端子Ｎ１ｕ、第２Ｕ相中性点端子Ｎ２ｕ、第１Ｖ相中性点端子Ｎ１ｖ、第２Ｖ相中性点端子Ｎ２ｖ、第１Ｗ相中性点端子Ｎ１ｗ及び第２Ｗ相中性点端子Ｎ２ｗの挿入導体２１への接続後であればいつ行ってもよい。
【０２０６】
・上記実施形態では、異なる相の巻線を構成する連結導体３１〜３５は、ステータコア１２の軸方向に積層されている。しかしながら、異なる相の巻線を構成する連結導体３１〜３５は、互いに径方向に離間した状態で径方向に重なるように配置されてもよい。
【０２０７】
・上記実施形態では、連結導体準備工程において、連結導体３１〜３５は、絶縁被膜を備えない導電性板材から形成される。しかしながら、連結導体３１〜３５は、絶縁被膜にて外周が被覆された線材から形成されてもよい。この場合、各連結導体３１〜３５において、第１接続部５４及び第２接続部５５となる部分の絶縁被膜は除去される。そして、軸方向に隣り合う連結導体３１〜３５の層の間に、必ずしもインシュレータ７１を介在させなくてもよい。
【０２０８】
・上記実施形態では、全ての挿入導体２１は、ステータコア１２の軸方向の長さが等しい。しかしながら、複数の挿入導体２１は、ステータコア１２の軸方向の長さが異なる複数種類のものがあってもよい。
【０２０９】
・上記実施形態では、全ての挿入導体２１は同じ形状をなしている。しかしながら、複数の挿入導体２１のうち、第１Ｕ相電源端子Ｔ１ｕ、第２Ｕ相電源端子Ｔ２ｕ、第１Ｖ相電源端子Ｔ１ｖ、第２Ｖ相電源端子Ｔ２ｖ、第１Ｗ相電源端子Ｔ１ｗ、第２Ｗ相電源端子Ｔ２ｗが接続される挿入導体２１を、これらの電源端子とそれぞれ一体化した形状の給電用導体としてもよい。各給電用導体は、給電用導体以外の挿入導体２１よりもステータコア１２の軸方向に長い棒状をなす。また、複数の挿入導体２１のうち、第１Ｕ相中性点端子Ｎ１ｕ、第２Ｕ相中性点端子Ｎ２ｕ、第１Ｖ相中性点端子Ｎ１ｖ、第２Ｖ相中性点端子Ｎ２ｖ、第１Ｗ相中性点端子Ｎ１ｗ、第２Ｗ相中性点端子Ｎ２ｗが接続される挿入導体２１を、これらの中性点端子とそれぞれ一体化した形状の中性点導体としてもよい。各中性点導体は、中性点導体以外の挿入導体２１よりもステータコア１２の軸方向に長い棒状をなす。そして、この場合、給電用導体及び中性点導体以外の挿入導体２１を全て同じ形状とすると、挿入導体２１の製造及び挿入導体２１の部品管理がより容易となる。従って、ステータ１１の製造コストをより減少させることができる。また、複数の挿入導体２１は、その形状が異なる複数種類のものがあってもよい。
【０２１０】
・挿入導体２１の形状は、上記実施形態の形状に限らない。例えば、挿入導体２１は、その長手方向の全体に亘って断面形状が一定の四角柱状をなすものであってもよい。この場合、挿入導体２１は、第１当接面２３及び第２当接面２５を備えず、その長手方向の両端部がそれぞれ端部接続部とされる。
【０２１１】
・巻線Ｍの巻回態様は、上記実施形態の態様に限らず、挿入導体２１と連結導体３１〜３５とを組み合わせて、形成するモータの仕様に応じた巻回態様とすればよい。
・上記実施形態では、ステータコア１２は、６０本のティース１４及び６０個のスロット１５を有する。しかしながら、ステータコア１２が備えるティース１４の数及びスロット１５の数は、６０個に限らず、適宜変更してもよい。また、ティース１４の数及びスロット１５の数に応じて、挿入導体２１の数及び連結導体３１〜３５の数を適宜変更してもよい。
【０２１２】
上記実施形態及び上記各変更例から把握できる技術的思想を以下に記載する。
（イ）請求項１乃至請求項８の何れか１項に記載のステータの製造方法において、前記挿入導体準備工程では、前記ステータコアの軸方向の一端側に配置する複数の前記連結導体を一体化するとともに、前記ステータコアの軸方向の他端側に配置する複数の前記連結導体を一体化し、前記第１の配置工程では、一体化された複数の前記連結導体を前記ステータコアの軸方向の一端側に配置し、前記第２の配置工程では、一体化された複数の前記連結導体を前記ステータコアの軸方向の他端側に配置することを特徴とするステータの製造方法。同構成によれば、連結導体準備工程において一体化した複数の連結導体を、第１の配置工程及び第２の配置工程においてステータコアに対して配置することで、ステータコア及び該ステータコアのスロットに挿入された挿入導体に対する複数の連結導体の位置決めを同時に行うことができる。従って、複数の連結導体の組付け及び複数の連結導体の位置決めを容易に行うことができる。また、第１の配置工程及び第２の配置工程を行うときには複数の連結導体が一体化されているため、連結導体同士の位置ずれが抑制されている。従って、第１の配置工程及び第２の配置工程において連結導体をステータコアに対して組み付けるときに、連結導体同士が位置ずれすることを抑制できる。そして、複数の連結導体のステータコアに対する組付けを容易に行うことができるため、ステータコア及び挿入導体に対する連結導体の組付け誤差を低減させることができる。
【符号の説明】
【０２１３】
１１…ステータ、１２…ステータコア、１３…環状部、１４…ティース、１５…スロット、２１…挿入導体、２２…端部接続部としての第１端部接続部、２４…端部接続部としての第２端部接続部、３１…連結導体としての第１連結導体、３２…連結導体としての第２連結導体、３３…連結導体としての第３連結導体、３４…連結導体としての第４連結導体、３５…連結導体としての第５連結導体、４１…挿入用インシュレータ、５１…周方向渡り部としての第１周方向渡り部、５４…接続部としての第１接続部、５５…接続部としての第２接続部、５６…周方向渡り部としての第２周方向渡り部、６１…周方向渡り部としての第３周方向渡り部、８１…周方向渡り部としての第４周方向渡り部、８６…周方向渡り部としての第５周方向渡り部、１４１…銅板、１４２…スリット、１４３…分割部、１８３…アース電極、Ｍ…巻線。
【図１】
2014087187.tif 000003
【図２】
2014087187.tif 000004
【図３】
2014087187.tif 000005
【図４】
2014087187.tif 000006
【図５】
2014087187.tif 000007
【図６】
2014087187.tif 000008
【図７】
2014087187.tif 000009
【図８】
2014087187.tif 000010
【図９】
2014087187.tif 000011
【図１０】
2014087187.tif 000012
【図１１】
2014087187.tif 000013
【図１２】
2014087187.tif 000014
【図１３】
2014087187.tif 000015
【図１４】
2014087187.tif 000016
【図１５】
2014087187.tif 000017
【図１６】
2014087187.tif 000018
【図１７】
2014087187.tif 000019
【図１８】
2014087187.tif 000020
【図１９】
2014087187.tif 000021
【図２０】
2014087187.tif 000022
【図２１】
2014087187.tif 000023